(57)【要約】  外科的血管吻合術に使用する装置および方法である。この装置は、血管内壁（ＢＶＩＷ）封止・孔形成デバイスおよび孔形成アクチュエータを具備する。ＢＶＩＷ封止・孔形成デバイスは、孔封止デバイスおよび吻合孔生成デバイスを具備する。孔封止デバイスは、自己拡張孔封止アセンブリを完全に包囲して保持するシース、手動孔封止コントローラアセンブリ、および可撓性チューブ内に包囲された可撓性制御ワイヤを具備する。吻合孔生成デバイスは、外側アセンブリと、円錐状に成形された吻合孔生成部材を備えた内側アセンブリとを具備する。孔形成アクチュエータは、外側および内側アセンブリを具備する。また、開示の装置および方法を用いて外科的血管吻合を実行する手順が開示される。冠動脈バイパス術（ＣＡＢＧ）を実行するクランプレス式の（端側）外科的血管吻合術での使用に特に適用可能である。【選択図】  図５Ｂ
2020518357.tif 000002
【特許請求の範囲】
【請求項１】
外科的血管吻合術に使用する装置であって、
血管腔の内側でその内壁セグメントに沿って、血流のない血管内壁セグメントにおけるニードルサイズの孔の周りの周辺シールを外傷なく確立して維持するとともに、前記血流のない状態で、前記周りにおいて封止された血管内壁セグメントを通る吻合孔を形成するように構成された血管内壁封止・孔形成デバイスと、
前記血管内壁封止・孔形成デバイスに対して可逆的に接続可能であり、前記血管内壁封止・孔形成デバイスを動作させるように構成された孔形成アクチュエータと、
を備えた、装置。
【請求項２】
前記血管内壁封止・孔形成デバイスが、前記周辺シールを外傷なく確立するように構成された孔封止デバイスを含み、該孔封止デバイスが、
可逆的に拡張可能な非作動の潰れた構成および可逆的に潰れ可能な作動した自己拡張構成を有する孔封止アセンブリと、
前記非作動の潰れた構成の前記孔封止アセンブリを外部から完全に覆い、密に嵌合し、保持するシースであり、前記潰れた孔封止アセンブリによって、前記血管内壁セグメントに沿って前記ニードルサイズの孔を通過することにより、前記血管腔に外傷なく完全に進入するように構成された、シースと、
前記シースに対して動作可能に接続され、前記孔封止アセンブリおよび前記シースの手動制御を容易にするように構成された手動孔封止コントローラアセンブリと、
前記シースの内側遠位端に固定接続された遠位端および前記手動孔封止コントローラアセンブリの内側遠位部に固定接続された近位部を有し、前記シースの運動および位置決めならびに前記孔封止アセンブリの可逆的な作動を制御するように構成された可撓性制御ワイヤと、
前記可撓性制御ワイヤの運動を包囲、保持、およびガイドする可撓性チューブと、
を備えた、請求項１に記載の装置。
【請求項３】
前記孔封止アセンブリが、前記非作動の潰れた構成および前記作動した自己拡張構成の両者において、前記可撓性制御ワイヤが前記可撓性チューブを遠位方向に通過するとともに前記シースを前記孔封止アセンブリから遠位方向に除去することを容易にすることにより、前記孔封止アセンブリを作動させて前記作動した自己拡張構成とするように、前記可撓性制御ワイヤを内側に保持する前記可撓性チューブの遠位端のみに接続された管状遠位端首部または頂点部を有する、請求項２に記載の装置。
【請求項４】
前記シースが、近位端が開放された主部と、遠位端または遠位頂点が閉鎖され、前記主部の外径よりも小さく、前記血管内壁セグメントにおける前記ニードルサイズの孔の直径よりも小さな最大外径を有する円錐状遠位端部と、を有する管状部材として構成された、請求項２に記載の装置。
【請求項５】
前記孔封止アセンブリが前記作動した自己拡張構成である場合に、前記シースの開放近位端が、前記孔封止アセンブリの遠位端から少なくとも数ミリメートル、最大で数センチメートルの距離にある、請求項２に記載の装置。
【請求項６】
前記手動孔封止コントローラアセンブリが、指で押すか引くことにより手動操作可能かつ直線平行移動可能となるように構成された手動制御つまみと、前記手動制御つまみが内部に沿って手動操作可能かつ直線平行移動可能となる直線状スロット、狭隘溝、またはチャネルが構成された手持ちハウジングアセンブリと、を含む手持ちモジュールとして構成された、請求項２に記載の装置。
【請求項７】
前記手動孔封止コントローラアセンブリが、前記孔封止デバイスの近位端部およびその内部の手動孔封止コントローラアセンブリの近位端部を安定した静止物体に接続するとともに、前記孔封止デバイスの近位端部の可逆的な固定およびアンカリングがもはや必要なくなった場合には、前記孔封止デバイスの近位端部および手動孔封止コントローラアセンブリの近位端部を前記安定した静止物体から取り外すことによって、前記固定およびアンカリングを容易にするように構成された固定・アンカリングアセンブリを含む、請求項２に記載の装置。
【請求項８】
前記固定・アンカリングアセンブリが、中間部または中央部、前記手動孔封止コントローラアセンブリの内側に固定接続された遠位端部、および前記安定した静止物体に対して可逆的に固定およびアンカリング可能な近位端部を有する単一の一体型可撓弾性ストラップ、ロッド、またはバー式構造として構成された、請求項７に記載の装置。
【請求項９】
前記固定・アンカリングアセンブリが、前記手動孔封止コントローラアセンブリの近位端部を前記安定した静止物体に対して可逆的に接続、固定、およびアンカリングするとともに、前記固定およびアンカリングがもはや必要なくなった場合に、前記手動孔封止コントローラアセンブリの近位端部を前記安定した静止物体から取り外す締結具またはラッチとして近位端が構成された固定・アンカリング部材ピンまたはロッドと動作可能に接続された引張りばねを含むばね式機構として構成された、請求項７に記載の装置。
【請求項１０】
前記可撓性チューブの内側の前記可撓性制御ワイヤが、前記シースを前記孔封止アセンブリから遠位方向に除去するのに先立ち、前記手動孔封止コントローラアセンブリの手動操作によって、前記孔封止デバイスの近位部と遠位部との間で遠位方向および近位方向に前後に直線平行移動可能かつ摺動移動可能である、請求項２に記載の装置。
【請求項１１】
前記可撓性制御ワイヤが、前記シースの前記孔封止アセンブリからの除去中および除去後に、前記手動孔封止コントローラアセンブリの手動操作によって、前記孔封止アセンブリの首部または頂点部遠位端と前記シースの開放近位端との間で遠位方向および近位方向に前後に非直線平行移動可能かつ摺動移動可能な前記可撓性チューブの外側の遠位端部を含む、請求項２に記載の装置。
【請求項１２】
前記可撓性チューブの外側の前記可撓性制御ワイヤの遠位端部が、０°〜９０°の範囲の鋭角状曲率部を有する、請求項１１に記載の装置。
【請求項１３】
前記可撓性制御ワイヤの遠位端部の前記鋭角状曲率部が、数ミリメートル〜数センチメートルの範囲の長さを有する、請求項１２に記載の装置。
【請求項１４】
前記可撓性チューブの外側の前記可撓性制御ワイヤの遠位端部が、前記可撓性チューブの内側の前記可撓性制御ワイヤの残りの部分に対して、熱的に成形または処理された、請求項１１に記載の装置。
【請求項１５】
前記孔封止アセンブリが前記作動した自己拡張構成である場合、前記シースの前記孔封止アセンブリからの除去後に、前記シースの前記開放近位端が、前記孔封止アセンブリの前記首部または頂点部遠位端から少なくとも数ミリメートル、最大で数センチメートルの距離にある、請求項１１に記載の装置。
【請求項１６】
前記血管内壁封止・孔形成デバイスが、前記吻合孔を前記血管内壁セグメントに生成するように構成された吻合孔生成デバイスを含み、該吻合孔生成デバイスが、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、可撓性チューブまたはワイヤの可逆的な通過を容易にするように構成されており、
前記内側アセンブリが、遠位方向案内運動によって、前記血管内壁セグメントにおける前記ニードルサイズの孔を外傷なく通過し、近位方向案内運動によって、前記血管内壁セグメントを通る前記吻合孔を生成し、さらなる近位方向案内運動によって、前記血管内壁セグメントを通るように生成された前記吻合孔から出るように構成された管状の吻合孔生成部材が構成された遠位端部を有する、請求項１に記載の装置。
【請求項１７】
前記内側アセンブリが、前記外側アセンブリおよび内側アセンブリの前記直線平行移動可能かつ摺動可能な相対運動を制御および制限するように構成されたばねを含む、請求項１６に記載の装置。
【請求項１８】
前記内側アセンブリが、前記ばねを収容する長手方向スロットが内側に同軸構成された中心管状空洞を含む、請求項１７に記載の装置。
【請求項１９】
前記内側アセンブリが、前記ばねの近位端を前記長手方向スロットの内側の適所に保持するピンを含む、請求項１８に記載の装置。
【請求項２０】
前記ピンが、前記外側アセンブリの近位端部における前記外側アセンブリの前記中心管状空洞に収容され、前記中心管状空洞を横切るように通って直交延伸する、請求項１９に記載の装置。
【請求項２１】
前記ピンが、前記外側アセンブリの近位端部に位置する一対の２つの対向して位置決めされた孔によって適所に保持された、請求項１９に記載の装置。
【請求項２２】
前記ばねの遠位端が、前記内側アセンブリの中心管状空洞の遠位端によって前記長手方向スロットの内側の適所に保持された、請求項１８に記載の装置。
【請求項２３】
前記内側アセンブリの近位端部が、内側突出リムおよび外側突出リムを含み、前記内側突出リムが、前記ばねとともに、前記外側アセンブリおよび前記内側アセンブリの前記直線平行移動可能かつ摺動可能な相対運動を制限するように構成され、前記外側突出リムが、前記吻合孔生成デバイスの前記孔形成アクチュエータとの可逆的な接続を容易にするように構成された、請求項１７に記載の装置。
【請求項２４】
前記外側アセンブリの近位部が、その前記孔形成アクチュエータとの可逆的な接続を容易にするように構成された突出リムを含む、請求項１６に記載の装置。
【請求項２５】
前記吻合孔生成部材の遠位部が、円形基部およびテーパ状先端部または頂点部を有する管状錐体として構成された、請求項１６に記載の装置。
【請求項２６】
前記吻合孔生成部材の管状錐体の近位端部が、前記吻合孔生成部材の管状錐体の円形基部から連続して近位方向に延びた非傾斜または非テーパ状の管状セグメントを含む、請求項２５に記載の装置。
【請求項２７】
前記管状セグメントが、外径が前記管状錐体の円形基部の直径と等しく、近位−遠位長手方向長さが前記管状錐体の近位−遠位高さよりも小さいリングの形態を有する、請求項２６に記載の装置。
【請求項２８】
前記管状セグメントの近位端が、前記血管内壁セグメントを通る前記吻合孔を生成するように、前記血管内壁セグメント内から前記血管内壁セグメントの外側まで血管壁を通り抜けるように構成された鋭い縁部を有する、請求項２６に記載の装置。
【請求項２９】
前記孔形成アクチュエータが、
管状の外側アセンブリと、
前記外側アセンブリよりも長い管状の内側アセンブリであり、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有し、前記血管内壁封止・孔形成デバイスに対して可逆的に接続可能な円形溝として構成された遠位端を有する、管状の内側アセンブリと、
を備え、
前記外側アセンブリが、外側アセンブリおよび前記内側アセンブリの前記直線平行移動可能かつ摺動可能な相対運動を容易にする一対の対向して位置決めされた手動制御可能なガイド部材が構成された近位端部を有しており、
前記外側アセンブリが、前記内側アセンブリの円形溝の遠位端の前記血管内壁封止・孔形成デバイスへの前記可逆的な接続を容易にする一対の対向して位置決めされた手動制御可能なコネクタ部材が構成された遠位端部を有する、請求項１に記載の装置。
【請求項３０】
前記内側アセンブリが、内側アセンブリの２つの側部の近位長手方向長さの中間に沿って遠位−近位方向に延びるとともに、前記外側アセンブリと内側アセンブリとの間の前記直線平行移動可能かつ摺動可能な相対運動を容易にする一対の２つの対向して位置決めされた長手方向側部スロット、狭隘溝、またはチャネルが構成された、請求項２９に記載の装置。
【請求項３１】
前記孔形成アクチュエータが、孔形成アクチュエータの遠位端から近位端近くまで延び、孔形成アクチュエータの前記血管内壁封止・孔形成デバイスとの可逆的な接続を容易にするように、前記血管内壁封止・孔形成デバイスの可撓性チューブを受容して緩く包囲するのに用いられる単一の同軸のデュアルアセンブリ長手方向上部スロット、狭隘溝、またはチャネルが構成された、請求項２９に記載の装置。
【請求項３２】
前記デュアルアセンブリ長手方向上部スロットが、前記孔形成アクチュエータの内側アセンブリの上部に構成され、上部に沿って延びた内側アセンブリ長手方向上部スロット、狭隘溝、またはチャネルと、前記孔形成アクチュエータの外側アセンブリの上部に構成され、上部に沿って延びた外側アセンブリ長手方向上部スロット、狭隘溝、またはチャネルとを備えることにより、前記内側アセンブリおよび前記外側アセンブリの長手方向上部スロット、狭隘溝、またはチャネルが互いに同軸となる、請求項３１に記載の装置。
【請求項３３】
血管腔の内側でその血管内壁セグメントの周辺を血流から封止する孔封止デバイスであって、
前記血管内壁セグメントに沿って、血流のない周辺封止血管内壁セグメントを形成するように、前記血管内壁セグメントにおけるニードルサイズの孔の周りの周辺シールを外傷なく確立するように構成された孔封止アセンブリであり、可逆的に拡張可能な非作動の潰れた構成および可逆的に潰れ可能な作動した自己拡張構成を有する、孔封止アセンブリと、
前記非作動の潰れた構成の前記孔封止アセンブリを外部から完全に覆い、密に嵌合し、保持するシースであり、前記潰れた孔封止アセンブリによって、前記血管内壁セグメントに沿って前記ニードルサイズの孔を通過することにより、前記血管腔に外傷なく完全に進入するように構成された、シースと、
前記シースに対して動作可能に接続され、前記孔封止アセンブリおよび前記シースの手動制御を容易にするように構成された手動孔封止コントローラアセンブリと、
前記シースの内側遠位端に固定接続された遠位端および前記手動孔封止コントローラアセンブリの内側遠位部に固定接続された近位部を有し、前記シースの運動および位置決めならびに前記孔封止アセンブリの可逆的な作動を制御するように構成された可撓性制御ワイヤと、
前記可撓性制御ワイヤの運動を包囲、保持、およびガイドする可撓性チューブと、
を備えた、孔封止デバイス。
【請求項３４】
前記孔封止アセンブリが、前記非作動の潰れた構成および前記作動した自己拡張構成の両者において、前記可撓性制御ワイヤが前記可撓性チューブを遠位方向に通過するとともに前記シースを前記孔封止アセンブリから遠位方向に除去することを容易にすることにより、前記孔封止アセンブリを作動させて前記作動した自己拡張構成とするように、前記可撓性制御ワイヤを内側に保持する前記可撓性チューブの遠位端のみに接続された管状遠位端首部または頂点部を有する、請求項３３に記載の孔封止デバイス。
【請求項３５】
前記シースが、近位端が開放された主部と、遠位端または遠位頂点が閉鎖され、前記主部の外径よりも小さく、前記血管内壁セグメントにおける前記ニードルサイズの孔の直径よりも小さな最大外径を有する円錐状遠位端部と、を有する管状部材として構成された、請求項３３に記載の孔封止デバイス。
【請求項３６】
前記孔封止アセンブリが前記作動した自己拡張構成である場合に、前記シースの開放近位端が、前記孔封止アセンブリの遠位端から少なくとも数ミリメートル、最大で数センチメートルの距離にある、請求項３３に記載の孔封止デバイス。
【請求項３７】
前記手動孔封止コントローラアセンブリが、指で押すか引くことにより手動操作可能かつ直線平行移動可能となるように構成された手動制御つまみと、前記手動制御つまみが内部に沿って手動操作可能かつ直線平行移動可能となる直線状スロット、狭隘溝、またはチャネルが構成された手持ちハウジングアセンブリと、を含む手持ちモジュールとして構成された、請求項３３に記載の孔封止デバイス。
【請求項３８】
前記手動孔封止コントローラアセンブリが、前記孔封止デバイスの近位端部およびその内部の手動孔封止コントローラアセンブリの近位端部を安定した静止物体に接続するとともに、前記孔封止デバイスの近位端部の可逆的な固定およびアンカリングがもはや必要なくなった場合には、前記孔封止デバイスの近位端部および手動孔封止コントローラアセンブリの近位端部を前記安定した静止物体から取り外すことによって、前記固定およびアンカリングを容易にするように構成された固定・アンカリングアセンブリを含む、請求項３３に記載の孔封止デバイス。
【請求項３９】
前記固定・アンカリングアセンブリが、中間部または中央部、前記手動孔封止コントローラアセンブリの内側に固定接続された遠位端部、および前記安定した静止物体に対して可逆的に固定およびアンカリング可能な近位端部を有する単一の一体型可撓弾性ストラップ、ロッド、またはバー式構造として構成された、請求項３８に記載の孔封止デバイス。
【請求項４０】
前記固定・アンカリングアセンブリが、前記手動孔封止コントローラアセンブリの近位端部を前記安定した静止物体に対して可逆的に接続、固定、およびアンカリングするとともに、前記固定およびアンカリングがもはや必要なくなった場合に、前記手動孔封止コントローラアセンブリの近位端部を前記安定した静止物体から取り外す締結具またはラッチとして近位端が構成された固定・アンカリング部材ピンまたはロッドと動作可能に接続された引張りばねを含むばね式機構として構成された、請求項３８に記載の孔封止デバイス。
【請求項４１】
前記可撓性チューブの内側の前記可撓性制御ワイヤが、前記シースを前記孔封止アセンブリから遠位方向に除去するのに先立ち、前記手動孔封止コントローラアセンブリの手動操作によって、前記孔封止デバイスの近位部と遠位部との間で遠位方向および近位方向に前後に直線平行移動可能かつ摺動移動可能である、請求項３３に記載の孔封止デバイス。
【請求項４２】
前記可撓性制御ワイヤが、前記シースの前記孔封止アセンブリからの除去中および除去後に、前記手動孔封止コントローラアセンブリの手動操作によって、前記孔封止アセンブリの首部または頂点部遠位端と前記シースの開放近位端との間で遠位方向および近位方向に前後に非直線平行移動可能かつ摺動移動可能な前記可撓性チューブの外側の遠位端部を含む、請求項３３に記載の孔封止デバイス。
【請求項４３】
前記可撓性チューブの外側の前記可撓性制御ワイヤの遠位端部が、０°〜９０°の範囲の鋭角状曲率部を有する、請求項４２に記載の孔封止デバイス。
【請求項４４】
前記可撓性制御ワイヤの遠位端部の前記鋭角状曲率部が、数ミリメートル〜数センチメートルの範囲の長さを有する、請求項４３に記載の孔封止デバイス。
【請求項４５】
前記可撓性チューブの外側の前記可撓性制御ワイヤの遠位端部が、前記可撓性チューブの内側の前記可撓性制御ワイヤの残りの部分に対して、熱的に成形または処理された、請求項４２に記載の孔封止デバイス。
【請求項４６】
前記孔封止アセンブリが前記作動した自己拡張構成である場合、前記シースの前記孔封止アセンブリからの除去後に、前記シースの前記開放近位端が、前記孔封止アセンブリの前記首部または頂点部遠位端から少なくとも数ミリメートル、最大で数センチメートルの距離にある、請求項４２に記載の孔封止デバイス。
【請求項４７】
吻合孔を血管内壁セグメントに生成する吻合孔生成デバイスであって、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、可撓性チューブまたはワイヤの可逆的な通過を容易にするように構成されており、
前記内側アセンブリが、遠位方向案内運動によって、前記血管内壁セグメントにおけるニードルサイズの孔を外傷なく通過し、近位方向案内運動によって、前記血管内壁セグメントを通る吻合孔を生成し、さらなる近位方向案内運動によって、前記血管内壁セグメントを通るように生成された前記吻合孔から出るように構成された管状の吻合孔生成部材が構成された遠位端部を有する、吻合孔生成デバイス。
【請求項４８】
前記内側アセンブリが、前記外側アセンブリおよび内側アセンブリの前記直線平行移動可能かつ摺動可能な相対運動を制御および制限するように構成されたばねを含む、請求項４７に記載の吻合孔生成デバイス。
【請求項４９】
前記内側アセンブリが、前記ばねを収容する長手方向スロットが内側に同軸構成された中心管状空洞を含む、請求項４８に記載の吻合孔生成デバイス。
【請求項５０】
前記内側アセンブリが、前記ばねの近位端を前記長手方向スロットの内側の適所に保持するピンを含む、請求項４９に記載の吻合孔生成デバイス。
【請求項５１】
前記ピンが、前記外側アセンブリの近位端部における前記外側アセンブリの前記中心管状空洞に収容され、前記中心管状空洞を横切るように通って直交延伸する、請求項５０に記載の吻合孔生成デバイス。
【請求項５２】
前記ピンが、前記外側アセンブリの近位端部に位置する一対の２つの対向して位置決めされた孔によって適所に保持された、請求項５０に記載の吻合孔生成デバイス。
【請求項５３】
前記ばねの遠位端が、前記内側アセンブリの中心管状空洞の遠位端によって前記長手方向スロットの内側の適所に保持された、請求項４９に記載の吻合孔生成デバイス。
【請求項５４】
前記内側アセンブリの近位端部が、内側突出リムおよび外側突出リムを含み、前記内側突出リムが、前記ばねとともに、前記外側アセンブリおよび前記内側アセンブリの前記直線平行移動可能かつ摺動可能な相対運動を制限するように構成され、前記外側突出リムが、前記吻合デバイスの別デバイスとの可逆的な接続を容易にするように構成された、請求項４８に記載の吻合孔生成デバイス。
【請求項５５】
前記外側アセンブリの近位部が、その別デバイスとの可逆的な接続を容易にするように構成された突出リムを含む、請求項４７に記載の吻合孔生成デバイス。
【請求項５６】
前記吻合孔生成部材の遠位部が、円形基部およびテーパ状先端部または頂点部を有する管状錐体として構成された、請求項４７に記載の吻合孔生成デバイス。
【請求項５７】
前記吻合孔生成部材の管状錐体の近位端部が、前記吻合孔生成部材の管状錐体の円形基部から連続して近位方向に延びた非傾斜または非テーパ状の管状セグメントを含む、請求項５６に記載の吻合孔生成デバイス。
【請求項５８】
前記管状セグメントが、外径が前記管状錐体の円形基部の直径と等しく、近位−遠位長手方向長さが前記管状錐体の近位−遠位高さよりも小さいリングの形態を有する、請求項５７に記載の吻合孔生成デバイス。
【請求項５９】
前記管状セグメントの近位端が、前記血管内壁セグメントを通る前記吻合孔を生成するように、前記血管内壁セグメント内から前記血管内壁セグメントの外側まで血管壁を通り抜けるように構成された鋭い縁部を有する、請求項５７に記載の吻合孔生成デバイス。
【請求項６０】
血管内壁セグメントにおける孔の形成に使用する孔形成アクチュエータであって、
管状の外側アセンブリと、
前記外側アセンブリよりも長い管状の内側アセンブリであり、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有し、別デバイスに対して可逆的に接続可能な円形溝として構成された遠位端を有する、管状の内側アセンブリと、
を備え、
前記外側アセンブリが、外側アセンブリおよび前記内側アセンブリの前記直線平行移動可能かつ摺動可能な相対運動を容易にする一対の対向して位置決めされた手動制御可能なガイド部材が構成された近位端部を有しており、
前記外側アセンブリが、前記内側アセンブリの円形溝の遠位端の前記別デバイスへの前記可逆的な接続を容易にする一対の対向して位置決めされた手動制御可能なコネクタ部材が構成された遠位端部を有する、孔形成アクチュエータ。
【請求項６１】
前記内側アセンブリが、内側アセンブリの２つの側部の近位長手方向長さの中間に沿って遠位−近位方向に延びるとともに、前記外側アセンブリと内側アセンブリとの間の前記直線平行移動可能かつ摺動可能な相対運動を容易にする一対の２つの対向して位置決めされた長手方向側部スロット、狭隘溝、またはチャネルが構成された、請求項６０に記載の孔形成アクチュエータ。
【請求項６２】
孔形成アクチュエータの遠位端から近位端近くまで延び、孔形成アクチュエータの前記別デバイスとの可逆的な接続を容易にするように、可撓性チューブを受容して緩く包囲するのに用いられる単一の同軸のデュアルアセンブリ長手方向上部スロット、狭隘溝、またはチャネルがさらに構成された、請求項６０に記載の孔形成アクチュエータ。
【請求項６３】
前記デュアルアセンブリ長手方向上部スロットが、前記孔形成アクチュエータの内側アセンブリの上部に構成され、上部に沿って延びた内側アセンブリ長手方向上部スロット、狭隘溝、またはチャネルと、前記孔形成アクチュエータの外側アセンブリの上部に構成され、上部に沿って延びた外側アセンブリ長手方向上部スロット、狭隘溝、またはチャネルとを備えることにより、前記内側アセンブリおよび前記外側アセンブリの長手方向上部スロット、狭隘溝、またはチャネルが互いに同軸となる、請求項６２に記載の孔形成アクチュエータ。
【請求項６４】
外科的血管吻合術に使用する医療デバイスキットであって、
血管腔の内側でその内壁セグメントに沿って、血流のない血管内壁セグメントにおけるニードルサイズの孔の周りの周辺シールを外傷なく確立して維持するように構成された孔封止デバイスと、
吻合孔を前記血管内壁セグメントに生成するように構成され、前記孔封止デバイスとは別個に取り付け可能かつ位置決め可能に設けられた吻合孔生成デバイスと、
を備え、
前記孔封止デバイスが、
可逆的に拡張可能な非作動の潰れた構成および可逆的に潰れ可能な作動した自己拡張構成を有する孔封止アセンブリと、
前記非作動の潰れた構成の前記孔封止アセンブリを外部から完全に覆い、密に嵌合し、保持するシースであり、前記潰れた孔封止アセンブリによって、前記血管内壁セグメントに沿って前記ニードルサイズの孔を通過することにより、前記血管腔に外傷なく完全に進入するように構成された、シースと、
前記シースに対して動作可能に接続され、前記孔封止アセンブリおよび前記シースの手動制御を容易にするように構成された手動孔封止コントローラアセンブリと、
前記シースの内側遠位端に固定接続された遠位端および前記手動孔封止コントローラアセンブリの内側遠位部に固定接続された近位部を有し、前記シースの運動および位置決めならびに前記孔封止アセンブリの可逆的な作動を制御するように構成された可撓性制御ワイヤと、
前記可撓性制御ワイヤの運動を包囲、保持、およびガイドする可撓性チューブと、
を備え、
前記吻合孔生成デバイスが、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、前記可撓性チューブの可逆的な通過を容易にするように構成されており、
前記内側アセンブリが、遠位方向案内運動によって、前記血管内壁セグメントにおける前記ニードルサイズの孔を外傷なく通過し、近位方向案内運動によって、前記血管内壁セグメントを通る前記吻合孔を生成し、さらなる近位方向案内運動によって、前記血管内壁セグメントを通るように生成された前記吻合孔から出るように構成された管状吻合孔生成部材が構成された遠位端部を有する、医療デバイスキット。
【請求項６５】
前記吻合孔生成デバイスに対して可逆的に接続可能であり、前記吻合孔生成デバイスを動作させるように構成された孔形成アクチュエータをさらに備えた、請求項６４に記載の医療デバイスキット。
【請求項６６】
前記孔形成アクチュエータが、
管状の外側アセンブリと、
前記外側アセンブリよりも長い管状の内側アセンブリであり、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有し、前記吻合孔生成デバイスに対して可逆的に接続可能な円形溝として構成された遠位端を有する、管状の内側アセンブリと、
を備え、
前記外側アセンブリが、外側アセンブリおよび前記内側アセンブリの前記直線平行移動可能かつ摺動可能な相対運動を容易にする一対の対向して位置決めされた手動制御可能なガイド部材が構成された近位端部を有しており、
前記外側アセンブリが、前記内側アセンブリの円形溝の遠位端の前記吻合孔生成デバイスへの前記可逆的な接続を容易にする一対の対向して位置決めされた手動制御可能なコネクタ部材が構成された遠位端部を有する、請求項６５に記載の医療デバイスキット。
【請求項６７】
外科的血管吻合術に使用する医療デバイスキットであって、
血管腔の内側でその内壁セグメントに沿って、血流のない血管内壁セグメントにおけるニードルサイズの孔の周りの周辺シールを外傷なく確立して維持するように構成された孔封止デバイスと、
吻合孔を前記血管内壁セグメントに生成するように構成され、前記孔封止デバイスとは別個に取り付け可能かつ位置決め可能に設けられた吻合孔生成デバイスと、
前記孔封止デバイスおよび前記吻合孔生成デバイスを動作させるように構成された孔形成アクチュエータと、
を備え、
前記吻合孔生成デバイスおよび前記孔形成アクチュエータが、互いに可逆的に接続されて設けられており、
前記孔封止デバイスが、
可逆的に拡張可能な非作動の潰れた構成および可逆的に潰れ可能な作動した自己拡張構成を有する孔封止アセンブリと、
前記非作動の潰れた構成の前記孔封止アセンブリを外部から完全に覆い、密に嵌合し、保持するシースであり、前記潰れた孔封止アセンブリによって、前記血管内壁セグメントに沿って前記ニードルサイズの孔を通過することにより、前記血管腔に外傷なく完全に進入するように構成された、シースと、
前記シースに対して動作可能に接続され、前記孔封止アセンブリおよび前記シースの手動制御を容易にするように構成された手動孔封止コントローラアセンブリと、
前記シースの内側遠位端に固定接続された遠位端および前記手動孔封止コントローラアセンブリの内側遠位部に固定接続された近位部を有し、前記シースの運動および位置決めならびに前記孔封止アセンブリの可逆的な作動を制御するように構成された可撓性制御ワイヤと、
前記可撓性制御ワイヤの運動を包囲、保持、およびガイドする可撓性チューブと、
を備え、
前記吻合孔生成デバイスが、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、前記可撓性チューブの可逆的な通過を容易にするように構成されており、
前記内側アセンブリが、遠位方向案内運動によって、前記血管内壁セグメントにおける前記ニードルサイズの孔を外傷なく通過し、近位方向案内運動によって、前記血管内壁セグメントを通る前記吻合孔を生成し、さらなる近位方向案内運動によって、前記血管内壁セグメントを通るように生成された前記吻合孔から出るように構成された管状吻合孔生成部材が構成された遠位端部を有する、医療デバイスキット。
【請求項６８】
前記孔形成アクチュエータが、
管状の外側アセンブリと、
前記外側アセンブリよりも長い管状の内側アセンブリであり、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有し、前記吻合孔生成デバイスに対して可逆的に接続された円形溝として構成された遠位端を有する、管状の内側アセンブリと、
を備え、
前記外側アセンブリが、外側アセンブリおよび前記内側アセンブリの前記直線平行移動可能かつ摺動可能な相対運動を容易にする一対の対向して位置決めされた手動制御可能なガイド部材が構成された近位端部を有しており、
前記外側アセンブリが、前記内側アセンブリの円形溝の遠位端の前記吻合孔生成デバイスへの前記可逆的な接続を容易にする一対の対向して位置決めされた手動制御可能なコネクタ部材が構成された遠位端部を有する、請求項６７に記載の医療デバイスキット。
【請求項６９】
外科的血管吻合術に使用する方法であって、
外科的血管吻合術を実行する対象者の血管を選択することと、
前記対象者に対する前記外科的血管吻合術の実行に使用する装置を提供することと、を含み、前記装置が、
前記血管の血管腔の内側でその内壁セグメントに沿って、血流のない血管内壁セグメントにおけるニードルサイズの孔の周りの周辺シールを外傷なく確立して維持するとともに、前記血流のない状態で、前記周りにおいて封止された血管内壁セグメントを通る吻合孔を形成するように構成された血管内壁封止・孔形成デバイスと、前記血管内壁封止・孔形成デバイスに対して可逆的に接続可能であり、前記血管内壁封止・孔形成デバイスを動作させるように構成された孔形成アクチュエータと、を備え、
前記血管内壁封止・孔形成デバイスが、前記周辺シールを外傷なく確立するように構成された孔封止デバイスを含み、該孔封止デバイスが、
可逆的に拡張可能な非作動の潰れた構成および可逆的に潰れ可能な作動した自己拡張構成を有する孔封止アセンブリと、
前記非作動の潰れた構成の前記孔封止アセンブリを外部から完全に覆い、密に嵌合し、保持するシースであり、前記潰れた孔封止アセンブリによって、前記血管内壁セグメントに沿って前記ニードルサイズの孔を通過することにより、前記血管腔に外傷なく完全に進入するように構成された、シースと、
前記シースに対して動作可能に接続され、前記孔封止アセンブリおよび前記シースの手動制御を容易にするように構成された手動孔封止コントローラアセンブリと、
前記シースの内側遠位端に固定接続された遠位端および前記手動孔封止コントローラアセンブリの内側遠位部に固定接続された近位部を有し、前記シースの運動および位置決めならびに前記孔封止アセンブリの可逆的な作動を制御するように構成された可撓性制御ワイヤと、
前記可撓性制御ワイヤの運動を包囲、保持、およびガイドする可撓性チューブと、
を備え
前記血管内壁封止・孔形成デバイスが、前記孔封止デバイスに対して可逆的に接続可能であり、前記吻合孔を前記血管内壁セグメントに生成するように構成された吻合孔生成デバイスをさらに含み、該吻合孔生成デバイスが、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、前記可撓性チューブの可逆的な通過を容易にするように構成されており、
前記内側アセンブリが、遠位方向案内運動によって、前記血管内壁セグメントにおける前記ニードルサイズの孔を外傷なく通過し、近位方向案内運動によって、前記血管内壁セグメントを通る前記吻合孔を生成し、さらなる近位方向案内運動によって、前記血管内壁セグメントを通るように生成された前記吻合孔から出るように構成された管状吻合孔生成部材が構成された遠位端部を有しており、
前記孔形成アクチュエータが、
管状の外側アセンブリと、
前記外側アセンブリよりも長い管状の内側アセンブリであり、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有し、前記吻合孔生成デバイスに対して可逆的に接続可能な円形溝として構成された遠位端を有する、管状の内側アセンブリと、
を備え、
前記外側アセンブリが、外側アセンブリおよび前記内側アセンブリの前記直線平行移動可能かつ摺動可能な相対運動を容易にする一対の対向して位置決めされた手動制御可能なガイド部材が構成された近位端部を有しており、
前記外側アセンブリが、前記内側アセンブリの円形溝の遠位端の前記吻合孔生成デバイスへの前記可逆的な接続を容易にする一対の対向して位置決めされた手動制御可能なコネクタ部材が構成された遠位端部を有し、
前記方法は、さらに、
前記血流のない状態で、前記周りにおいて封止された血管内壁セグメントを通る前記吻合孔の生成前、生成中、および生成後に、前記装置を動作させて前記周辺シールを確立および維持すること、
を含む、方法。
【請求項７０】
吻合孔を血管内壁セグメントに形成する方法であって、
前記吻合孔を形成する対象者の血管を選択することと、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、可撓性チューブまたはワイヤの可逆的な通過を容易にするように構成されており、
前記内側アセンブリが、遠位方向案内運動によって、前記血管内壁セグメントにおけるニードルサイズの孔を外傷なく通過し、近位方向案内運動によって、前記血管内壁セグメントを通る吻合孔を生成し、さらなる近位方向案内運動によって、前記血管内壁セグメントを通るように生成された前記吻合孔から出るように構成された管状吻合孔生成部材が構成された遠位端部を有する、
吻合孔生成デバイスを提供することと、
前記吻合孔生成デバイスを動作させて、前記吻合孔を前記対象者の血管の前記血管内壁セグメントに生成することと、
を含む、方法。
【請求項７１】
外科的血管吻合を実行する方法であって、
前記外科的血管吻合を実行する対象者の血管を選択することと、
前記対象者の血管の前記外科的血管吻合の実行に使用する血管移植片を提供することと、
前記対象者に対する外科的血管吻合術の実行に使用する装置を提供すること、とを含み、前記装置が、
前記血管の血管腔の内側でその内壁セグメントに沿って、血流のない血管内壁セグメントにおけるニードルサイズの孔の周りの周辺シールを外傷なく確立して維持するとともに、前記血流のない状態で、前記周りにおいて封止された血管内壁セグメントを通る吻合孔を形成するように構成された血管内壁封止・孔形成デバイスと、前記血管内壁封止・孔形成デバイスに対して可逆的に接続可能であり、前記血管内壁封止・孔形成デバイスを動作させるように構成された孔形成アクチュエータと、を備え、
前記血管内壁封止・孔形成デバイスが、前記周辺シールを外傷なく確立するように構成された孔封止デバイスを含み、該孔封止デバイスが、
可逆的に拡張可能な非作動の潰れた構成および可逆的に潰れ可能な作動した自己拡張構成を有する孔封止アセンブリと、
前記非作動の潰れた構成の前記孔封止アセンブリを外部から完全に覆い、密に嵌合し、保持するシースであり、前記潰れた孔封止アセンブリによって、前記血管内壁セグメントに沿って前記ニードルサイズの孔を通過することにより、前記血管腔に外傷なく完全に進入するように構成された、シースと、
前記シースに対して動作可能に接続され、前記孔封止アセンブリおよび前記シースの手動制御を容易にするように構成された手動孔封止コントローラアセンブリと、
前記シースの内側遠位端に固定接続された遠位端および前記手動孔封止コントローラアセンブリの内側遠位部に固定接続された近位部を有し、前記シースの運動および位置決めならびに前記孔封止アセンブリの可逆的な作動を制御するように構成された可撓性制御ワイヤと、
前記可撓性制御ワイヤの運動を包囲、保持、およびガイドする可撓性チューブと、
を備え
前記血管内壁封止・孔形成デバイスが、前記孔封止デバイスに対して可逆的に接続可能であり、前記吻合孔を前記血管内壁セグメントに生成するように構成された吻合孔生成デバイスをさらに含み、該吻合孔生成デバイスが、
長手方向全長に沿って延びた外側アセンブリ中心管状空洞を有する管状の外側アセンブリと、
長手方向全長に沿って延びた内側アセンブリ中心管状空洞を有する管状の内側アセンブリと、
を備え、
前記内側アセンブリが、前記外側アセンブリよりも長く、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有しており、
前記外側アセンブリおよび前記内側アセンブリの中心管状空洞が、前記可撓性チューブの可逆的な通過を容易にするように構成されており、
前記内側アセンブリが、遠位方向案内運動によって、前記血管内壁セグメントにおける前記ニードルサイズの孔を外傷なく通過し、近位方向案内運動によって、前記血管内壁セグメントを通る前記吻合孔を生成し、さらなる近位方向案内運動によって、前記血管内壁セグメントを通るように生成された前記吻合孔から出るように構成された管状吻合孔生成部材が構成された遠位端部を有しており、
前記孔形成アクチュエータが、
管状の外側アセンブリと、
前記外側アセンブリよりも長い管状の内側アセンブリであり、前記外側アセンブリおよび内側アセンブリがその同心長手方向軸に沿って互いに、遠位方向および近位方向に前後に直線平行移動可能かつ摺動移動可能となるように、前記外側アセンブリにより同心状に囲まれ、前記外側アセンブリ内に沿って密に嵌合する部分を有し、前記吻合孔生成デバイスに対して可逆的に接続可能な円形溝として構成された遠位端を有する、管状の内側アセンブリと、
を備え、
前記外側アセンブリが、前記外側アセンブリおよび前記内側アセンブリの前記直線平行移動可能かつ摺動可能な相対運動を容易にする一対の対向して位置決めされた手動制御可能なガイド部材が構成された近位端部を有しており、
前記外側アセンブリが、前記内側アセンブリの円形溝の遠位端の前記吻合孔生成デバイスへの前記可逆的な接続を容易にする一対の対向して位置決めされた手動制御可能なコネクタ部材が構成された遠位端部を有し、
前記方法は、さらに、
前記血流のない状態で、前記周りにおいて封止された血管内壁セグメントを通る前記吻合孔の生成前、生成中、および生成後に、前記装置を動作させて前記周辺シールを確立および維持することと、
前記選択した対象者の血管に対する前記血管移植片の吻合を実行することと、
を含む、方法。
【請求項７２】
外科的血管吻合術の実行に使用する方法であって、
外科的血管吻合術を実行する対象者の血管を選択することと、
前記血管の血管内壁セグメントに沿って位置する吻合部位において、小さなニードルサイズの孔を前記血管に作成することと、
前記ニードルサイズの孔を通じて、非作動の潰れた構成の孔封止アセンブリを外部から完全に覆い、密に嵌合し、保持するシースを前記血管の管腔に挿入することと、
前記シースを前記孔封止アセンブリから除去して、前記非作動の潰れた構成から作動した自己拡張構成となるように前記孔封止アセンブリを作動させるとともに、前記血管内壁セグメントの血管内壁と反対方向に前記作動された孔封止アセンブリを引いて、血流のない前記血管内壁セグメントの周りの周辺シールを外傷なく確立して維持することと、
前記血流のない状態で、吻合孔生成部材を前記ニードルサイズの孔に挿通することと、
前記血流のない状態で、前記周りにおいて封止された血管内壁セグメントを通じて前記吻合孔生成部材を引き戻すとともに、前記吻合孔生成部材を前記血管の管腔から除去して、前記周りにおいて封止された血管内壁セグメントを通る吻合孔を外傷なく生成することと、
を含む、方法。
【請求項７３】
小さなニードルサイズの孔を前記血管に作成することが、およそ０．８ｍｍ〜およそ１．０ｍｍの範囲の直径を有するニードルまたはシリンジを用いて実行される、請求項７２に記載の方法。
【請求項７４】
前記シースを挿入することが、外径がおよそ２ｍｍの主部と、外径がおよそ０．６ｍｍで、前記シースの主部および前記血管における前記小さなニードルサイズの孔それぞれの前記直径よりも小さい円錐状遠位端と、を有する前記シースを用いて実行され、前記シースの主部の前記血管の管腔への進入を外傷なく容易にする、請求項７３に記載の方法。
【請求項７５】
前記吻合孔生成部材を前記ニードルサイズの孔に挿通することが、直径がおよそ１０ｍｍの前記吻合孔生成部材を用いて実行される、請求項７２に記載の方法。
【請求項７６】
前記シースを前記血管の管腔に挿入することおよび前記シースを前記孔封止アセンブリから除去することが、遠位端が前記シースの内側遠位端に固定接続された可撓性制御ワイヤを遠位方向に押すことによって実行される、請求項７２に記載の方法。
【請求項７７】
前記血管の管腔の内側において、前記シースを前記孔封止アセンブリから除去することが、前記血管の管腔の内側において、０°〜９０°の範囲の鋭角状曲率部を有するまで、前記可撓性制御ワイヤの遠位端部を押すことを含む、請求項７６に記載の方法。
【請求項７８】
前記押すことが、前記可撓性制御ワイヤの遠位端部の前記鋭角状曲率部が数ミリメートル〜数センチメートルの範囲の長さを有するまで実行される、請求項７７に記載の方法。
【請求項７９】
前記シースの前記孔封止アセンブリからの除去後に、前記シースの開放近位端が、前記血管の管腔の内側において、前記孔封止アセンブリの首部または頂点部遠位端から少なくとも数ミリメートル、最大で数センチメートルの距離にある、請求項７２に記載の方法。
【請求項８０】
前記血流のない状態で、前記血管内壁セグメントの周りの前記周辺シールを確立した後、前記周辺シールを維持しながら、前記外科的血管吻合術を開始する、請求項７２に記載の方法。
【請求項８１】
前記外科的血管吻合術が、端側血管移植式の外科的血管吻合術である、請求項７２に記載の方法。
【請求項８２】
前記選択した血管が、大動脈である、請求項７２に記載の方法。
【発明の詳細な説明】
【技術分野】
【０００１】
関連出願
本出願は、米国特許法第１１９条（ｅ）の下、２０１７年５月１日に出願された米国特許仮出願第６２／４９２，３２３号「ＡＰＰＡＲＡＴＵＳＥＳ  ＡＮＤ  ＭＥＴＨＯＤＳ  ＦＯＲ  ＦＡＣＩＬＩＴＡＴＩＮＧ  ＡＮＡＳＴＯＭＯＳＩＳ」の優先権の利益を主張するものであり、そのすべての内容が参照により本明細書に組み込まれている。
【０００２】
本発明は、そのいくつかの実施形態において、外科的血管吻合装置および方法に関し、より詳細には、外科的血管吻合術に使用する装置および方法に関するが、これらに限定されない。本発明のいくつかの実施形態は、本明細書に開示の装置および方法を用いて外科的血管吻合を実行する手順に関する。本発明のいくつかの実施形態は、冠動脈バイパス術（ＣＡＢＧ）を実行する「クランプレス」式の（端側）外科的血管吻合術での使用に特に適用可能である。
【背景技術】
【０００３】
外科的血管吻合術は、冠動脈バイパス術（ＣＡＢＧ）において採用され、血管移植片（通例、採取した静脈または動脈）の両端の吻合接続を伴う。端側式の外科的血管吻合においては、血管移植片の一端がホスト血管の側部に接続される（たとえば、縫合される）。この手順では一般的に、選択吻合位置または部位においてホスト血管壁を切断または穿刺した後、移植片端部を穿刺部周りに縫合することによって、２つの血管の管腔間の流体（血液）連通を生成する。
【０００４】
大径のホスト血管（特に、大動脈）における端側吻合は、そこを流れる血液の流量および圧力が高いことから、非常に煩雑である。従来の外科的血管吻合術には、心臓バイパス機の使用の有無に関わらず、ホスト血管壁のクランプおよび対象者の血液循環からの隔離を含む。ただし、このような外科的血管吻合術は通常、複数の考え得る重大な問題と関連する。たとえば、ホスト血管の損傷、クランプ領域に隣接する血栓の形成、石灰化形成および血管壁からのトロンビン遊離（脳に移動して神経障害を引き起こす可能性もある）が考えられる。
【０００５】
近年採用されている「クランプレス」技術に基づく外科的血管吻合術では、ホスト血管中の血流を維持しつつ、ホスト血管壁の穿刺部周りからわずかに越えた部分までを一時的に封止する周辺シールを使用する。ただし、このような手順には、特に吻合構成において、穿刺部からの深刻な血液漏出を伴う可能性があるため、心臓外科チームが吻合の追加として吻合の実行中に、穿刺部の周辺を封止する複雑で時に異例の手術行為を実行する必要がある。吻合構成時の血液漏出によって、通常は視界の妨げおよび縫合領域の視認性の低下により、血管の縫合が不十分となり得る。このため、手術助手は、吻合部位に送風機を使用して、漏出血液を除去（吹き飛ばす）ことにより、視界および縫合領域の視認性を向上させることが必要となり得る。さらに、このような手順においては、送風機がホスト血管または／および血管移植片に空気を送り込むが、内部に空気塞栓または／および閉塞が生じる可能性もある。
【０００６】
外科的血管吻合の分野における広範囲な教示および実践にも関わらず、少なくともこれに関連する上述の問題を考えるならば、外科的血管吻合術に使用する新たに改良された装置および方法を開発して実用化することが継続的に求められる。このようなニーズは、冠動脈バイパス術（ＣＡＢＧ）に採用されるクランプレス式の外科的血管吻合術に特に関連する。また、このような装置および方法を用いて外科的血管吻合を実行する新たに改良された手順を開発して実用化することも同様に求められる。
【発明の概要】
【課題を解決するための手段】
【０００７】
本発明は、そのいくつかの実施形態において、外科的血管吻合術に使用する装置および方法に関する。本発明のいくつかの実施形態は、本明細書に開示の装置および方法を用いて外科的血管吻合を実行する手順に関する。本発明のいくつかの実施形態は、冠動脈バイパス術（ＣＡＢＧ）を実行する「クランプレス」式の（端側）外科的血管吻合術での使用に特に適用可能である。
【０００８】
本発明の実施では、外科的血管吻合術、特に、冠動脈バイパス術（ＣＡＢＧ）において採用される吻合術と関連する様々な問題の少なくとも一部に対処して克服しようとする。たとえば、本発明の実施には、周辺封止吻合孔を血管内壁に外傷なく生成することによって、ホスト血管中の血流を維持しつつ吻合孔周りの周辺血液漏出を防止または最小化するクランプの使用を伴わない独自の技術（デバイスおよび方法）を含む。このように改良された技術によれば、より安全な手術条件がもたらされるとともに、心臓外科チームが吻合術の追加として吻合術の実行中に、血管の吻合孔の周辺を封止する複雑な手術行為を実行する必要性が除外または大幅に低減される。
【０００９】
本発明のいくつかの実施形態の一態様によれば、外科的血管吻合術に使用する装置であって、血管腔の内側でその内壁セグメントに沿って、血流のない血管内壁セグメントにおけるニードルサイズの孔の周りの周辺シールを外傷なく確立して維持するとともに、血流のない状態で、周辺封止血管内壁セグメントを通る吻合孔を形成するように構成された血管内壁封止・孔形成デバイスと、血管内壁封止・孔形成デバイスに対して動作可能に接続可能であり、血管内壁封止・孔形成デバイスを動作させるように構成された孔形成アクチュエータと、を備えた、装置が提供される。
【００１０】
本発明のいくつかの実施形態の一態様によれば、血管の内側でその血管内壁セグメントの周辺を封止するデバイスであって、血管内壁セグメントに沿って、血流のない周辺封止血管内壁セグメントを形成するように、血管内壁セグメントにおけるニードルサイズの孔の周りの周辺シールを外傷なく確立するように構成された孔封止アセンブリであり、非作動の潰れた構成および作動した自己拡張構成を有する、孔封止アセンブリと、非作動の潰れた構成の孔封止アセンブリを外部から完全に覆い、密に嵌合し、保持するシースであり、潰れた孔封止アセンブリによって、血管内壁セグメントに沿ってニードルサイズの孔を通過することにより、血管に外傷なく完全に進入するように構成された、シースと、シースに対して動作可能に接続され、孔封止アセンブリおよびシースを動作させるように構成された手動孔封止コントローラアセンブリと、シースおよび手動孔封止コントローラアセンブリに対して動作可能に接続され、シースを動作させるように構成された可撓性制御ワイヤと、可撓性制御ワイヤの運動を保持およびガイドするように構成された可撓性チューブと、を備えた、デバイスが提供される。
【００１１】
本発明のいくつかの実施形態の一態様によれば、血管内壁セグメントの周辺を封止するデバイスであって、ストラットを有し、自己拡張可能および潰れ可能な骨格フレームであり、自己拡張構成において、半球形状または形態を有する中間部と、鋭角のフレアまたはフレア状形状または形態を有し、近位方向に徐々に、近位端まで外方に非直線拡張または開放した短い近位端部とを含む、骨格フレームと、骨格フレームを外部から完全に覆うように構成された外部カバーと、を備えた、デバイスが提供される。
【００１２】
本発明のいくつかの実施形態の一態様によれば、吻合孔を血管内壁セグメントに生成するデバイスであって、同心長手方向軸に沿って同軸管状に成形された外側アセンブリおよび内側アセンブリを備え、内側アセンブリの遠位端部が、遠位方向案内運動によって、血管内壁セグメントにおけるニードルサイズの孔を外傷なく通過し、近位方向案内運動によって、血管内壁セグメントを通る吻合孔を生成し、さらなる近位方向案内運動によって、血管内壁セグメントを通るように生成された孔から出るように構成された吻合孔生成部材が構成された、デバイスが提供される。
【００１３】
本発明のいくつかの実施形態の一態様によれば、孔を血管内壁セグメントに形成するのに使用するデバイスであって、同心長手方向軸に沿って同軸管状に成形された外側アセンブリおよび内側アセンブリを備え、内側アセンブリが外側アセンブリよりも長く、外側アセンブリが、外側アセンブリおよび内側アセンブリの直線平行移動可能な相対運動を容易にする一対の対向して位置決めされた手動制御可能なガイド部材が構成された近位端部を有し、外側アセンブリが、一対の対向して位置決めされた手動制御可能なコネクタ部材が構成された遠位端部を有し、内側アセンブリが、円形溝として構成された遠位端を有する、デバイスが提供される。
【００１４】
本発明のいくつかの実施形態の一態様によれば、外科的血管吻合術に使用する医療デバイスキットであって、血管腔の内側でその内壁セグメントに沿って、血流のない血管内壁セグメントにおけるニードルサイズの孔の周りの周辺シールを外傷なく確立して維持するとともに、血流のない状態で、周辺封止血管内壁セグメントを通る吻合孔を形成するように構成された血管内壁封止・孔形成デバイスと、を備えた、医療キットが提供される。
【００１５】
本発明のいくつかの実施形態によれば、医療デバイスキットは、血管内壁封止・孔形成デバイスに対して動作可能に接続可能であり、血管内壁封止・孔形成デバイスを動作させるように構成された孔形成アクチュエータをさらに備える。
【００１６】
本発明のいくつかの実施形態の一態様によれば、外科的血管吻合術に使用する医療デバイスキットであって、血管腔の内側でその内壁セグメントに沿って、血流のない血管内壁セグメントにおけるニードルサイズの孔の周りの周辺シールを外傷なく確立して維持するとともに、血流のない状態で、周辺封止血管内壁セグメントを通る吻合孔を形成するように構成された血管内壁封止・孔形成デバイスと、血管内壁封止・孔形成デバイスに対して動作可能に接続可能であり、血管内壁封止・孔形成デバイスを動作させるように構成された孔形成アクチュエータと、吻合孔を血管内壁セグメントに生成するように構成された吻合孔生成デバイスと、を備えた、医療キットが提供される。
【００１７】
本発明のいくつかの実施形態の一態様によれば、外科的血管吻合術に使用する方法であって、外科的血管吻合術に使用する装置であり、血管腔の内側でその内壁セグメントに沿って、血流のない血管内壁セグメントにおけるニードルサイズの孔の周りの周辺シールを外傷なく確立して維持するとともに、血流のない状態で、周辺封止血管内壁セグメントを通る吻合孔を形成するように構成された血管内壁封止・孔形成デバイスと、血管内壁封止・孔形成デバイスに対して動作可能に接続可能であり、血管内壁封止・孔形成デバイスを動作させるように構成された孔形成アクチュエータと、吻合孔を血管内壁セグメントに生成するように構成された吻合孔生成デバイスと、を備えた、装置を用意することと、血流のない状態で、周辺封止血管内壁セグメントを通る吻合孔の生成前、生成中、および生成後に、装置を動作させて周辺シールを確立および維持することと、を含む、方法が提供される。
【００１８】
本発明のいくつかの実施形態の一態様によれば、吻合孔を血管内壁セグメントに生成する方法であって、同心長手方向軸に沿って同軸管状に成形された外側アセンブリおよび内側アセンブリを備え、内側アセンブリの遠位端部が、遠位方向案内運動によって、血管内壁セグメントにおけるニードルサイズの孔を外傷なく通過し、近位方向案内運動によって、血管内壁セグメントを通る吻合孔を生成し、さらなる近位方向案内運動によって、血管内壁セグメントを通るように生成された孔から出るように構成された吻合孔生成部材が構成された、デバイスを用意することと、デバイスを動作させて、吻合孔を血管内壁セグメントに生成することと、を含む、方法が提供される。
【００１９】
本発明のいくつかの実施形態の一態様によれば、外科的血管吻合を実行する方法であって、外科的血管吻合術に使用する装置であり、血管腔の内側でその内壁セグメントに沿って、血流のない血管内壁セグメントにおけるニードルサイズの孔の周りの周辺シールを外傷なく確立して維持するとともに、血流のない状態で、周辺封止血管内壁セグメントを通る吻合孔を形成するように構成された血管内壁封止・孔形成デバイスと、血管内壁封止・孔形成デバイスに対して動作可能に接続可能であり、血管内壁封止・孔形成デバイスを動作させるように構成された孔形成アクチュエータと、吻合孔を血管内壁セグメントに生成するように構成された吻合孔生成デバイスと、を備えた、装置を用意することと、血流のない状態で、周辺封止血管内壁セグメントを通る吻合孔の生成前、生成中、および生成後に、装置を動作させて周辺シールを確立および維持することと、装置の動作後、血管に対する血管移植片の吻合を実行することと、を含む、方法が提供される。
【００２０】
本明細書において使用するすべての技術的または／および科学的単語、用語、または／および表現は、本明細書における別段の具体的な定義または記述のない限り、本発明が関連する技術分野の当業者が通常理解するのと同一または同様の意味を有する。本明細書において例示的に記載する方法（ステップ、手順）、装置（デバイス、システム、これらの構成要素）、機器、および材料は、例示および説明を目的としているに過ぎず、必ずしも限定的なものではない。本発明の実施形態の実現または／および試験においては、本明細書に記載したものと同等または類似の方法、装置、機器、および材料を使用可能であるが、以下では、説明を目的として、例示的な方法、装置、機器、および材料を記載する。矛盾する場合は、定義を含めて、本特許明細書が優先する。
【００２１】
本明細書においては、添付の図面を参照しつつ、本発明のいくつかの実施形態を一例として説明する。以下、図面を具体的に詳しく参照するが、図示の詳細は、一例であって、本発明のいくつかの実施形態の例示的な説明を目的としたものであることを強調する。この点において、添付の図面と併せた説明により、本発明のいくつかの実施形態の実現方法が当業者には明らかとなり得る。
【図面の簡単な説明】
【００２２】
【図１】本発明のいくつかの実施形態に係る、それぞれ例示的な非作動および作動構成の血管内壁（ＢＶＩＷ）封止・孔形成デバイスおよび孔形成アクチュエータを備えた外科的血管吻合術に使用する装置（全体）の例示的な一実施形態の模式斜視図である。
【図２】本発明のいくつかの実施形態に係る、それぞれ例示的な非作動および作動構成の血管内壁（ＢＶＩＷ）封止・孔形成デバイスおよび孔形成アクチュエータを備えた外科的血管吻合術に使用する装置（全体）の例示的な一実施形態の模式斜視図である。
【図３】本発明のいくつかの実施形態に係る、孔封止デバイスの例示的な一実施形態の模式分解斜視図である。
【図４Ａ】本発明のいくつかの実施形態に係る、シースおよび吻合孔生成デバイスの構成要素および構造的／機能的特徴を強調した、装置（全体）の遠位端部の例示的な一実施形態の模式側面図である。
【図４Ｂ】本発明のいくつかの実施形態に係る、シースおよび吻合孔生成デバイスの構成要素および構造的／機能的特徴を強調した、装置（全体）の遠位端部の例示的な一実施形態の模式側面断面図である。
【図５Ａ】本発明のいくつかの実施形態に係る、シースの孔封止アセンブリからの非直線状遠位方向案内除去および分離によって、血管腔における可撓性制御ワイヤの遠位部の曲率部形成をさらに強調した、（作動構成の）装置（全体）の例示的な一実施形態の模式側面図である。
【図５Ｂ】本発明のいくつかの実施形態に係る、シースの孔封止アセンブリからの非直線状遠位方向案内除去および分離によって、血管腔における可撓性制御ワイヤの遠位部の曲率部形成をさらに強調した、（作動構成の）装置（全体）の例示的な一実施形態の模式側面図である。
【図６】本発明のいくつかの実施形態に係る、孔封止デバイスの手動孔封止コントローラアセンブリの構成要素および構造的／機能的特徴を強調した、装置（全体）の近位端部の例示的な一実施形態の模式側面図である。
【図７】本発明のいくつかの実施形態に係る、孔封止デバイスの別の例示的な手動コントローラの構成要素および構造的／機能的特徴を強調した、装置（全体）の近位端部の例示的な一実施形態の模式側面図である。
【図８Ａ】本発明のいくつかの実施形態に係る、孔封止アセンブリ（孔封止デバイスの一部）の例示的な一実施形態の模式側面図である。
【図８Ｂ】本発明のいくつかの実施形態に係る、別の例示的な孔封止アセンブリの例示的な一実施形態の模式側面図である。
【図９Ａ】本発明のいくつかの実施形態に係る、非作動（非駆動）構成の吻合孔生成デバイス（ＢＶＩＷ封止・孔形成デバイスの一部）の例示的な一実施形態の模式側面図である。
【図９Ｂ】本発明のいくつかの実施形態に係る、非作動（非駆動）構成の吻合孔生成デバイス（ＢＶＩＷ封止・孔形成デバイスの一部）の例示的な一実施形態の側面断面図である。
【図９Ｃ】本発明のいくつかの実施形態に係る、吻合孔生成デバイス（ＢＶＩＷ封止・孔形成デバイスの一部）の例示的な一実施形態の模式斜視図である。
【図９Ｄ】本発明のいくつかの実施形態に係る、吻合孔生成デバイス（ＢＶＩＷ封止・孔形成デバイスの一部）の例示的な一実施形態の分解斜視図である。
【図１０Ａ】本発明のいくつかの実施形態に係る、非作動（非駆動）構成の孔形成アクチュエータを備えた吻合孔生成デバイス（ＢＶＩＷ封止・孔形成デバイスの一部）の例示的な一実施形態の模式上面図である。
【図１０Ｂ】本発明のいくつかの実施形態に係る、非作動（非駆動）構成の孔形成アクチュエータを備えた吻合孔生成デバイス（ＢＶＩＷ封止・孔形成デバイスの一部）の例示的な一実施形態の上面断面図である。
【図１０Ｃ】本発明のいくつかの実施形態に係る、作動（駆動）構成の孔形成アクチュエータを備えた吻合孔生成デバイスの例示的な一実施形態の模式上面図である。
【図１０Ｄ】本発明のいくつかの実施形態に係る、作動（駆動）構成の孔形成アクチュエータを備えた吻合孔生成デバイスの例示的な一実施形態の上面断面図である。
【図１１Ａ】本発明のいくつかの実施形態に係る、組み立て（非作動／非駆動）構成の外側および内側アセンブリを強調した、孔形成アクチュエータの例示的な一実施形態の模式上面図である。
【図１１Ｂ】本発明のいくつかの実施形態に係る、組み立て構成（非作動（非駆動）構成および作動（駆動）構成も示す）の外側および内側アセンブリを強調した、孔形成アクチュエータの例示的な一実施形態の模式側面図である。
【図１１Ｃ】本発明のいくつかの実施形態に係る、非作動（非駆動）構成の図１１Ｂの孔形成アクチュエータの例示的な実施形態の模式斜視図である。
【図１１Ｄ】本発明のいくつかの実施形態に係る、非作動（非駆動）構成の図１１Ｂの孔形成アクチュエータの例示的な実施形態の模式斜視図である。
【図１２Ａ】本発明のいくつかの実施形態に係る、非組み立て構成の個々の外側および内側アセンブリ（内側アセンブリが例示的な摺動式のカバーを有する）を強調した、孔形成アクチュエータの例示的な一実施形態の模式上面図である。
【図１２Ｂ】本発明のいくつかの実施形態に係る、非組み立て構成の個々の外側および内側アセンブリ（内側アセンブリが例示的な摺動式のカバーを有する）を強調した、孔形成アクチュエータの例示的な一実施形態の模式側面図である。
【図１３Ａ】本発明のいくつかの実施形態に係る、非組み立て構成の個々の外側および内側アセンブリ（内側アセンブリが例示的なねじ込み式のカバーを有する）を強調した、孔形成アクチュエータの別の例示的な実施形態の模式上面図である。
【図１３Ｂ】本発明のいくつかの実施形態に係る、非組み立て構成の個々の外側および内側アセンブリ（内側アセンブリが例示的なねじ込み式のカバーを有する）を強調した、孔形成アクチュエータの別の例示的な実施形態の模式側面図である。
【図１４】本発明のいくつかの実施形態に係る、装置の固定・アンカリングアセンブリの使用を強調した、例示的な血管吻合術［（クランプレス）冠動脈バイパス術（ＣＡＢＧ）］を実行する装置（全体）の（簡素化された）「一般」型を使用する例示的な一実施形態を示した模式図である。
【図１５】本発明のいくつかの実施形態に係る、別の例示的な装置の固定・アンカリングアセンブリの使用を強調した、例示的な血管吻合術［（クランプレス）冠動脈バイパス術（ＣＡＢＧ）］を実行する装置（全体）の別の（簡素化された）「一般」型を使用する例示的な一実施形態を示した模式図である。
【図１６Ａ】本発明のいくつかの実施形態に係る、別の例示的な装置の固定・アンカリングアセンブリの使用を強調した、例示的な血管吻合術（（クランプレス）冠動脈バイパス術（ＣＡＢＧ））を実行する装置（全体）の別の（簡素化された）「一般」型を使用する例示的な一実施形態を示した模式図である。
【図１６Ｂ】本発明のいくつかの実施形態に係る、別の例示的な装置の固定・アンカリングアセンブリの使用を強調した、例示的な血管吻合術（（クランプレス）冠動脈バイパス術（ＣＡＢＧ））を実行する装置（全体）の別の（簡素化された）「一般」型を使用する例示的な一実施形態を示した模式図である。
【図１７】本発明のいくつかの実施形態に係る、（ｉ）孔封止デバイス、（ｉｉ）吻合孔生成デバイス、および任意選択としての（ｉｉｉ）（吻合孔生成デバイスに接続されていない）孔形成アクチュエータを備えた医療デバイスキットの例示的な一実施形態の模式斜視図である。
【図１８】本発明のいくつかの実施形態に係る、（ｉ）孔封止デバイス、（ｉｉ）吻合孔生成デバイス、および（ｉｉｉ）（吻合孔生成デバイスに接続された）孔形成アクチュエータを備えた医療デバイスキットの例示的な一実施形態の模式斜視図である。
【図１９Ａ】本発明のいくつかの実施形態に係る、外科的血管吻合術に使用する装置（および、その構成要素）を実装する順次ステップ（手順）の例示的な一実施形態の模式図である。
【図１９Ｂ】本発明のいくつかの実施形態に係る、外科的血管吻合術に使用する装置（および、その構成要素）を実装する順次ステップ（手順）の例示的な一実施形態の模式図である。
【図１９Ｃ】本発明のいくつかの実施形態に係る、外科的血管吻合術に使用する装置（および、その構成要素）を実装する順次ステップ（手順）の例示的な一実施形態の模式図である。
【図１９Ｄ】本発明のいくつかの実施形態に係る、外科的血管吻合術に使用する装置（および、その構成要素）を実装する順次ステップ（手順）の例示的な一実施形態の模式図である。
【図１９Ｅ】本発明のいくつかの実施形態に係る、外科的血管吻合術に使用する装置（および、その構成要素）を実装する順次ステップ（手順）の例示的な一実施形態の模式図である。
【図１９Ｆ】本発明のいくつかの実施形態に係る、外科的血管吻合術に使用する装置（および、その構成要素）を実装する順次ステップ（手順）の例示的な一実施形態の模式図である。
【図１９Ｇ】本発明のいくつかの実施形態に係る、外科的血管吻合術に使用する装置（および、その構成要素）を実装する順次ステップ（手順）の例示的な一実施形態の模式図である。
【図１９Ｈ】本発明のいくつかの実施形態に係る、外科的血管吻合術に使用する装置（および、その構成要素）を実装する順次ステップ（手順）の例示的な一実施形態の模式図である。
【図１９Ｉ】本発明のいくつかの実施形態に係る、外科的血管吻合術に使用する装置（および、その構成要素）を実装する順次ステップ（手順）の例示的な一実施形態の模式図である。
【図１９Ｊ】本発明のいくつかの実施形態に係る、外科的血管吻合術に使用する装置（および、その構成要素）を実装する順次ステップ（手順）の例示的な一実施形態の模式図である。
【図１９Ｋ】本発明のいくつかの実施形態に係る、外科的血管吻合術に使用する装置（および、その構成要素）を実装する順次ステップ（手順）の例示的な一実施形態の模式図である。
【発明を実施するための形態】
【００２３】
本発明は、そのいくつかの実施形態において、外科的血管吻合術に使用する装置および方法に関する。本発明のいくつかの実施形態は、本明細書に開示の装置および方法を用いて外科的血管吻合を実行する手順に関する。本発明のいくつかの実施形態は、冠動脈バイパス術（ＣＡＢＧ）を実行する「クランプレス」式の（端側）外科的血管吻合術での使用に特に適用可能である。
【００２４】
本発明の実施では、外科的血管吻合術、特に、冠動脈バイパス術（ＣＡＢＧ）において採用される吻合術と関連する様々な問題の少なくとも一部に対処して克服しようとする。たとえば、本発明の実施には、周辺封止吻合孔を血管内壁に外傷なく生成することによって、ホスト血管中の血流を維持しつつ吻合孔周りの周辺血液漏出を防止または最小化するクランプの使用を伴わない独自の技術（デバイスおよび方法）を含む。このように改良された技術によれば、より安全な手術条件がもたらされるとともに、心臓外科チームが吻合術の追加として吻合術の実行中に、血管の吻合孔の周辺を封止する複雑な手術行為を実行する必要性が除外または大幅に低減される。
【００２５】
本発明の例示的な実施形態のより深い理解を目的として、以下の例示的な説明では、図面（図１〜図１９）を参照する。以下の説明および添付の図面の全体を通して、同じ参照番号は、同じ装置、構成要素、要素、または特徴を表す。また、説明全体を通して、標準的な用語「近位（ｐｒｏｘｉｍａｌ）」および「遠位（ｄｉｓｔａｌ）」は、相対的な場所および方向を示すのに用いる。明瞭化および一貫性のため、これらの同じ用語は、各図面においても現れる。本明細書に開示の装置（および、その構成要素）の例示的な構成材料および構成要素のサイズ寸法については、開示の発明の提示の明瞭性を損なわないように、本説明の終わりごろに別途示す。
【００２６】
本発明は必ずしも、以下の例示的な説明に示す例示的な装置または／およびデバイスの構成要素の構成または／および配置の特定の詳細にも、例示的な方法のステップまたは手順の如何なる特定の順序にも用途が限定されないことが了解されるものとする。また、本発明は必ずしも、外科的血管吻合術での使用に用途が限定されない。本発明は、他の例示的な実施形態が可能であるとともに、様々な医療用途において、様々な実施または実行が可能である。
【００２７】
本発明は、その例示的な実施形態において、（少なくとも）外科的血管吻合術に使用する装置、血管内壁セグメントを封止するとともに孔を形成するデバイス、血管内壁セグメントの周辺を封止するデバイス、吻合孔を血管内壁セグメントに生成するデバイス、孔を血管内壁セグメントに形成するのに使用するデバイス、外科的血管吻合術に使用する医療デバイスキット、外科的血管吻合術に使用する方法、吻合孔を血管内壁セグメントに形成する方法、外科的血管吻合を実行する方法といった態様を含む。
【００２８】
本発明のある態様の特性および技術的特徴の例示的な説明が、他の態様の特性および技術的特徴の例示的な説明にも関連しており、十分に適用可能である点において、本発明の複数の態様は、非限定的に相互関連する。たとえば、外科的血管吻合術に使用する装置または装置の構成要素（たとえば、デバイス、アセンブリ）の特性および技術的特徴の例示的な説明は、本発明の１つまたは複数の他の態様（たとえば、外科的血管吻合術に使用する方法、吻合孔を血管内壁セグメントに形成する方法、または／および外科的血管吻合を実行する方法に関する１つまたは複数の態様）の特性および技術的特徴の例示的な説明にも関連しており、十分に適用可能である。
【００２９】
また、たとえば、外科的血管吻合術に使用する装置または装置の構成要素（たとえば、デバイス、アセンブリ）の実施形態は、外科的血管吻合術に使用する方法の実施形態の実現、吻合孔を血管内壁セグメントに形成する方法の実施形態の実現、または／および外科的血管吻合を実行する方法の実施形態の実現に対して非限定的に適している。
【００３０】
いくつかの実施形態において、外科的血管吻合術に使用する装置は、血管内壁（ＢＶＩＷ）封止・孔形成デバイス（本明細書においては、簡素化のため、ＢＶＩＷ封止・孔形成デバイスとも称する）および孔形成アクチュエータを非限定的に具備する。
【００３１】
例示的な実施形態において、血管内壁（ＢＶＩＷ）封止・孔形成デバイスは、孔封止デバイスおよび吻合孔生成デバイスを具備する。
【００３２】
例示的な実施形態において、孔封止デバイスは、孔封止アセンブリを完全に包囲して保持するシース、手動孔封止コントローラアセンブリ、および可撓性チューブに包囲されるとともに保持された可撓性制御ワイヤを具備する。
【００３３】
例示的な実施形態において、吻合孔生成デバイスは、外側アセンブリと、吻合孔生成部材を備えた内側アセンブリとを具備する。
【００３４】
例示的な実施形態において、孔形成アクチュエータは、外側アセンブリおよび内側アセンブリを具備する。
【００３５】
上掲のデバイス、アセンブリ、および部材も同様に、様々なアセンブリ、部材、および構造的特徴を含む。
【００３６】
例示的な実施形態において、外科的血管吻合術に使用する装置の複数の構成要素（すなわち、デバイス、アセンブリ、部材、およびこれらの構成要素）は、特に、それぞれの構造的および機能的／動作的特性および特徴に基づくほか、本明細書において例示的に説明する様態に基づいて、個々の「独立型」装置と非限定的に考えられる。このような個々の「独立型」（構造的および機能的／動作的）装置は、外科的血管吻合術に使用する装置（全体）の様々な「副組み合わせ」に対応する。
【００３７】
たとえば、例示的な実施形態において、ＢＶＩＷ封止・孔形成デバイスおよびその構成要素は、個々の「独立型」装置と考えられる。たとえば、例示的な実施形態において、孔封止デバイス、シース、孔封止アセンブリ、手動孔封止コントローラアセンブリ、および吻合孔生成デバイスはそれぞれ、個々の「独立型」装置と考えられる。また、たとえば、吻合孔生成部材についても、個々の「独立型」装置と考えられる。
【００３８】
たとえば、例示的な実施形態においては、孔形成アクチュエータも個々の「独立型」装置と考えられる。
【００３９】
したがって、このような個々の「独立型」（構造的および機能的／動作的）装置はそれぞれ、外科的血管吻合術に使用する装置（全体）の例示的な特定の「副組み合わせ」に対応し、これが本発明のいくつかの実施形態の別の態様に対応する。
【００４０】
ここで図面を参照して、図１および図２は、それぞれ例示的な非作動および作動構成の血管内壁（ＢＶＩＷ）封止・孔形成デバイス１０２および孔形成アクチュエータ１０４を備えた外科的血管吻合術に使用する装置（全体）（参照番号１００によって示すとともに参照される）の例示的な一実施形態の模式斜視図である。図１９Ａ〜図１９Ｋは、外科的血管吻合術に使用する装置１００（および、その構成要素）を実装する順次ステップ（手順）の例示的な実施形態の模式図である。
【００４１】
本明細書において、用語「非作動（ｎｏｎ−ａｃｔｉｖａｔｅｄ）」および「一部作動（ｐａｒｔｉａｌｌｙ  ａｃｔｉｖａｔｅｄ）」は、開示の装置の多くの構成要素および開示の方法の多くのステップ（手順）を含めて、開示の発明の種々態様の構造的および機能的（動作的）特性および特徴の明確な理解の支援を目的として使用している。
【００４２】
本明細書において使用する用語「非作動（ｎｏｎ−ａｃｔｉｖａｔｅｄ）」は、［未］「アクティブ」（すなわち、［未］作動、［未］駆動、［未］始動）の構成である構成要素またはそのような構成を有する構成要素を装置（全体）が有することを非限定的に表す。非「アクティブ」（すなわち、非作動、非駆動、非始動）の構成である装置（全体）またはそのような構成を有する装置（全体）のこのような構成要素は、たとえば外科的血管吻合術で使えるように装置（および、その構成要素）が展開された場合に、例示的に説明するすべての機能（動作）を実行する「アクティブ」（すなわち、作動、駆動、始動）になる構成となる十分な可能性および能力またはそのような構成を有する十分な可能性および能力を有する。
【００４３】
本明細書において使用する用語「一部作動（ｐａｒｔｉａｌｌｙ  ａｃｔｉｖａｔｅｄ）」は、「アクティブ」（すなわち、作動、駆動、始動）の構成であるいくつかの構成要素（もしくは、それらの構成要素）またはそのような構成を有する構成要素（もしくは、それらの構成要素）を装置（全体）が有する一方、装置（全体）の他のいくつかの構成要素（もしくは、それらの構成要素）が［未］「アクティブ」（すなわち、［未］作動、［未］駆動、［未］始動）の構成であるか、またはそのような構成を有することを非限定的に表す。このような「非アクティブ」の構成要素は、たとえば外科的血管吻合術で使えるように装置（および、その構成要素）が展開された場合に、例示的に説明するすべての機能（動作）を実行する「アクティブ」（すなわち、作動、駆動、始動）になる構成となる十分な可能性および能力またはそのような構成を有する十分な可能性および能力を有する。
【００４４】
血管内壁（ＢＶＩＷ）封止・孔形成デバイス
血管内壁（ＢＶＩＷ）封止・孔形成デバイス１０２（以下、簡素化のため、ＢＶＩＷ封止・孔形成デバイス１０２とも称する）は、（ｉ）血管腔の内側でその内壁セグメントに沿って、血流のない周辺封止血管内壁セグメントを形成するように、（たとえば、ニードルまたはシリンジを用いて手動で）血管内壁セグメントに作成された小さな孔［すなわち、非切開］の周りの周辺シールを外傷なく確立すること（たとえば、図５Ｂ、図１９Ｃ、および図１９Ｄに示す）と、（ｉｉ）血流のない状態で、周辺封止血管内壁セグメントを維持することと、（ｉｉｉ）血流のない状態で、周辺封止血管内壁セグメントを通る吻合孔を形成（生成）すること（たとえば、図１９Ｅ〜図１９Ｇに示す）と、を行うように構成されている。ＢＶＩＷ封止・孔形成デバイス１０２は、孔封止デバイス１０６（図１、図２、および後続の図面では、１０６ｄおよび１０６ｐとも称する）および吻合孔生成デバイス１０８を具備する。
【００４５】
たとえば、関連する相対サイズ（寸法）の一部の桁数の適当な基準点またはガイドラインを提供するため、例示的な血管が、外科的血管吻合術（たとえば、端側式の外科的血管吻合術）に使用する装置１００の展開用に選択された大動脈である場合は、たとえば同じ直径のニードルまたはシリンジを用いて手動で作成された例示的な小孔がおよそ０．８〜１．０ミリメートル（ｍｍ）の直径を有する。このような例において、血管内壁セグメント周りの周辺シールは、およそ１４〜１６ミリメートル（ｍｍ）の直径を有し、血流のない状態で周辺封止血管内壁セグメントを通るように形成（生成）された吻合孔は、およそ４〜５ミリメートル（ｍｍ）の直径を有する。したがって、血管内壁セグメント周りの周辺シールの直径（およそ１４〜１６ｍｍ）は、周辺封止血管内壁セグメントを通るように形成（生成）された吻合孔の直径（およそ４〜５ｍｍ）のおよそ３〜４倍である。
【００４６】
孔封止デバイス
ＢＶＩＷ封止・孔形成デバイス１０２の主要構成要素である孔封止デバイス１０６は、血管腔の内側において、血管内壁セグメントの周辺を血流から封止することにより、血管腔の内側において、血流のない周辺封止血管内壁セグメントを形成するように構成されている。
【００４７】
孔封止デバイス１０６は、シース１１０、孔封止アセンブリ１１２、手動孔封止コントローラアセンブリ１１４、可撓性制御ワイヤ１２８、および可撓性チューブ１３０を具備する。
【００４８】
図１および図２に示すように、孔封止デバイス１０６は、遠位部１０６ｄおよび近位部１０６ｐを含み、これらが一体となって、シース１１０、孔封止アセンブリ１１２、手動孔封止コントローラアセンブリ１１４、可撓性制御ワイヤ１２８、および可撓性チューブ１３０を含むとともに包含する。また、図２は、孔封止デバイス１０６の遠位部１０６ｄにおいて可撓性チューブ１３０上に位置決め（搭載）されることにより、吻合孔生成デバイス１０８が孔封止デバイスの遠位部１０６ｄにある状態を示している。
【００４９】
シースおよび孔封止アセンブリ
孔封止デバイスの遠位部１０６ｄには、非作動の潰れた構成の孔封止アセンブリ１１２を完全に包囲して保持するシース（カバーまたはケース）１１０を含む。非作動の潰れた構成の孔封止アセンブリ１１２は、シース１１０の内側に存在し、参照番号１１２の破線矢印で示す通りであるが、図１では不可視である。作動した自己拡張構成の孔封止アセンブリ１１２の例示的な実施形態については、図２、図３、図５Ａ、図５Ｂ、および図８Ａに示すとともに、以下により詳しく説明する。
【００５０】
シース１１０は、（ｉ）非作動の潰れた構成の孔封止アセンブリ１１２を外部から覆い、密に嵌合し、完全に包囲し、保持することと、（ｉｉ）（潰れた孔封止アセンブリ１１２によって）（たとえば、ニードルまたはシリンジを用いて医療従事者により）血管内壁セグメントに沿って血管壁を通るように（前もって）作成された小さな孔［すなわち、非切開］を通過することにより、外傷なく完全に血管腔に進入することと、を行うように構成されている（図４Ｂ、図１９Ａ、および図１９Ｂ）。
【００５１】
例示的な実施形態において、シース１１０は、近位端１１０ｐｅが開放された主部１１０ｍと、遠位端（すなわち、テーパ状先端部または頂点部）１１０ｄｅが閉鎖された円錐状（すなわち、錐体または円錐形状）の遠位端部１１０ｄとを有する管状部材として構成されている。このような例示的な実施形態において、シース１１０の円錐状遠位端１１０ｄｅは、シース１１０の主部１１０ｍの外径よりも小さな最大外径を有する。例示的な実施形態において、シースの円錐状遠位端１１０ｄｅは、血管内壁セグメントに沿って血管壁を通るように（前もって）作成された小さな孔の直径よりも小さな最大外径を有する。
【００５２】
たとえば遠位端１１０ｄｅにおけるシースの遠位端部１１０ｄの内側は、シース１１０の運動および位置決めならびに孔封止アセンブリ１１２の作動（駆動）を制御する可撓性制御ワイヤ１２８の遠位端に固定接続されている。非作動の潰れた構成の孔封止アセンブリ１１２の場合（図１）は、（可撓性制御ワイヤ１２８を包囲して保持する）可撓性チューブ１３０がシースの開放近位端１１０ｐｅから近位方向に現れる。作動した自己拡張構成の孔封止アセンブリ１１２の場合（図２）は、（可撓性チューブ１３０から遠位方向に移動した）可撓性制御ワイヤ１２８がシースの開放近位端１１０ｐｅから近位方向に現れる。
【００５３】
シースの円錐状遠位端部１１０ｄ（閉鎖遠位端［テーパ状先端部または頂点部］１１０ｄｅを伴う）は、上記（ｉｉ）すなわち（潰れた孔封止アセンブリ１１２によって）血管内壁セグメントに沿って血管壁を通るように作成された小さな（ニードルまたはシリンジサイズの）孔を通過することにより、外傷なく完全に血管腔に進入することを実行する上で非常に効果的である。たとえば、端側ＣＡＢＧ外科的血管吻合術を実行する場合は、およそ０．８ミリメートル（ｍｍ）〜１．０ミリメートル（ｍｍ）の範囲の直径を有するニードルまたはシリンジを用いて大動脈壁に小さな孔［すなわち、非切開］が作成されることで、この小孔が同様の直径を有することになる。例示的なシース１１０は、外径がおよそ２ミリメートル（ｍｍ）の主部１１０ｍと、外径がおよそ０．６ミリメートル（ｍｍ）で、シースの主部１１０ｍ（２ｍｍ）および小さな（ニードルまたはシリンジサイズの）孔（０．８〜１．０ｍｍ）それぞれの直径よりも小さい円錐状遠位端１１０ｄｅとを有する。以上から、可撓性制御ワイヤ１２８の近位−遠位（押し込み）運動によって、（直径がおよそ０．６ｍｍの）シースの円錐状遠位端１１０ｄｅは、（直径がおよそ０．８〜１．０ｍｍの）小さな（ニードルまたはシリンジサイズの）孔を容易に通過することにより、（直径がおよそ２ｍｍの）シースの主部１１０ｍの大動脈管腔への進入を外傷なく容易にする。
【００５４】
孔封止アセンブリ１１２は、（ｉ）血管腔の内側でその内壁セグメントに沿って、血流のない周辺封止血管内壁セグメントを形成するように、（たとえば、ニードルまたはシリンジによって）血管内壁セグメントに作成された小さな孔［すなわち、非切開］の周りの周辺シールを外傷なく確立すること（たとえば、図５Ｂ、図１９Ｃ、および図１９Ｄに示す）と、（ｉｉ）血流のない状態で、周辺封止血管内壁セグメントを維持すること（たとえば、図１９Ｅ〜図１９Ｇに示す）とを行うように構成されている。
【００５５】
孔封止アセンブリ１１２は、血流のない状態でのＢＶＩＷ封止・孔形成デバイス１０２による（孔封止デバイス１０６および吻合孔生成デバイス１０８を介した）周辺封止血管内壁セグメントを通る吻合孔（たとえば、およそ４〜５ミリメートル（ｍｍ）の直径を有する）の形成（生成）前、形成（生成）中、および形成（生成）後に、血流のない状態で、周辺封止血管内壁セグメントを外傷なく維持する。このような孔封止アセンブリ１１２の構造的および機能的特性および特徴により、選択した血管の血管腔の内側において外科的血管吻合術を実行する上で、血管内壁セグメントの周辺を囲む非常に望ましい外傷なき「無血流」局所環境がもたらされる。
【００５６】
例示的な実施形態において、孔封止アセンブリ１１２は、対応する潰れた構成および自己拡張構成を有することと併せて、可逆的に潰れ可能および自己拡張可能である（すなわち、潰れ可能、自己拡張可能、再潰れ可能など）。孔封止アセンブリ１１２は、自己拡張可能および潰れ可能な特性を孔封止アセンブリ１１２に与える可撓性の弾性材料（たとえば、可撓性の弾性金属、プラスチック、合成ポリマー、複合材、または／および同様の種類の材料）で構成されている。孔封止アセンブリ１１２は、閉じた（潰れた）傘の上部と同様の非作動の潰れた構成を有する。孔封止アセンブリ１１２は、開いた（拡張した）傘の上部と同様の作動した自己拡張構成を有する。孔封止アセンブリ１１２は、非作動の潰れた構成から作動した自己拡張構成へと自己拡張可能に構成されている。具体的に、孔封止アセンブリ１１２は、シース１１０に包囲されて保持されることにより、潰れた構成となる。孔封止アセンブリ１１２は、その周りからシース１１０を除去すると、自己拡張して自己拡張構成となる。
【００５７】
孔封止アセンブリ１１２は、非作動の潰れた構成および作動した自己拡張構成のそれぞれにおいて、管状形状または形態（すなわち、首または喉状の端部）を有する（比較的短い）遠位端部（首部または頂点部）を有する。このような例示的な実施形態においては、孔封止アセンブリ１１２の遠位端部（首部または頂点部）の管状形状または形態によって、（内側に可撓性制御ワイヤ１２８を備えた）可撓性チューブ１３０の遠位端（のみ）への操作接続が容易にされる。このような操作接続により、可撓性制御ワイヤ１２８は、可撓性チューブ１３０を遠位方向に通過して、シース１１０を孔封止アセンブリ１１２から遠位方向に除去することができ、孔封止アセンブリ１１２が作動した自己拡張構成を有することになる。また、このような操作接続により、可撓性制御ワイヤ１２８は、シース１１０を近位方向に引き戻して、シース１１０を孔封止アセンブリ１１２上に戻すことができ、孔封止アセンブリが再び非作動の潰れた構成として包囲および保持される。
【００５８】
作動した自己拡張構成の孔封止アセンブリ１１２は、可撓性かつ弾性の全体的な半球（傘上部、ドーム、またはベル）形状または形態を有する。このような例示的な実施形態において、作動した自己拡張構成の孔封止アセンブリ１１２は、半球形状または形態を有する（主要な）中間部と、鋭角のフレアまたはフレア状形状または形態を有する（すなわち、中間部の近位端から、近位方向に徐々に、近位端まで外方に非直線拡張または開放した）（比較的短い）近位端部とを含む。このような例示的な実施形態において、孔封止アセンブリの（主要な）中間部は、孔封止アセンブリの遠位端部（首部または頂点部）および孔封止アセンブリの近位端部それぞれの（近位−遠位）長さよりも大きな（近位−遠位）長さを有する。
【００５９】
例示的な実施形態において、孔封止アセンブリの中間部および近位部（すなわち、孔封止アセンブリの遠位端部の近位端から孔封止アセンブリの近位端まで近位方向に延びた部分）は、ストラットを有し、可撓性の弾性外部または外側カバーにより完全に覆われた（すなわち、ストラットの周囲および間を連続的に覆われた）可撓性の弾性骨格（または、ネット、メッシュ）型フレームとして構成されている。
【００６０】
例示的な実施形態において、（ストラットを備えた）フレームは、多角形（たとえば、三角形、正方形、長方形、五角形、六角形、七角形、八角形、ダイヤモンド型形状、または類似形状）の幾何学的パターンを有するように構成されている。例示的な実施形態において、（ストラットを備えた）フレームは、このような多角形の幾何学的パターンを有する複数（少なくとも２列、たとえば３列）のストラットを具備する。
【００６１】
（ストラットを備えた）フレームは、孔封止アセンブリの中間部および近位部の半球およびフレア形状もしくは形態ならびに構造的支持を提供する。外部または外側カバーは、孔封止アセンブリの中間部および近位部に対して、非常に効果的な封止特性を与える。
【００６２】
孔封止アセンブリの中間部および近位部に関するこのような例示的な実施形態によれば、異なる血管の内側の異なる血管腔において考え得る異なる特定形状または形態およびサイズ寸法に従った孔封止アセンブリ１１２の物理的適合、対応、および作動（駆動）が容易にされる。たとえば、大動脈に関して、管腔の特定形状または形態およびサイズ寸法は通常、患者ごとに異なる。また、たとえば、孔封止アセンブリの中間部および近位端部の柔軟な形状または形態によれば、外科的血管吻合術中の様々な血管腔の実時間の（動的に変化する）構造的特徴に対する実時間の（動的な）自己適応（自己調整、自己変化）が容易にされる。
【００６３】
作動した自己拡張構成の孔封止アセンブリ１１２の場合、孔封止アセンブリの中間部の可撓性の弾性半球形状または形態は、孔封止アセンブリの近位端部の可撓性の弾性フレアまたはフレア状形状または形態と併せて、たとえば端側式の外科的血管吻合術等の外科的血管吻合術での使用に特に関連するとともに都合が良い。たとえば、作動した自己拡張構成の孔封止アセンブリ１１２の場合、孔封止アセンブリの中間部の可撓性の半球形状または形態は、孔封止アセンブリの近位端部の可撓性の弾性フレアまたはフレア状形状または形態と併せて、外科的血管吻合術を実行する血管腔の無血流局所環境において、周辺封止血管内壁セグメント内に十分な作動（動作）空間（容積）を提供する。また、孔封止アセンブリの近位端部のフレアまたはフレア状形状または形態は、血管内壁セグメントの周りの周辺シールを確立および維持する血管内壁セグメント（および、その組織）の周囲（外周）に直接接触する孔封止アセンブリ１１２の部分（すなわち、近位端部の円周方向近位端）に対して外傷なき（すなわち、鋭くも角張ってもない封止）構造を与える。
【００６４】
別の例示的な孔封止アセンブリの例示的な一実施形態については、図８Ｂに示すとともに後述する。このような孔封止アセンブリの例示的な一実施形態には、フレアまたはフレア状形状または形態のない近位端部を含む。
【００６５】
手動孔封止コントローラアセンブリ
孔封止デバイスの近位部１０６ｐには、ＢＶＩＷ封止・孔形成デバイス１０２の一部の手動制御（運動、位置決め、駆動、操作）を容易にするように構成された手動孔封止コントローラアセンブリ１１４を含む。より具体的に、手動孔封止コントローラアセンブリ１１４は、吻合孔生成デバイス１０８の使用前および使用後に、孔封止デバイスの遠位部１０６ｄ（シース１１０および内部に保持された孔封止アセンブリ１１２を含む）の手動制御を容易にするように構成されている。
【００６６】
手動孔封止コントローラアセンブリ１１４は、手動制御つまみ１１６および手持ちハウジングアセンブリ１１８を含む手持ちモジュールとして構成されている。手動制御つまみ１１６または類似種類の構造体は、たとえば手動制御つまみ１１６を指（たとえば、親指）で押すか引くことにより、手動操作可能かつ直線平行移動可能（手動押し引き可能ならびに遠位方向および近位方向の前後摺動移動可能）に構成されている。手持ちハウジングアセンブリ１１８は、たとえば図１および図２において破線の双頭（両方向）矢印１２２により示すように、手動制御つまみ１１６が内部に沿って手動操作可能かつ直線平行移動可能となる直線状スロット（狭隘溝またはチャネル）１２０が構成されている。
【００６７】
手持ちハウジングアセンブリ１１８の遠位端部には、たとえば一対の対向（正対）位置決めされた手動制御可能なコネクタ部材（たとえば、指圧作動弾性締結具またはラッチ）１２６が構成された接続部材１２４を含む（たとえば、図２および図３においてより見やすい）。接続部材１２４は、（たとえば、以下でより詳細に説明する通り、吻合孔生成デバイス１０８の内側アセンブリ１５２の突出リム（フランジ）１６４を介した）吻合孔生成デバイス１０８の近位端に対する手動孔封止コントローラアセンブリ１１４の遠位端の可逆的な手動操作接続（接続、取り外し、再接続）を容易にするように構成されている。
【００６８】
吻合孔生成デバイス１０８の近位端に対する手動孔封止コントローラアセンブリ１１４の遠位端の手動操作接続によって、手動制御（運動、位置決め、駆動、操作）を容易にする安定した基盤が孔封止デバイスの遠位部１０６ｄ（シース１１０および内部に保持された孔封止アセンブリ１１２を含む）に与えられる。これには、たとえば制御ワイヤ１２８を使用した孔封止アセンブリ１１２からのシース１１０の遠位方向案内除去中の安定した基盤の提供による自己拡張の容易にと、選択した血管の血管腔の内壁セグメントに沿った孔封止アセンブリ１１２の手動制御位置決めとを含む。これにより、作動した自己拡張構成の孔封止アセンブリ１１２は、血管腔の内側でその内壁セグメントに沿って、血流のない周辺封止血管内壁セグメントを形成するように、血管内壁セグメントに作成された小さな（ニードルまたはシリンジサイズの）孔の周りの周辺シールを正確に外傷なく確立すること（図３Ｂ、図１９Ｃ、および図１９Ｄ）と、その後、血流のない状態で、周辺封止血管内壁セグメントを維持すること（たとえば、図１９Ｅ〜図１９Ｇに示す）とが容易にされる。
【００６９】
吻合孔生成デバイス１０８の近位端からの手動孔封止コントローラアセンブリ１１４の遠位端の手動操作取り外しは、血管内壁セグメントに沿った孔封止アセンブリ１１２の自己拡張および手動制御位置決めに成功した後に実行され、その後の吻合孔生成デバイス１０８に対する孔形成アクチュエータ１０４の操作接続のためのスペースが確保された後、吻合孔生成デバイス１０８の作動および使用によって、周辺封止血管内壁セグメントを通る吻合孔が外傷なく生成される。
【００７０】
（内側アセンブリ１５２の突出リム（フランジ）１６４を介した）吻合孔生成デバイス１０８の近位端に対する（接続部材１２４を介した）手動孔封止コントローラアセンブリ１１４の遠位端の手動操作再接続は、周辺封止血管内壁セグメントを通る吻合孔の生成および吻合孔生成デバイス１０８からの孔形成アクチュエータ１０４の取り外しに成功した後に実行される。このような取り外しは、自己拡張孔封止アセンブリ１１２を潰した後、潰れた構成の孔封止アセンブリ１１２をシース１１０に再挿入し、血管内壁セグメントを通じて血管からシース１１０を最終的に（近位方向に案内して）引き抜くことを容易にするように実行される。
【００７１】
可撓性制御ワイヤおよび可撓性チューブ
可撓性制御ワイヤ１２８は、手動孔封止コントローラアセンブリ１１４の内側からシース１１０の内側へと延びるように構成されている。可撓性制御ワイヤ１２８およびその操作によれば、孔封止デバイスの遠位部１０６ｄ（シース１１０および内部に保持された孔封止アセンブリ１１２を含む）の手動制御（運動、位置決め、駆動、操作）が容易にされる。可撓性チューブ１３０に包囲されて保持された可撓性制御ワイヤ１２８は、（非作動構成の）孔封止デバイス１０６中に存在し、参照番号１２８の破線矢印で示す通りであるが、図１では不可視である。可撓性制御ワイヤ１２８の例示的な実施形態については、作動構成を図２、図５Ａ、および図５Ｂに、そのほぼ全体を図３に、その近位端部を図６および図７に示す。
【００７２】
これらの図に示すような例示的な実施形態において、可撓性制御ワイヤ１２８の近位端部は、たとえば手動制御つまみ１１６によって手持ちハウジングアセンブリ１１８の内側まで、手動孔封止コントローラアセンブリ１１４に固定接続される。このような例示的な実施形態において、可撓性制御ワイヤ１２８の遠位端は、たとえばシース１１０の遠位端１１０ｄｅの遠位端部１１０ｄの内側において、シース１１０に固定接続される。
【００７３】
可撓性制御ワイヤ１２８は、可撓性チューブ１３０の空洞に包囲されて保持されるとともに、その長さに沿って延びる。可撓性チューブ１３０の近位端は、手持ちハウジングアセンブリ１１８の遠位部に固定接続され、孔封止デバイスの遠位部１０６ｄまで遠位方向に延びる。可撓性チューブ１３０の遠位端は、孔封止アセンブリがシース１１０の内側で非作動の潰れた構成である場合および孔封止アセンブリ１１２がシース１１０の外側で作動した自己拡張構成の場合に、孔封止アセンブリ１１２の（首部または頂点部の内側の）遠位端に固定接続される。
【００７４】
可撓性チューブ１３０の内側（すなわち、シース１１０を孔封止アセンブリ１１２から遠位方向に除去する前）の可撓性制御ワイヤ１２８は、手動孔封止コントローラアセンブリ１１４の手動操作によって、孔封止デバイスの近位部１０６ｐと遠位部１０６ｄとの間で直線平行移動可能（直線押し引き可能ならびに遠位方向および近位方向の前後摺動移動可能）となる。例示的な実施形態において、可撓性チューブ１３０の外側（すなわち、シース１１０の孔封止アセンブリ１１２からの除去中および除去後）の可撓性制御ワイヤ１２８は、手動孔封止コントローラアセンブリ１１４の手動操作によって、孔封止アセンブリ１１２の（首部または頂点部）遠位端とシース１１０の近位端（開口）との間で非直線平行移動可能（非直線押し引き可能ならびに遠位方向および近位方向の前後摺動移動可能）となる。このような可撓性チューブ１３０の外側の可撓性制御ワイヤ１２８の一部の非直線平行移動可能な移動性（押し引き）は、たとえば可撓性制御ワイヤ１２８の残りの部分に対して熱的に成形（処理）された部分によって可能となる。たとえば、可撓性制御ワイヤ１２８の遠位部は、装置１００の組み立ての完了、特に孔封止デバイス１０６の組み立て、より詳細には可撓性チューブ１３０の内側の可撓性制御ワイヤ１２８の配置に先立って熱的に成形（処理）される。例示的な実施形態において、可撓性制御ワイヤ１２８の遠位部は、温式または冷式の熱処理によって熱処理されることにより、例示的に前述および後述する構造的および機能的特性および性質が与えられる。
【００７５】
例示的な実施形態において、可撓性チューブ１３０は、解放状態の場合に最小抵抗で異なる形状へと延展または屈曲可能であり、たとえば１ｇ〜１０Ｋｇ、任意選択として１０ｇ〜５Ｋｇ、または任意選択として１００ｇ〜１Ｋｇの選定張力の範囲内の張力を受けて引っ張られた場合にピンと張った形態を維持するように延伸可能である。例示的な実施形態においては、可撓性チューブ１３０に吻合孔生成部材１７０が結合され、自由に通過可能となっている。例示的な実施形態において、可撓性チューブ１３０は、（たとえば、角度配向により）可撓性チューブ１３０に沿って吻合孔生成デバイス１０８（吻合孔生成部材１７０を含む）を通過させてガイドするように構成された選定配向となるように操作可能である。
【００７６】
例示的な実施形態において、シース１１０、孔封止アセンブリ１１２、可撓性制御ワイヤ１２８、および可撓性チューブ１３０は、たとえば端側式の外科的血管吻合術等の外科的血管吻合術での使用に特に関連する以下の作動構成を有するように構成されている。
【００７７】
例示的な実施形態において、シース１１０の近位端（すなわち、開口）１１０ｐｅは、（作動した自己拡張構成の）孔封止アセンブリ１１２の（首部または頂点部）遠位端に隣接せず、離れている。具体的に、作動構成において、シース１１０の近位端１１０ｐｅは、（制御ワイヤ１２８による）シース１１０の遠位方向案内手動押し込み運動によって、（作動した自己拡張構成の）孔封止アセンブリ１１２の遠位端１１２ｄｅから遠位方向に離れて、ある距離（たとえば、少なくとも数ミリメートル、最大で数センチメートル）に位置決めされる。
【００７８】
このような例示的な実施形態において、シース１１０の近位端１１０ｐｅは、制御ワイヤ１２８の遠位端部によるシース１１０の手動押し込み（シースの遠位端１１０ｄｅの非直線平行移動によって）によって遠位方向に非直線状に案内されることにより、（作動した自己拡張構成の）孔封止アセンブリの遠位端から遠位方向に非直線状に離れて、ある距離（たとえば、数ミリメートル〜数センチメートル）に位置決めされる。このようなシース１１０および孔封止アセンブリ１１２の作動構成によれば、制御ワイヤ１２８は、たとえば以下のように、特に孔封止アセンブリ１１２の遠位端とシース１１０の近位端１１０ｐｅとの間に延びた鋭角状曲率部（すなわち、鋭角を有し、鋭角を特徴とする曲率部）を特徴とする作動構成を有することが容易にされる。
【００７９】
このような例示的な実施形態において、可撓性制御ワイヤ１２８は、たとえば図２、図５Ａ、および図５Ｂに示すように、（作動した自己拡張構成の）孔封止アセンブリ１１２の（首部または頂点部）遠位端と（孔封止アセンブリ１１２から除去された［遠位方向に非直線状に離れて、ある距離に位置決めされた］）シース１１０の近位端１１０ｐｅとの間に延びた可撓性制御ワイヤ１２８の遠位端部が鋭角状曲率部（鋭角の曲率部）２００を有する作動構成となるように構成されている。例示的な実施形態において、このような可撓性制御ワイヤ１２８の遠位端部の鋭角状曲率部は、本質的には最大で直角すなわち９０°（９０度）であってもよく、０°（ゼロ度）〜９０°（９０度）の範囲を有する。例示的な実施形態において、このような可撓性制御ワイヤの遠位端部の鋭角状曲率部は、数ミリメートル（ｍｍ）〜数センチメートル（ｃｍ）の範囲の長さ（たとえば、１５〜２０ミリメートル（ｍｍ））を有する。
【００８０】
可撓性制御ワイヤの鋭角状曲率部２００は、外科的血管吻合術の実行に選択した血管（たとえば、大動脈）等、選択した血管の内側の血管腔において、（非作動および作動の両構成の）（ａ）シース１１０、（ｂ）可撓性制御ワイヤ１２８、および（ｃ）孔封止アセンブリ１１２の（結合）長さの外傷なき効率的な物理的適合および対応を容易にする。具体的に、第１には、血管腔において、（ａ）孔封止アセンブリ１１２から遠位方向に除去された後の（依然として非作動の潰れた構成の）シース１１０の長さと（ｂ）可撓性制御ワイヤ１２８の遠位端部の鋭角状曲率部２００の長さとの組み合わせの外傷なき適合および対応を容易にする。第２には、血管腔において、（ａ）孔封止アセンブリ１１２から遠位方向に除去された後の（作動した自己拡張構成の）シース１１０の長さと（ｂ）可撓性制御ワイヤ１２８の遠位端部の鋭角状曲率部２００の長さとの組み合わせの外傷なき適合および対応を容易にする。
【００８１】
第２の態様に関しては、可撓性制御ワイヤの遠位端部が鋭角状曲率部２００を有する場合にのみ、（ａ）（孔封止アセンブリ１１２から遠位方向に除去され、離れて位置決めされた）シース１１０、（ｂ）可撓性制御ワイヤの遠位端部の鋭角状曲率部２００、および（ｃ）（完全作動完全自己拡張構成の）孔封止アセンブリの（結合）長さに血管腔の内径が物理的に適合および対応し得る。可撓性制御ワイヤ１２８の遠位端部の鋭角状曲率部２００がないシナリオの場合は、血管腔の内径が小さいため、（ａ）（たとえば、孔封止アセンブリ１１２から遠位方向に除去されたものの、隣接しており、離れて位置決めされていない）シース１１０および（ｂ）（完全作動完全自己拡張構成の）孔封止アセンブリ１１２の［近位−遠位］直線状（または、ほぼ直線状）の構成の（結合）長さに対する物理的適合および対応は不可能である。
【００８２】
このような可撓性制御ワイヤ１２８の特性および特徴によれば、血管腔の内側でその血管内壁セグメントに沿って、血流のない周辺封止血管内壁セグメントを形成するように、血管内壁セグメントに作成された小さな（ニードルまたはシリンジサイズの）孔の周りの周辺シールを外傷なく確立することと、血流のない状態で、周辺封止血管内壁セグメントを通る吻合孔の形成（生成）中に、周辺封止血管内壁セグメントを維持することとを行う孔封止アセンブリ１１２の非常に効率的かつ効果的な動作が容易にされる。
【００８３】
固定・アンカリングアセンブリ
外科的血管吻合術において装置１００を使用する例示的な実施形態において、手動孔封止コントローラアセンブリ１１４は（手持ちハウジングアセンブリ１１８を介して）、外科的血管吻合術中に存在する医療従事者（たとえば、看護師、医療助手、別の外科医）の（静止した）手の中で動かずにしっかりと固定して保持される。このような手持ちハウジングアセンブリ１１８のしっかりと固定された手動静止保持により、孔封止デバイスの近位部１０６ｐに対して（一般的には手動孔封止コントローラアセンブリ１１４（および、その構成要素）に対し、詳細には可撓性チューブ１３０および内部に保持された可撓性制御ワイヤ１２８に対して）、安定した近位方向の（基準となる）静止位置が確立される。このような構成要素について、安定した近位方向の（基準となる）静止位置を確立することは非常に望ましく、外科的血管吻合術の選択した血管腔およびその内壁セグメントに対する孔封止デバイスの遠位部１０６ｄ（シース１１０および内部に保持された孔封止アセンブリ１１２を含む）の効果的で正確な手動制御（運動、位置決め、駆動、操作）を容易にする上で重要とも考えられる。
【００８４】
別の（任意選択としての）例示的な実施形態において、手動孔封止コントローラアセンブリ１１４は、孔封止デバイスの近位端部１０６ｐを安定した静止（固定）物体に接続するとともに、このような固定およびアンカリングがもはや必要なくなった場合には、孔封止デバイスの近位端部１０６ｐを取り外すことによって、孔封止デバイスの近位端部１０６ｐの可逆的な固定およびアンカリング（固定および脱固定、アンカリングおよび脱アンカリング）を容易にするように構成された固定・アンカリングアセンブリをさらに具備する。例示的な安定静止（固定）物体は、患者の手術台フレームもしくはこれに固定接続された物体、様々な種類の手術用機器（たとえば、手術用開創器具）、あるいは医療従事者（看護師、医療助手、別の外科医）の手等、外科的血管吻合術中に一般的に存在するものである。このような例示的な実施形態において、たとえば、固定・アンカリングアセンブリは、（固定接続によって）手動孔封止コントローラアセンブリ１１４を安定した静止（固定）物体に可逆的に固定およびアンカリングするとともに、もはや必要なくなった場合に手動孔封止コントローラアセンブリ１１４を取り外すように構成されている。例示的な実施形態において、固定・アンカリングアセンブリの遠位部（または、その端部）は、手動孔封止コントローラアセンブリ１１４の近位部または中間部（または、その端部）に固定およびアンカリング（固定接続）され、固定・アンカリングアセンブリの近位部（または、その端部）は、安定した静止（固定）物体に対して可逆的に固定およびアンカリング（固定接続）可能である。
【００８５】
固定・アンカリングアセンブリの例示的な実施形態については、図１、図２、図３、図６、図１７、および図１８において、参照番号１３２により示す。このような例示的な実施形態によれば、固定・アンカリングアセンブリ１３２は、たとえば図１、図２、および図６において破線の双頭（両方向）矢印１３９により示すように、（接続によって）手動孔封止コントローラアセンブリ１１４を安定した静止（固定）物体１３３に可逆的に固定およびアンカリングするとともに、もはや必要なくなった場合に手動孔封止コントローラアセンブリ１１４を安定した静止（固定）物体１３３から取り外すように構成されている。
【００８６】
例示的な実施形態において、固定・アンカリングアセンブリ１３２は、中間部または中央部１３４、遠位端部１３６、および近位端部１３８を有する可撓性（弾性）ストラップ、ロッド、またはバー式構造等の単一の一体型可撓性（弾性）構造体として構成されている。固定・アンカリングアセンブリの遠位端部１３６は、固定・アンカリングアセンブリ１３２中に存在し、参照番号１３６の破線で示す通りであるが、図１および図２では不可視である。固定・アンカリングアセンブリの遠位端部１３６の例示的な実施形態については、図３および図６に示すとともに、以下に詳しく説明する。これらの図に示すような例示的な実施形態においては、固定・アンカリングアセンブリの遠位端部１３６および近位端部１３８がそれぞれ、ループ（または、ループ状）およびリング（または、リング状）構造を有する。固定・アンカリングアセンブリの遠位端部１３６は、たとえば手持ちハウジングアセンブリ１１８の内側において、手動孔封止コントローラアセンブリ１１４の近位部または中間部（または、その端部）に固定接続されている。固定・アンカリングアセンブリの近位端部１３８は、患者の手術台フレームまたは／およびこれに固定接続された物体、様々な種類の手術用機器（たとえば、手術用開創器具）等の安定した静止（固定）物体に対して可逆的に固定およびアンカリング（接続）可能であり、もはや必要なくなった場合には取り外される。
【００８７】
このような例示的な実施形態において、固定・アンカリングアセンブリ１３２の可撓性（弾性）は、たとえば孔封止デバイスの近位部１０６ｐを固定物体１３３に対して可逆的に固定およびアンカリングした後、可撓性制御ワイヤ１２８を操作することによって、孔封止アセンブリ１１２の張力の維持を容易にする。このように孔封止アセンブリ１１２の張力を維持することは、たとえば外科的血管吻合術中に固定物体１３３、孔封止デバイスの近位部１０６ｐ、または／および患者がわずかに移動する状況において重要となる。
【００８８】
別の固定・アンカリングアセンブリ（および、その構成要素）の例示的な一実施形態を含めて、手動孔封止コントローラアセンブリの別の例示的な実施形態については、以下で例示的に説明するとともに図７に示す。
【００８９】
吻合孔生成デバイス
ＢＶＩＷ封止・孔形成デバイス１０２の別の主要な構成要素である吻合孔生成デバイス１０８は、血流のない状態で、最初は遠位方向案内運動により、その後は近位方向案内運動によって、周辺封止血管内壁セグメントを通過する吻合孔を外傷なく生成するように構成されている。
【００９０】
吻合孔生成デバイス１０８は、外側アセンブリ１５０および内側アセンブリ１５２を具備する。外側アセンブリ１５０および内側アセンブリ１５２はそれぞれ、（共有）同心長手方向軸に沿って同軸管状に成形されている（すなわち、中央に長手方向に穿孔された空洞が長さに沿って延びた円筒形状構造である）。例示的な実施形態においては、内側アセンブリ１５２が外側アセンブリ１５０よりも長い（すなわち、内側アセンブリ１５２の全長が外側アセンブリ１５０の全長よりも大きい）。
【００９１】
図１に示すように、非作動構成の装置１００の場合、可撓性チューブ１３０およびその内部の可撓性制御ワイヤ１２８は、孔封止デバイスの近位部１０６ｐから（手動孔封止コントローラアセンブリ１１４内から）吻合孔生成デバイス１０８の内側アセンブリ１５２および外側アセンブリ１５０の中心管状空洞を通って孔封止デバイスの遠位部１０６ｄまで（（非作動の潰れた構成の）孔封止アセンブリ１１２が内部に保持されたシース１１０中へと）遠位方向に延びる。図２に示すように、作動構成の装置１００の場合、可撓性チューブ１３０およびその内部の可撓性制御ワイヤ１２８は、シース１１０を潰れた孔封止アセンブリ１１２から除去した後、孔封止デバイスの近位部１０６ｐから（手動孔封止コントローラアセンブリ１１４内から）吻合孔生成デバイス１０８の内側アセンブリ１５２および外側アセンブリ１５０の中心管状空洞を通って孔封止デバイスの遠位部１０６ｄまで（（作動した自己拡張構成の）孔封止アセンブリ１１２の［首部または頂点部の内側の］遠位端まで）遠位方向に延びる。したがって、吻合孔生成デバイス１０８は、可撓性チューブ１３０に沿って手動で可逆的に平行移動可能（手動押し引き可能ならびに遠位方向および近位方向の前後摺動移動可能）である。
【００９２】
このような手動の可逆的な平行移動可能性により、血流のない状態で周辺封止血管内壁セグメントを通る吻合孔を外傷なく生成する準備の一部として、選択した血管およびその血管壁に対する吻合孔生成デバイス１０８（および、その構成要素）の手動移動、ガイド、および位置決めが容易にされる。さらに、このような可撓性チューブ１３０に沿った吻合孔生成デバイス１０８の可逆的な平行移動可能性は、吻合孔形成（生成）手順における血流のない状態で、周辺封止血管内壁セグメントを維持しつつ、（作動した自己拡張構成の）孔封止アセンブリ１１２の位置および構成に影響を及ぼすことなく実現可能である。
【００９３】
例示的な実施形態においては、（共有）同心長手方向軸に沿って、内側アセンブリ１５２の一部が外側アセンブリ１５０により同心状に囲まれるとともに、外側アセンブリ１５０内に沿って密に嵌合する。このような外側アセンブリ１５０における内側アセンブリ１５２の一部の密な嵌合は、外側アセンブリ１５０および内側アセンブリ１５２がそれぞれ互いに直線平行移動可能となる（すなわち、同心長手方向軸に沿って互いに、遠位方向および近位方向に前後に摺動移動可能となる）形態である。例示的な実施形態において、外側アセンブリ１５０および内側アセンブリ１５２それぞれの直線平行移動可能な相対運動は、ばね１５４によって制御可能であるとともに制限される。ばね１５４は、孔生成デバイス１５０中に存在し、参照番号１５４の破線矢印で示す通りであるが、図１および図２では不可視である。ばね１５４の例示的な実施形態については、図４Ｂ、図９Ｂ、および図９Ｄに示すとともに、以下に詳しく説明する。
【００９４】
外側アセンブリ１５０の近位部には、たとえば図１において破線の双頭（両方向）矢印１６０により示すように、孔形成アクチュエータ１０４の内側アセンブリの遠位端１８４との可逆的な手動操作接続（接続、取り外し、および再接続）を容易にするように構成された突出リム（たとえば、フランジ）１５６を含む。
【００９５】
内側アセンブリ１５２の近位端部は、２つの突出リム（たとえば、フランジ）すなわち内側突出リム１６２および外側突出リム１６４が構成されている。
【００９６】
内側アセンブリ１５２の内側突出リム１６２は、ばね１５４と併せて、吻合孔生成デバイス１０８の外側アセンブリ１５０および内側アセンブリ１５２それぞれの直線平行移動可能な相対運動を制限するように構成されている。
【００９７】
内側アセンブリ１５２の外側突出リム１６４、たとえば図１において破線の双頭（両方向）矢印１６６により示すように、孔形成アクチュエータ１０４の外側アセンブリの遠位端に対する吻合孔生成デバイス１０８の近位端の可逆的な手動操作接続（接続、取り外し、再接続）を容易にするように構成されている。例示的な実施形態において、このような形成アクチュエータ１０４の外側アセンブリの遠位端に対する吻合孔生成デバイス１０８の近位端の可逆的な手動操作接続は、以下でより詳細に説明する通り、孔形成アクチュエータ１０４の外側アセンブリの遠位端部上に構成された一対の（正対）位置決めされた手動制御可能なコネクタ部材１８２（たとえば、指圧作動弾性締結具またはラッチ）の動作によっても容易にされる。
【００９８】
内側アセンブリ１５２の外側突出リム１６４、（たとえば、接続部材１２４およびコネクタ部材１２６を介した）手動孔封止コントローラアセンブリ１１４の遠位端に対する吻合孔生成デバイス１０８の近位端の可逆的な手動操作接続（接続、取り外し、再接続）を容易にするようにさらに構成されている。
【００９９】
吻合孔生成部材
内側アセンブリ１５２の遠位端部は、（ｉ）血流のない状態で、遠位方向（すなわち、前方）案内（手動押し込み）運動により、選択した血管の血管内壁セグメントに（たとえば、ニードルまたはシリンジにより）作成された小さな孔［すなわち、非切開］を外傷なく通過することと、（ｉｉ）近位方向（すなわち、逆方向）案内（手動引き込み）運動により、選択した血管の血管内壁セグメントを通る吻合孔を生成することと、（ｉｉｉ）さらなる近位方向（逆方向）案内（手動引き込み）運動により、選択した血管の血管内壁セグメントを通るように生成された孔から出ることと、を行うように構成された吻合孔生成部材１７０が構成されている。
【０１００】
例示的な実施形態において、吻合孔生成部材１７０の遠位部は、管状錐体（すなわち、中央に穿孔された管状形状の空洞が［近位−遠位］高さに沿って延びた錐体または円錐形状構造）として構成されている。管状錐体の近位端部には管状錐体の円形基部を含み、管状錐体の遠位端部には管状錐体のテーパ状先端部（頂点部）を含む。このような管状錐体構成は、上記（ｉ）の実行すなわち遠位方向（前方）案内（手動押し込み）運動による選択血管の壁を通るように作成された小さな（ニードルまたはシリンジサイズの）孔の外傷なき通過に非常に効果的である。具体的に、遠位方向案内（手動押し込み）運動によって血管壁の小さな孔［すなわち、非切開］を通過する場合の吻合孔生成部材１７０の遠位部の（傾斜またはテーパ状）円錐形状は、吻合孔生成部材の遠位部の非円錐構成によって発生する可能性がある血管壁の考え得る望ましくない損傷または損壊を除外または最小化するように小さな穴を外傷なく広げる（拡幅する、拡大する）。
【０１０１】
例示的な実施形態において、孔生成部材の管状錐体の近位端部には、管状錐体の円形基部から連続して近位方向に延びた非傾斜（非テーパ状）の管状セグメントを含む。非傾斜の管状セグメントは、管状錐体の近位端部中に存在するが、図１および図２では不可視である。非傾斜の管状セグメントの例示的な実施形態については、図４Ａ、図４Ｂ、および図９Ａ〜図９Ｄに示すとともに、以下に詳しく説明する。例示的な実施形態において、比傾斜（非テーパ状）の管状セグメントは、外径が管状錐体の円形基部の直径と同じで、長手方向（すなわち、近位−遠位）長さが管状錐体の（近位−遠位）高さよりも小さいリングの形態を有する。例示的な実施形態において、管状セグメントの近位端は、血管壁に吻合孔を生成するように、（血管内壁セグメント内から血管内壁セグメントの外側まで）血管壁を通り抜けるように構成された鋭い縁部を有する。このような管状セグメント構成は、上記（ｉｉ）の実行すなわち近位方向（すなわち、逆方向）案内（手動引き込み）運動による選択血管の血管内壁セグメントを通る吻合孔の生成に非常に効果的である。
【０１０２】
例示的な実施形態において、吻合孔生成部材１７０の残りの近位方向延伸部（すなわち、管状セグメントから近位方向に延びた部分）は、直径が管状錐体の円形基部（または、これと連続する管状セグメント）の直径よりも小さい管状形状であり、管状セグメントの近位端から内側アセンブリ１５２の中間部まで近位方向に延びた一種の管状「テール」として構成されている。吻合孔生成デバイス１０８の内側アセンブリ１５２および外側アセンブリ１５０それぞれの中心管状空洞に関しては、管状セグメントの中心管状空洞が（内部に可撓性制御ワイヤ１２８を備えた）可撓性チューブ１３０の可逆的な通過を容易にする。
【０１０３】
孔形成アクチュエータ
血管内壁（ＢＶＩＷ）封止・孔形成デバイス１０２と併せて、孔形成アクチュエータ１０４は、外科的血管吻合術に使用する装置（全体）１００の別の主要な構成要素である。
【０１０４】
孔形成アクチュエータ１０４は、ＢＶＩＷ封止・孔形成デバイス１０２に対して動作可能に接続可能であるとともに、ＢＶＩＷ封止・孔形成デバイス１０２を動作させて、特にその吻合孔生成デバイス１０８を作動（駆動）させるように構成されている。
【０１０５】
孔形成アクチュエータ１０４は、外側アセンブリ１７４および内側アセンブリ１７６を具備する。外側アセンブリ１７４および内側アセンブリ１７６はそれぞれ、（共有）同心長手方向軸に沿って同軸管状に成形されている。例示的な実施形態においては、内側アセンブリ１７６が外側アセンブリ１７４よりも長い（すなわち、内側アセンブリ１７６の全長が外側アセンブリ１７４の全長よりも大きい）。
【０１０６】
例示的な実施形態においては、（共有）同心長手方向軸に沿って、内側アセンブリ１７６の一部が外側アセンブリ１７４により同心状に囲まれるとともに、外側アセンブリ１７４内に沿って密に嵌合する。このような外側アセンブリ１７４における内側アセンブリ１７６の一部の密な嵌合は、外側アセンブリ１７４および内側アセンブリ１７６がそれぞれ互いに直線平行移動可能となる（すなわち、手動押し引き可能ならびに同心長手方向軸に沿って互いに、遠位方向および近位方向に前後に摺動移動可能となる）形態である。
【０１０７】
孔形成アクチュエータの外側アセンブリ１７４の近位端部は、孔形成アクチュエータの外側アセンブリ１７４および内側アセンブリ１７６それぞれの直線平行移動可能な相対運動を容易にする一対の対向（正対）位置決めされた手動制御可能なガイド部材１８０（たとえば、剛性つまみ）が構成されている。
【０１０８】
孔形成アクチュエータの外側アセンブリ１７４の遠位端部は、上述の通り、孔形成アクチュエータ１０４の外側アセンブリの遠位端に対する吻合孔生成デバイス１０８の近位端（すなわち、内側アセンブリ１５２の外側突出リム１６４）の可逆的な手動操作接続を容易にする一対の対向（正対）位置決めされた手動制御可能なコネクタ部材１８２（たとえば、指圧作動弾性締結具またはラッチ）が構成されている。
【０１０９】
孔形成アクチュエータの内側アセンブリ１７６の遠位端は、たとえば図１（非作動状態の装置１００）において破線の双頭（両方向）矢印１６０により示すように、吻合孔生成デバイスの外側アセンブリ１５０の（突出リム１５６［たとえば、フランジ］を介した）近位部との可逆的な手動操作接続（接続、取り外し）を容易にする円形の（リムまたはフランジが適合する）溝１８４として構成されている。このような操作接続は図２（作動状態の装置１００）において明らかであり、吻合孔生成デバイスの外側アセンブリ１５０の突出リム（フランジ）１５６が孔形成アクチュエータの遠位端の円形溝１８４に動作可能に接続（一体化および保持）されている。
【０１１０】
孔形成アクチュエータの内側アセンブリ１７６の近位端部は、カバー（または、キャップ）１８６が構成されている。例示的な実施形態において、カバー（または、キャップ）１８６は、特に孔形成アクチュエータの外側アセンブリ１７４および内側アセンブリ１７６それぞれの取り扱いおよび操作によって吻合孔生成デバイス１０８を作動（駆動）させる間に、孔形成アクチュエータ１０４のユーザフレンドリで人間工学的な手動使用を容易にするように構成されている。例示的な実施形態において、カバー（または、キャップ）１８６は、たとえば「摺動式」の機構が構成されており、たとえば図１、図２、図１０Ａ〜図１０Ｄ、図１１Ａ〜図１１Ｄ、図１２Ａ、図１２Ｂ、図１７、および図１８に示すように、内側アセンブリ１７６の遠位端部に対する比較的簡単な単一式の摺動被覆および保持（把持）を容易にするように構成された一組のスリット（長く真っ直ぐな狭隘切り込みまたは開口）１８８を含む。このような例示的な実施形態によれば、カバー（または、キャップ）１８６は、スリット１８８を介して容易に摺動し、孔形成アクチュエータの内側アセンブリ１７６の近位端部に対して円周方向に保持（把持）される。
【０１１１】
別の（任意選択としての）例示的な実施形態において、カバー（または、キャップ）１８６は、たとえば「ねじ込み式」の機構が構成されており、たとえば図１３Ａおよび図１３Ｂに示すように、カバー（または、キャップ）１８６および内側アセンブリ１７６の近位端部がそれぞれ、小さなネジがねじ込まれてカバー（または、キャップ）１８６および内側アセンブリ１７６の近位端部を一体的に保持する同じサイズの雌ネジが構成されている。
【０１１２】
摺動可能な相対運動のための長手方向側部スロット
孔形成アクチュエータの内側アセンブリ１７６は、孔形成アクチュエータの内側アセンブリ１７６の側面に沿って（遠位方向から近位方向に）中間部から近位部まで延び、一対の対向（正対）位置決めされた長手方向側部スロット（狭隘溝またはチャネル）１９０が構成された、ある長さの２つの側部を有する。図１および図２においては、２つの長手方向側部スロット１９０の一方のセグメントのみが見えており、長手方向側部スロットの他方の不可視セグメントについても、同じく参照番号１９０の破線矢印で示している。長手方向側部スロット１９０の別の例示的な実施形態については、図１１Ｂ〜図１１Ｄおよび図１２Ｂに示す。長手方向側部スロット１９０は、内側アセンブリ１７６の中間部および近位部の２つの側部の（中間−近位）長手方向長さに沿って（遠位方向から近位方向に）延びている。
【０１１３】
長手方向摺動スロット１９０によれば、外側アセンブリ１７４および内側アセンブリ１７６それぞれの直線平行移動可能な相対運動も容易にされる。具体的に、外側アセンブリ１７４は、外側アセンブリ１７４の一対の手動制御可能なガイド部材１８０（たとえば、剛性つまみ）の操作により、内側アセンブリ１７６の長手方向摺動スロット１９０内でこれに沿って摺動可能である。
【０１１４】
可撓性チューブおよび吻合孔生成デバイスを操作する長手方向上部スロット
例示的な実施形態において、孔形成アクチュエータ１０４は、孔形成アクチュエータ１０４の遠位端から近位端近くまで（遠位方向から近位方向に）延び、単一の同軸デュアルアセンブリ（または、バイアセンブリ）長手方向上部スロット（狭隘溝またはチャネル）［１９２および１９４］が構成された、ある長さの上部を有する。デュアルアセンブリ（または、バイアセンブリ）長手方向上部スロット［１９２および１９４］は、内側アセンブリ長手方向上部スロット１９２および外側アセンブリ長手方向上部スロット１９４により形成され、これらを含む。孔形成アクチュエータの内側アセンブリ１７６に内側アセンブリ長手方向上部スロット１９２が構成され、孔形成アクチュエータの外側アセンブリ１７４に外側アセンブリ長手方向上部スロット１９４が構成されることにより、内側アセンブリ長手方向上部スロット１９２が外側アセンブリ長手方向上部スロット１９４と同軸である。
【０１１５】
また、デュアルアセンブリ（または、バイアセンブリ）長手方向スロット［１９２および１９４］は、孔形成アクチュエータ１０４の吻合孔生成デバイス１０８との可逆的な手動操作接続を容易にする。具体的に、吻合孔生成デバイスの外側アセンブリ１５０の（突出リム１５６［たとえば、フランジ］を介した）近位部に対する孔形成アクチュエータの内側アセンブリ１７６の（リムまたはフランジ嵌合溝を介した）遠位端１８４の可逆的な操作接続は、たとえば図１（非作動状態の装置１００）において破線の双頭（両方向）矢印１６０により示すとともに、図２（作動状態の装置１００）において示す通りである。たとえば、孔形成アクチュエータ１０４を孔封止デバイスの遠位部１０６ｄに近接させて、孔形成アクチュエータの内側アセンブリ１７６の遠位端１８４を吻合孔生成デバイスの外側アセンブリ１５０の（突出リム１５６を介した）近位部に接続する場合は、まず、デュアルアセンブリ（または、バイアセンブリ）長手方向スロット［１９２および１９４］の使用（手動操作）により、（たとえば、図１において破線の双頭（両方向）矢印１９６により示すように）（内部に可撓性制御ワイヤ１２８を備えた）可撓性チューブ１３０を受容して（緩く）包囲した後、（図２に示すように）接続を形成する。
【０１１６】
これと同様に（ただし逆に）、孔形成アクチュエータ１０４を吻合孔生成デバイス１０８から取り外す場合に容易さが有効となる。たとえば、（図２に示すように）接続された構成要素を取り外す場合は、まず、吻合孔生成デバイスの外側アセンブリ１５０の（突出リム１５６を介した）近位部を孔形成アクチュエータの内側アセンブリ１７６の遠位端１８４から取り外した後、デュアルアセンブリ（または、バイアセンブリ）長手方向スロット［１９２および１９４］の内側から可撓性チューブ１３０を移動および解放することによって、（再び図１に示すように）取り外しを容易にする。
【０１１７】
例示的に上述した通り、吻合孔生成デバイス１０８は、可撓性チューブ１３０に沿って手動で可逆的に平行移動可能（手動押し引き可能ならびに遠位方向および近位方向の前後摺動移動可能）である。孔形成アクチュエータの内側アセンブリ１７６の遠位端１８４を吻合孔生成デバイスの外側アセンブリ１５０の（突出リム１５６を介した）近位部に接続した後は、デュアルアセンブリ（または、バイアセンブリ）長手方向スロット［１９２および１９４］によっても、血流のない状態で周辺封止血管内壁セグメントを通る吻合孔を外傷なく生成する準備の一部として、選択した血管およびその血管壁に対する吻合孔生成デバイス１０８（および、その構成要素）の（デュアルアセンブリ（または、バイアセンブリ）長手方向スロット［１９２および１９４］に沿って延びる可撓性チューブ１３０の部分を介して）手動移動、ガイド、および位置決めが容易にされる。さらに、このようなデュアルアセンブリ長手方向スロット［１９２および１９４］の内側の可撓性チューブ１３０を介した吻合孔生成デバイス１０８の可逆的な平行移動可能性は、吻合孔形成（生成）手順における血流のない状態で、周辺封止血管内壁セグメントを維持しつつ、（作動した自己拡張構成の）孔封止アセンブリ１１２の位置および構成に影響を及ぼすことなく実現可能である。
【０１１８】
外科的血管吻合術に使用する装置および方法の例示的な種々実施形態の別の例示的な説明および詳細
以下は、外科的血管吻合術に使用する装置および方法の例示的な種々実施形態の別の例示的な説明および詳細である。装置（全体）（および、その構成要素／機能）の例示的な実施形態に関する前述の例示的な説明が以下の別の例示的な説明にも完全に適用可能であり、その逆も同様である。
【０１１９】
図３は、孔封止デバイス１０６の例示的な一実施形態の模式分解斜視図である。ＢＶＩＷ封止・孔形成デバイス１０２の主要構成要素である孔封止デバイス１０６は、血管腔の内側において、血管内壁セグメントの周辺を血流から封止することにより、血管腔の内側において、血流のない周辺封止血管内壁セグメントを形成するように構成されている。孔封止デバイス１０６は、シース１１０、孔封止アセンブリ１１２、手動孔封止コントローラアセンブリ１１４、可撓性制御ワイヤ１２８、および可撓性チューブ１３０を具備する。
【０１２０】
シース１１０は、（ｉ）非作動の潰れた構成の孔封止アセンブリ１１２を外部から覆い、密に嵌合し、完全に包囲し、保持することと、（ｉｉ）（潰れた孔封止アセンブリ１１２によって）（ニードルまたはシリンジにより）血管内壁セグメントに沿って血管壁を通るように（前もって）作成された小さな（ニードルまたはシリンジサイズの）孔を通過することにより、外傷なく完全に血管腔に進入することと、を行うように構成されている。図３においては、図示を目的として、孔封止アセンブリ１１２を作動した自己拡張構成にてシース１１０の外側に示している。
【０１２１】
シース１１０は、近位端１１０ｐｅが開放された主部１１０ｍと、遠位端（すなわち、テーパ状先端部または頂点部）１１０ｄｅが閉鎖された円錐状の遠位端部１１０ｄとを有する管状部材として構成されている。シースの円錐状遠位端１１０ｄｅは、シースの主部１１０ｍの外径よりも小さな最大外径を有する。例示的な実施形態において、シースの円錐状遠位端１１０ｄｅは、血管内壁セグメントに沿って血管壁を通るように（前もって）作成された小さな（ニードルまたはシリンジサイズの）孔の直径よりも小さな最大外径を有する。
【０１２２】
たとえば遠位端１１０ｄｅにおけるシースの遠位端部１１０ｄの内側は、シース１１０の運動および位置決めならびに孔封止アセンブリ１１２の作動（駆動）を制御する可撓性制御ワイヤ１２８の遠位端に固定接続されている。可撓性制御ワイヤ１２８の近位端部は、たとえば手動制御つまみ１１６によって手持ちハウジングアセンブリ１１８の内側に固定接続される。手動孔封止コントローラアセンブリ１１４の内側においては、手動制御つまみ１１６が支持部材１１７により支持されている。例示的な実施形態において、手動制御つまみ１１６および支持部材１１７は、単一の一体構造として一体的に形成および構成されている。
【０１２３】
孔封止アセンブリ１１２の（首部または頂点部の内側の）遠位端および可撓性チューブ１３０の遠位端は、互いに固定接続されている。可撓性チューブ１３０の近位端は、チューブ支持部材１３１に固定接続され、これが手持ちハウジングアセンブリ１１８の遠位端部に固定されている。
【０１２４】
手持ちハウジングアセンブリ１１８は、図示の構成要素の一部を含むことにより、対応する一対のネジ穴１１９にねじ込まれた一対のネジ１１７によって互いに固定接続された２つの相補部品１１８ａおよび１１８ｂとして構成されている。手持ちハウジングアセンブリ１１８の相補部品１１８ａおよび１１８ｂは、手動制御つまみ１１６が内部に沿って手動操作可能かつ直線平行移動可能となる直線状スロット（狭隘溝またはチャネル）１２０の２つの相補部１２０ａおよび１２０ｂがそれぞれ構成されている。例示的な固定・アンカリングアセンブリ１３２の遠位端部１３６は、手持ちハウジングアセンブリ１１８の内側近位部に固定接続されている。
【０１２５】
図４Ａおよび図４Ｂはそれぞれ、シース１１０および吻合孔生成デバイス１０８の構成要素および構造的／機能的特徴を強調した、装置１００（全体）の遠位端部の例示的な一実施形態の模式側面図および模式側面断面図である。図４Ｂは、血管壁ＢＶＷ、その内部の血管腔ＢＶＬ、その血管内壁ＢＶＩＷ、およびその血管内壁セグメントＢＶＩＷＳを有する例示的な血管ＢＶに対して、シース１１０および吻合孔生成デバイス１０８を示している。また、図４Ｂは、（たとえば、ニードルまたはシリンジを用いて医療従事者により）血管内壁セグメントＢＶＩＷＳに沿って血管壁ＢＶＷを通るように（前もって）作成された例示的な小さな孔［すなわち、非切開］ＳＨを示している。
【０１２６】
例示的な血管ＢＶは、たとえば外科的血管吻合術（たとえば、端側式の外科的血管吻合術）に使用する装置１００の展開用に選択された大動脈である。血管ＢＶの内側においては、血管腔ＢＶＬが血管内壁ＢＶＩＷによって境界付け（囲繞）されている。吻合術を実行する場合は、内部（を通るよう）に吻合孔が生成される血管内壁ＢＶＩＷに沿った対象領域が例示的な血管内壁セグメントＢＶＩＷＳにより特徴付けられるようになっていてもよい（図４Ｂにおいて、例示的な血管内壁セグメントＢＶＩＷＳの略上下境界を指す一対の参照破線の遠位端により示す）。
【０１２７】
例示的に上述した通り、シース１１０は、（ｉ）非作動の潰れた構成の孔封止アセンブリ１１２を外部から覆い、密に嵌合し、完全に包囲し、保持することと、（ｉｉ）（潰れた孔封止アセンブリ１１２によって）（たとえば、ニードルまたはシリンジを用いて医療従事者により）血管内壁セグメントＢＶＩＷＳに沿って血管壁ＢＶＷを通るように（前もって）作成された小さな（ニードルまたはシリンジサイズの）孔を通過することにより、外傷なく完全に血管腔に進入することと、を行うように構成されている（図４Ｂ、図１９Ａ、および図１９Ｂ）。
【０１２８】
シース１１０は、近位端１１０ｐｅが開放された主部１１０ｍと、遠位端（すなわち、テーパ状先端部または頂点部）１１０ｄｅが閉鎖された円錐状（すなわち、錐体または円錐形状）の遠位端部１１０ｄとを有する管状部材として構成されている。シース１１０の円錐状遠位端１１０ｄｅは、シース１１０の主部１１０ｍの外径よりも小さな最大外径を有する。例示的な実施形態において、シースの円錐状遠位端１１０ｄｅは、血管内壁セグメントＢＶＩＷＳに沿って血管壁ＢＶＷを通るように（前もって）作成された小さな孔ＳＨの直径よりも小さな最大外径を有する。
【０１２９】
たとえば遠位端１１０ｄｅにおけるシースの遠位端部１１０ｄの内側は、シース１１０の運動および位置決めならびに孔封止アセンブリ１１２の作動（駆動）を制御する可撓性制御ワイヤ１２８の遠位端に固定接続されている。非作動の潰れた構成の孔封止アセンブリ１１２の場合は、（可撓性制御ワイヤ１２８を包囲して保持する）可撓性チューブ１３０がシースの開放近位端１１０ｐｅから近位方向に現れる。
【０１３０】
シースの円錐状遠位端部１１０ｄ（閉鎖遠位端［テーパ状先端部または頂点部］１１０ｄｅを伴う）は、（潰れた孔封止アセンブリ１１２によって）血管内壁セグメントＢＶＩＷＳに沿って血管壁ＢＶＷを通るように作成された小さな（ニードルまたはシリンジサイズの）孔ＳＨを通過することにより、外傷なく完全に血管腔ＢＶＬに進入する上で非常に効果的である。たとえば、端側ＣＡＢＧ外科的血管吻合術を実行する場合は、およそ０．８ミリメートル（ｍｍ）〜１．０ミリメートル（ｍｍ）の範囲の直径を有するニードルまたはシリンジを用いて大動脈壁に小さな孔ＳＨが作成されることで、この小孔が同様の直径を有することになる。例示的なシース１１０は、外径がおよそ２ミリメートル（ｍｍ）の主部１１０ｍと、外径がおよそ０．６ミリメートル（ｍｍ）で、シースの主部１１０ｍ（２ｍｍ）および小さな（ニードルまたはシリンジサイズの）孔ＳＨ（０．８〜１．０ｍｍ）それぞれの直径よりも小さい円錐状遠位端１１０ｄｅとを有する。以上から、可撓性制御ワイヤ１２８の近位−遠位（押し込み）運動によって、（直径がおよそ０．６ｍｍの）シースの円錐状遠位端１１０ｄｅは、（直径がおよそ０．８〜１．０ｍｍの）小さな孔ＳＨを容易に通過することにより、（直径がおよそ２ｍｍの）シースの主部１１０ｍの大動脈管腔への進入を外傷なく容易にする。
【０１３１】
ＢＶＩＷ封止・孔形成デバイス１０２の別の主要な構成要素である吻合孔生成デバイス１０８は、血流のない状態で、最初は遠位方向案内運動により、その後は近位方向案内運動によって、周辺封止血管内壁セグメントを通過する吻合孔を外傷なく生成するように構成されている。
【０１３２】
吻合孔生成デバイス１０８は、外側アセンブリ１５０および内側アセンブリ１５２を具備する。外側アセンブリ１５０および内側アセンブリ１５２はそれぞれ、（共有）同心長手方向軸に沿って同軸管状に成形されている。例示的な実施形態においては、内側アセンブリ１５２が外側アセンブリ１５０よりも長い（すなわち、内側アセンブリ１５２の全長が外側アセンブリ１５０の全長よりも大きい）。
【０１３３】
非作動構成の装置１００の場合、可撓性チューブ１３０およびその内部の可撓性制御ワイヤ１２８は、手動孔封止コントローラアセンブリ１１４から吻合孔生成デバイスの内側アセンブリ１５２および外側アセンブリ１５０それぞれの中心管状空洞を通って（非作動の潰れた構成の）孔封止アセンブリ１１２が内部に保持されたシース１１０中へと遠位方向に延びる。
【０１３４】
（共有）同心長手方向軸に沿って、内側アセンブリ１５２の一部が外側アセンブリ１５０により同心状に囲まれるとともに、外側アセンブリ１５０内に沿って密に嵌合する。このような外側アセンブリ１５０における内側アセンブリ１５２の一部の密な嵌合は、外側アセンブリ１５０および内側アセンブリ１５２がそれぞれ互いに直線平行移動可能となる（すなわち、同心長手方向軸に沿って互いに、遠位方向および近位方向に前後に摺動移動可能となる）形態である。外側アセンブリ１５０および内側アセンブリ１５２それぞれの直線平行移動可能な相対運動は、ばね１５４によって制御可能であるとともに制限される。
【０１３５】
ばね１５４は、長手方向スロット１５３（図４Ｂ）の内側に収容され、これが内側アセンブリ１５２の中心管状空洞の内側に同軸で構成されている。ばね１５４の近位端は、ピン１５５を介して長手方向スロット１５３の内側の適所に保持されている。ピン１５５は、突出リム（フランジ）１５６に近接した外側アセンブリ１５０の近位端部において、外側アセンブリ１５０の中心管状空洞に収容され、これを横切る（通る）ように直交して（垂直に）延びている。ピン１５５は、外側アセンブリ１５０の近位端部に位置する一対の２つの対向（正対）して位置決めされた孔１５７（図５Ａ）によって適所に保持される。ばね１５４の遠位端は、内側アセンブリ１５２の中心管状空洞の遠位端１５９によって適所に保持される。したがって、ばね１５４およびその運動は、近位方向にはピン１５５によって制限され、遠位方向には内側アセンブリの中心空洞の遠位端１５９によって制限される。
【０１３６】
内側アセンブリ１５２の遠位端部は、（ｉ）血流のない状態で、遠位方向（すなわち、前方）案内（手動押し込み）運動により、選択した血管の血管内壁セグメントに（たとえば、ニードルまたはシリンジにより）作成された小さな孔［すなわち、非切開］を外傷なく通過することと、（ｉｉ）近位方向（すなわち、逆方向）案内（手動引き込み）運動により、選択した血管の血管内壁セグメントを通る吻合孔を生成することと、（ｉｉｉ）さらなる近位方向（逆方向）案内（手動引き込み）運動により、選択した血管の血管内壁セグメントを通るように生成された孔から出ることによって、選択した血管から出ることと、を行うように構成された吻合孔生成部材１７０が構成されている。
【０１３７】
吻合孔生成部材１７０の遠位部は、管状錐体として構成されている。管状錐体の近位端部には管状錐体の円形基部を含み、管状錐体の遠位端部には管状錐体のテーパ状先端部（頂点部）を含む。このような管状錐体構成は、上記（ｉ）の実行すなわち遠位方向（前方）案内（手動押し込み）運動による選択血管の壁を通るように作成された小さな（ニードルまたはシリンジサイズの）孔の外傷なき通過に非常に効果的である。具体的に、遠位方向案内（手動押し込み）運動によって血管壁の小さな孔［すなわち、非切開］を通過する場合の吻合孔生成部材１７０の遠位部の（傾斜またはテーパ状）円錐形状は、吻合孔生成部材の遠位部の非円錐構成によって発生する可能性がある血管壁の考え得る望ましくない損傷または損壊を除外または最小化するように小さな穴を外傷なく広げる（拡幅する、拡大する）。
【０１３８】
孔生成部材の管状錐体１７０の近位端部には、管状錐体の円形基部から連続して近位方向に延びた非傾斜（非テーパ状）の管状セグメント１７３をさらに含む。比傾斜（非テーパ状）の管状セグメント１７３は、外径が管状錐体の円形基部の直径と同じで、長手方向（すなわち、近位−遠位）長さが管状錐体１７０の（近位−遠位）高さよりも小さいリングの形態を有する。管状セグメントの近位端は、血管壁を通る吻合孔を生成するように、（血管内壁セグメント内から血管内壁セグメントの外側まで）血管壁を通り抜けるように構成された鋭い縁部を有する。このような管状セグメント構成は、近位方向（すなわち、逆方向）案内（手動引き込み）運動による血管内壁セグメントを通る吻合孔の生成に非常に効果的である。吻合孔生成部材１７０の残りの近位方向延伸部（すなわち、管状セグメント１７３から近位方向に延びた部分）は、直径が管状錐体の円形基部（または、これと連続する管状セグメント１７３）の直径よりも小さい管状形状であり、管状セグメント１７３の近位端から内側アセンブリ１５２の中間部まで近位方向に延びた一種の管状「テール」として構成されている。吻合孔生成デバイス１０８の内側アセンブリ１５２および外側アセンブリ１５０それぞれの中心管状空洞に関しては、管状セグメント１７３の中心管状空洞が（内部に可撓性制御ワイヤ１２８を備えた）可撓性チューブ１３０の可逆的な通過を容易にする。
【０１３９】
図５Ａおよび図５Ｂは、シース１１０の孔封止アセンブリ１１２からの非直線状遠位方向案内除去および分離によって、血管腔における可撓性制御ワイヤ１２８の遠位部の曲率部形成をさらに強調した、（作動構成の）装置１００（全体）の例示的な実施形態の模式側面図である。
【０１４０】
図５Ａは、吻合孔生成デバイス１０８の使用前に、孔封止デバイスの遠位部１０６ｄ（シース１１０および内部に保持された孔封止アセンブリ１１２を含む）の手動制御（駆動、運動、位置決め）を容易にするように、直線状スロット１２０に沿った手動制御つまみ１１６の手動（遠位方向）押し込みによって、既に手動操作されている手動孔封止コントローラアセンブリ１１４を示す。
【０１４１】
図５Ｂは、血管壁ＢＶＷ、その内部の血管腔ＢＶＬ、その血管内壁ＢＶＩＷ、およびその血管内壁セグメントＢＶＩＷＳを有する例示的な血管ＢＶに対して、特に孔封止デバイスの遠位部１０６ｄに包含された装置１００の構成要素の拡大側面図である。また、図５Ｂは、（たとえば、ニードルまたはシリンジを用いて医療従事者により）血管内壁セグメントＢＶＩＷＳに沿って血管壁ＢＶＷを通るように（前もって）作成された例示的な小さな孔ＳＨ（図５Ｂにおいて、血管壁ＢＶＷおよび血管内壁ＢＶＩＷに進入するとともに通過する参照点線の遠位端部により示す）を示している。
【０１４２】
例示的な血管ＢＶは、たとえば外科的血管吻合術（たとえば、端側式の外科的血管吻合術）に使用する装置１００の展開用に選択された大動脈である。血管ＢＶの内側においては、血管腔ＢＶＬが血管内壁ＢＶＩＷによって境界付け（囲繞）されている。吻合術を実行する場合は、内部（を通るよう）に吻合孔が生成される血管内壁ＢＶＩＷに沿った対象領域が例示的な血管内壁セグメントＢＶＩＷＳにより特徴付けられるようになっていてもよい（図５Ｂにおいて、例示的な血管内壁セグメントＢＶＩＷＳの略上下境界を指す一対の参照破線の遠位端により示す）。
【０１４３】
可撓性制御ワイヤ１２８の使用によって、シース１１０が孔封止アセンブリ１１２から遠位方向に除去されることにより、自己拡張の容易にと、選択した血管ＢＶの血管腔ＢＶＬの内側における血管内壁セグメントＢＶＩＷＳに沿った孔封止アセンブリ１１２の手動制御位置決めとが容易にされる。これにより、作動した自己拡張構成の孔封止アセンブリ１１２は、血管腔ＢＶＬの内側でその血管内壁セグメントＢＶＩＷＳに沿って、血流のない周辺封止血管内壁セグメントＢＶＩＷＳを形成するように、血管内壁セグメントＢＶＩＷＳに作成された小さな（ニードルまたはシリンジサイズの）孔の周りの周辺シールを正確に外傷なく確立することと、その後、血流のない状態で、周辺封止血管内壁セグメントＢＶＩＷＳを維持することとが容易にされる。
【０１４４】
孔封止アセンブリ１１２は、血流のない状態で、周辺封止血管内壁セグメントＢＶＩＷＳを外傷なく確立および維持することにより、血流のない状態での（ＢＶＩＷ封止・孔形成デバイス１０２およびその構成要素（孔生成デバイス１０６および吻合孔生成デバイス１０８を含む）による）周辺封止血管内壁セグメントＢＶＩＷＳを通る吻合孔の形成（生成）を効果的に容易にする。孔封止アセンブリ１１２は、血流のない状態でのＢＶＩＷ封止・孔形成デバイス１０２による（孔封止デバイス１０６および吻合孔生成デバイス１０８を介した）周辺封止血管内壁セグメントＢＶＩＷＳを通る吻合孔（たとえば、およそ４〜５ミリメートル（ｍｍ）の直径を有する）の形成（生成）前、形成（生成）中、および形成（生成）後に、血流のない状態で、周辺封止血管内壁セグメントＢＶＩＷＳを外傷なく維持する。このような孔封止アセンブリ１１２の構造的および機能的特性および特徴により、選択した血管ＢＶの血管腔ＢＶＬの内側において外科的血管吻合術を実行する上で、血管内壁セグメントＢＶＩＷＳの周辺を囲む非常に望ましい外傷なき「無血流」局所環境がもたらされる。
【０１４５】
可撓性チューブ１３０内の可撓性制御ワイヤ１２８は、手動孔封止コントローラアセンブリ１１４の手動操作によって、孔封止デバイスの近位部１０６ｐと遠位部１０６ｄとの間で直線平行移動可能（直線押し引き可能ならびに遠位方向および近位方向の前後摺動移動可能）となる。例示的な実施形態において、可撓性チューブ１３０の外側の可撓性制御ワイヤ１２８は、手動孔封止コントローラアセンブリ１１４の手動操作によって、孔封止アセンブリ１１２の（首部または頂点部）遠位端１１２ｄｅとシース１１０の近位端（開口）１１０ｐｅとの間で非直線平行移動可能（非直線押し引き可能ならびに遠位方向および近位方向の前後摺動移動可能）となる。
【０１４６】
例示的な実施形態において、シース１１０、孔封止アセンブリ１１２、可撓性制御ワイヤ１２８、および可撓性チューブ１３０は、たとえば端側式の外科的血管吻合術等の外科的血管吻合術での使用に特に関連する以下の作動構成を有するように構成されている。
【０１４７】
シース１１０および孔封止アセンブリ１１２が作動構成を有することにより、シース１１０の近位端（すなわち、開口）１１０ｐｅは、（作動した自己拡張構成の）孔封止アセンブリ１１２の（首部または頂点部）遠位端１１２ｄｅに隣接せず、離れている。具体的に、作動構成において、シース１１０の近位端１１０ｐｅは、（制御ワイヤ１２８による）シース１１０の遠位方向案内手動押し込み運動によって、（作動した自己拡張構成の）孔封止アセンブリ１１２の遠位端１１２ｄｅから遠位方向に離れて、ある距離（たとえば、少なくとも数ミリメートル、最大で数センチメートル）に位置決めされる。
【０１４８】
シースの近位端１１０ｐｅは、可撓性制御ワイヤ１２８の遠位端部によるシース１１０の手動押し込み（および、シースの遠位端１１０ｄｅの非直線平行移動）によって遠位方向に非直線状に案内されることにより、（作動した自己拡張構成の）孔封止アセンブリの遠位端１１２ｄｅから遠位方向に非直線状に離れて、ある距離（たとえば、数ミリメートル〜数センチメートル）に位置決めされる。このようなシース１１０および孔封止アセンブリ１１２の作動構成によれば、制御ワイヤ１２８は、たとえば以下のように、特に孔封止アセンブリ１１２の遠位端１１２ｄｅとシース１１０の近位端１１０ｐｅとの間に延びた鋭角状曲率部２００（すなわち、鋭角を有し、鋭角を特徴とする曲率部）を特徴とする作動構成を有することが容易にされる。
【０１４９】
可撓性制御ワイヤ１２８は、たとえば図２、図５Ａ、および図５Ｂに示すように、（作動した自己拡張構成の）孔封止アセンブリ１１２の（首部または頂点部）遠位端１１２ｄｅと（孔封止アセンブリ１１２から除去された［遠位方向に非直線状に離れて、ある距離に位置決めされた］）シース１１０の近位端（開口）１１０ｐｅとの間に延びた可撓性制御ワイヤ１２８の遠位端部が鋭角状曲率部（鋭角の曲率部）２００を有する作動構成となる。可撓性制御ワイヤ１２８の遠位端部の鋭角状曲率部２００は、本質的には最大で直角すなわち９０°（９０度）であってもよく、０°（ゼロ度）〜９０°（９０度）の範囲を有する。可撓性制御ワイヤの遠位端部の鋭角状曲率部２００は、数ミリメートル（ｍｍ）〜数センチメートル（ｃｍ）の範囲の長さ（たとえば、１５〜２０ミリメートル（ｍｍ））を有する。
【０１５０】
可撓性制御ワイヤの鋭角状曲率部２００は、外科的血管吻合術の実行に選択した血管（たとえば、大動脈）等、選択した血管ＢＶの内側の血管腔ＢＶＬ（の内径）において、（非作動および作動の両構成の）（ａ）シース１１０、（ｂ）可撓性制御ワイヤ１２８、および（ｃ）孔封止アセンブリ１１２の（結合）長さの外傷なき効率的な物理的適合および対応を容易にする。具体的に、第１には、血管腔ＢＶＬにおいて、（ａ）孔封止アセンブリ１１２から遠位方向に除去された後の（依然として非作動の潰れた構成の）シース１１０の長さと、（ｂ）可撓性制御ワイヤ１２８の遠位端部の鋭角状曲率部２００の長さおよび（ｃ）（依然として非作動の潰れた構成の）孔封止アセンブリ１１２の長さとの組み合わせの外傷なき適合および対応を容易にする。第２には、血管腔ＢＶＬ（の内径）において、（ａ）孔封止アセンブリ１１２から遠位方向に除去された後の（作動した自己拡張構成の場合の）シース１１０の長さと、（ｂ）可撓性制御ワイヤ１２８の遠位端部の鋭角状曲率部２００の長さならびに（ｃ）（完全作動完全自己拡張構成の）孔封止アセンブリの長さおよび幅（直径）との組み合わせの外傷なき適合および対応を容易にする。
【０１５１】
第２の態様に関しては、可撓性制御ワイヤの遠位端部が鋭角状曲率部２００を有する場合にのみ、（ａ）（孔封止アセンブリ１１２から遠位方向に除去され、離れて位置決めされた）シース１１０、（ｂ）可撓性制御ワイヤの遠位端部の鋭角状曲率部２００、および（ｃ）（完全作動完全自己拡張構成の）孔封止アセンブリの（結合）長さに血管腔ＢＶＬの内径が物理的に適合および対応し得る。可撓性制御ワイヤ１２８の遠位端部の鋭角状曲率部２００がないシナリオの場合は、血管腔ＢＶＬの内径が小さいため、（ａ）（たとえば、孔封止アセンブリ１１２から遠位方向に除去されたものの、隣接しており、離れて位置決めされていない）シース１１０および（ｂ）（完全作動完全自己拡張構成の）孔封止アセンブリの［近位−遠位］直線状（または、ほぼ直線状）の構成の（結合）長さに対する物理的適合および対応は不可能である。
【０１５２】
このような可撓性制御ワイヤ１２８の特性および特徴によれば、血管腔ＢＶＬの内側でその血管内壁セグメントＢＶＩＷＳに沿って、血流のない周辺封止血管内壁セグメントＢＶＩＷＳを形成するように、血管内壁セグメントＢＶＩＷＳに作成された小さな（ニードルまたはシリンジサイズの）孔の周りの周辺シールを外傷なく確立することと、血流のない状態で、周辺封止血管内壁セグメントを通る吻合孔の形成（生成）中に、周辺封止血管内壁セグメントＢＶＩＷＳを維持することと、を行う孔封止アセンブリ１１２の非常に効率的かつ効果的な動作が容易にされる。
【０１５３】
（図１および図２を参照して）例示的に上述するとともに（図８Ａを参照して）以下に詳述する通り、孔封止アセンブリ１１２は、（ｉ）血管腔ＢＶＬの内側でその血管内壁セグメントＢＶＩＷＳに沿って、血流のない周辺封止血管内壁セグメントＢＶＩＷＳを形成するように、血管内壁セグメントＢＶＩＷＳに作成された小さな（ニードルまたはシリンジサイズの）孔の周りの周辺シールを外傷なく確立することと、（ｉｉ）血流のない状態で、周辺封止血管内壁セグメントＢＶＩＷＳを維持することと、を行うように構成されている。これにより、ＢＶＩＷ封止・孔形成デバイス１０２は（孔生成デバイス１０６および吻合孔生成デバイス１０８を介して）、選択した血管ＢＶの血管腔ＢＶＬの内側において外科的血管吻合術を実行する上で、血管内壁セグメントＢＶＩＷＳの周辺を囲む非常に望ましい外傷なき「無血流」局所環境において、周辺封止血管内壁セグメントを通る吻合孔を形成（生成）することが容易にされる。
【０１５４】
孔封止アセンブリ１１２は、対応する潰れた構成および自己拡張構成を有することと併せて、可逆的に潰れ可能および自己拡張可能である（すなわち、潰れ可能、自己拡張可能、再潰れ可能）。孔封止アセンブリ１１２は、可逆的に自己拡張可能および潰れ可能な特性を孔封止アセンブリ１１２に与える可撓性の弾性材料（たとえば、可撓性の弾性金属、プラスチック、合成ポリマー、複合材、または／および同様の種類の材料）で構成されている。
【０１５５】
孔封止アセンブリ１１２は、非作動の潰れた構成および作動した自己拡張構成のそれぞれにおいて、管状形状または形態（すなわち、首または喉状の端部）を有する遠位端部を有する。孔封止アセンブリ１１２の遠位端部（首部または頂点部）の管状形状または形態によって、（可撓性制御ワイヤ１２８を備えた）可撓性チューブ１３０の遠位端（のみ）への操作接続が容易にされる。このような操作接続により、可撓性制御ワイヤ１２８は、可撓性チューブ１３０を遠位方向に通過して、シース１１０を孔封止アセンブリ１１２から遠位方向に除去することができ、孔封止アセンブリ１１２が作動した自己拡張構成を有することになる。また、このような操作接続により、可撓性制御ワイヤ１２８は、可撓性チューブ１３０を近位方向に引き戻して、シース１１０を孔封止アセンブリ１１２上に戻すことができ、孔封止アセンブリが再び非作動の潰れた構成として包囲および保持される。
【０１５６】
作動した自己拡張構成の孔封止アセンブリ１１２は、可撓性かつ弾性の全体的な半球（傘上部、ドーム、またはベル）形状または形態を有する。このような例示的な実施形態において、孔封止アセンブリ１１２は、半球形状または形態を有する（主要な）中間部と、鋭角のフレアまたはフレア状形状または形態を有する（すなわち、中間部から外方へと近位方向に拡張または開放した）（比較的短い）近位端部とを含む。このような例示的な実施形態において、孔封止アセンブリの（主要な）中間部は、孔封止アセンブリの遠位端部（首部または頂点部）および孔封止アセンブリの近位端部それぞれの（近位−遠位）長さよりも大きな（近位−遠位）長さを有する。
【０１５７】
例示的な実施形態において、孔封止アセンブリの中間部および近位部（すなわち、孔封止アセンブリの遠位端部の近位端から孔封止アセンブリの近位端まで近位方向に延びた部分）は、ストラットを有し、可撓性の弾性外部または外側カバーにより完全に覆われた（すなわち、ストラットの周囲および間を連続的に覆われた）可撓性の弾性骨格（または、ネット、メッシュ）型フレームとして構成されている。
【０１５８】
例示的な実施形態において、（ストラットを備えた）フレームは、多角形（たとえば、三角形、正方形、長方形、五角形、六角形、七角形、八角形、ダイヤモンド型形状、または類似形状）の幾何学的パターンを有するように構成されている。例示的な実施形態において、（ストラットを備えた）フレームは、このような多角形の幾何学的パターンを有する複数（少なくとも２列、たとえば３列）のストラットを具備する。
【０１５９】
（ストラットを備えた）フレームは、孔封止アセンブリの中間部および近位部の半球およびフレア形状もしくは形態ならびに構造的支持を提供する。外部または外側カバーは、孔封止アセンブリの中間部および近位部に対して、非常に効果的な封止特性を与える。
【０１６０】
孔封止アセンブリの中間部および近位部に関するこのような例示的な実施形態によれば、異なる血管の内側の異なる血管腔において考え得る異なる特定形状または形態およびサイズ寸法に従った孔封止アセンブリ１１２の物理的適合、対応、および作動（駆動）が容易にされる。たとえば、大動脈に関して、管腔の特定形状または形態およびサイズ寸法は通常、患者ごとに異なる。また、たとえば、孔封止アセンブリの中間部および近位端部の柔軟な形状または形態によれば、外科的血管吻合術中の様々な血管腔の実時間の（動的に変化する）構造的特徴に対する実時間の（動的な）自己適応（自己調整、自己変化）が容易にされる。
【０１６１】
作動した自己拡張構成の孔封止アセンブリ１１２の場合、孔封止アセンブリの中間部１１２ｍの可撓性の弾性半球形状または形態は、孔封止アセンブリの近位端部１１２ｐの可撓性の弾性フレアまたはフレア状形状または形態と併せて、たとえば端側式の外科的血管吻合術等の外科的血管吻合術での使用に特に関連するとともに都合が良い。たとえば、作動した自己拡張構成の孔封止アセンブリ１１２の場合、中間部の可撓性の半球形状または形態は、孔封止アセンブリ１１２の近位端の可撓性の弾性フレアまたはフレア状形状または形態と併せて、外科的血管吻合術を実行する血管腔ＢＶＬの無血流局所環境において、周辺封止血管内壁セグメントＢＶＩＷＳ内に十分な作動（動作）空間（容積）を提供する。また、孔封止アセンブリ１１２の近位端のフレアまたはフレア状形状または形態は、（たとえば、図５Ｂにおいて、参照記号ＰＳの点線矢印により示すように）血管内壁セグメントＢＶＩＷＳの周りの周辺シールを確立および維持する血管内壁セグメントＢＶＩＷＳ（および、その血管組織）の周囲（外周）に直接接触する孔封止アセンブリ１１２の部分（すなわち、近位端）に対して外傷なき（すなわち、鋭くも角張ってもない封止）構造を与える。
【０１６２】
図６は、孔封止デバイス１０６の手動孔封止コントローラアセンブリ１１４の構成要素および構造的／機能的特徴を強調した、装置１００（全体）の近位端部の例示的な一実施形態の模式側面図である。手動孔封止コントローラアセンブリ１１４は、手動制御つまみ１１６および手持ちハウジングアセンブリ１１８を含む手持ちモジュールとして構成されている。図４を参照して例示的に上述したものに加えて、図６は、手持ちハウジングアセンブリ１１８の内側の構成要素および接続の拡大側面図である。たとえば、図６は、チューブ支持部材１３１に固定接続され、これが手持ちハウジングアセンブリ１１８の遠位端部に固定された可撓性チューブ１３０の近位端の拡大図である。また、たとえば、図６は、手動制御つまみ１１６によって手持ちハウジングアセンブリ１１８の内側に固定接続された可撓性制御ワイヤ１２８の近位端部の拡大図である。また、図６は、支持部材１１７により支持された手動制御つまみ１１６の拡大図であり、手動制御つまみ１１６および支持部材１１７が単一の一体構造として一体的に形成および構成されている。
【０１６３】
図７は、孔封止デバイス１０６の別の例示的な手動孔封止コントローラアセンブリ２２０の構成要素および構造的／機能的特徴を強調した、装置１００（全体）の近位端部の別の例示的な実施形態の模式側面図である。手動孔封止コントローラアセンブリ２２０は、手動制御つまみ２２２、手持ちハウジングアセンブリ２２４、および固定・アンカリングアセンブリ２２６を含む手持ちモジュールとして構成されている。
【０１６４】
手動制御つまみ２２２または類似種類の構造体は、たとえば手動制御つまみ２２２を指（たとえば、親指）で押すか引くことにより、手動操作可能かつ直線平行移動可能（手動押し引き可能ならびに遠位方向および近位方向の前後摺動移動可能）に構成されている。手持ちハウジングアセンブリ２２４は、たとえば図７において破線の双頭（両方向）矢印２３０により示すように、手動制御つまみ２２２が内部に沿って手動操作可能かつ直線平行移動可能となる直線状スロット（狭隘溝またはチャネル）２２８が構成されている。
【０１６５】
可撓性チューブ１３０の近位端は、チューブ支持部材２３２に固定接続され、これが手持ちハウジングアセンブリ２２４の遠位端部に固定されている。可撓性制御ワイヤ１２８の近位端部は、たとえば手動制御つまみ２２２によって手持ちハウジングアセンブリ２２４の内側に固定接続される。手持ちハウジングアセンブリ２２４の内側においては、手動制御つまみ２２２が支持部材２３４により支持されている。例示的な実施形態において、手動制御つまみ２２２および支持部材２３４は、単一の一体構造として一体的に形成および構成されている。
【０１６６】
手動孔封止コントローラアセンブリ２２０（および、その内部の手動制御つまみ２２２）の手動操作によって、可撓性チューブ１３０の内側（すなわち、シース１１０を孔封止アセンブリ１１２から遠位方向に除去する前）の可撓性制御ワイヤ１２８は、孔封止デバイスの近位部１０６ｐと遠位部１０６ｄとの間で直線平行移動可能（直線押し引き可能ならびに遠位方向および近位方向の前後摺動移動可能）となる。手動孔封止コントローラアセンブリ１１４の操作に関して例示的に上述したものと同様に、ここでも、手動孔封止コントローラアセンブリ２２０（および、その内部の手動制御つまみ２２２）の手動操作により、例示的な実施形態において、可撓性チューブ１３０の外側（すなわち、シース１１０の孔封止アセンブリ１１２からの除去中および除去後）の可撓性制御ワイヤ１２８は、孔封止アセンブリ１１２の（首部または頂点部）遠位端とシース１１０の近位端（開口）との間で非直線平行移動可能（非直線押し引き可能ならびに遠位方向および近位方向の前後摺動移動可能）となる。
【０１６７】
固定・アンカリングアセンブリ２２６は、近位端２３９が締結具またはラッチとして構成された固定・アンカリング部材２３８（たとえば、ピンまたはロッド）と動作可能に接続された引張りばね２３６を含むばね式機構が構成されている。固定・アンカリングアセンブリ２２６は、たとえば図７において破線の双頭（両方向）矢印１３９により示すように、（固定接続によって）手動孔封止コントローラアセンブリ２２０を安定した静止（固定）物体１３３に可逆的に固定およびアンカリングするとともに、もはや必要なくなった場合に手動孔封止コントローラアセンブリ２２０を安定した静止（固定）物体１３３から取り外すように構成されている。
【０１６８】
上記説明の通り、手動孔封止コントローラアセンブリ（１１４［図６］または２２０［図７］）は、孔封止デバイス１０６の構成要素であり、これがＢＶＩＷ封止・孔形成デバイス１０２の一部であり、これが外科的血管吻合術に使用する装置１００（全体）の一部である。例示的な実施形態においては、手動孔封止コントローラアセンブリ（１１４または２２０）も個々の「独立型」装置と考えられる。したがって、手動孔封止コントローラアセンブリ（１１４または２２０）装置は、外科的血管吻合術に使用する装置１００（全体）の例示的な特定の「副組み合わせ」に対応し、これが本発明のいくつかの実施形態の別の態様に対応する。
【０１６９】
図８Ａは、孔封止アセンブリ１１２（孔封止デバイス１０６の一部）の例示的な一実施形態の模式側面図である。孔封止アセンブリ１１２は、血管腔の内側でその内壁セグメントに沿って、血流のない周辺封止血管内壁セグメントを形成するように、血管内壁セグメントに作成された小さな（ニードルまたはシリンジサイズの）孔の周りの周辺シールを外傷なく確立するように構成されている（たとえば、図５Ｂ、図１９Ｃ、および図１９Ｄに示す）。また、孔封止アセンブリ１１２は、血流のない状態で、周辺封止血管内壁セグメントを維持するように構成されている（たとえば、図１９Ｅ〜図１９Ｇに示す）。
【０１７０】
孔封止アセンブリ１１２は、血流のない状態でのＢＶＩＷ封止・孔形成デバイス１０２による（孔封止デバイス１０６および吻合孔生成デバイス１０８を介した）周辺封止血管内壁セグメントを通る吻合孔（たとえば、およそ４〜５ミリメートル（ｍｍ）の直径を有する）の形成（生成）前、形成（生成）中、および形成（生成）後に、血流のない状態で、周辺封止血管内壁セグメントを外傷なく維持する。このような孔封止アセンブリ１１２の構造的および機能的特性および特徴により、選択した血管の血管腔の内側において外科的血管吻合術を実行する上で、血管内壁セグメントの周辺を囲む非常に望ましい外傷なき「無血流」局所環境がもたらされる。
【０１７１】
例示的な実施形態において、孔封止アセンブリ１１２は、対応する潰れた構成および自己拡張構成を有することと併せて、可逆的に潰れ可能および自己拡張可能である（すなわち、潰れ可能、自己拡張可能、再潰れ可能）。孔封止アセンブリ１１２は、自己拡張可能および潰れ可能な特性を孔封止アセンブリ１１２に与える可撓性の弾性材料（たとえば、可撓性の弾性金属、プラスチック、合成ポリマー、複合材、または／および同様の種類の材料）で構成されている。孔封止アセンブリ１１２は、閉じた（潰れた）傘の上部と同様の非作動の潰れた構成を有する。孔封止アセンブリ１１２は、開いた（拡張した）傘の上部と同様の作動した自己拡張構成を有する。孔封止アセンブリ１１２は、非作動の潰れた構成から作動した自己拡張構成へと自己拡張可能に構成されている。具体的に、孔封止アセンブリ１１２は、シース１１０に包囲されて保持されることにより、潰れた構成に限られる。孔封止アセンブリ１１２は、その周りからシース１１０を除去すると、自己拡張して自己拡張構成となる。
【０１７２】
孔封止アセンブリ１１２は、非作動の潰れた構成および作動した自己拡張構成のそれぞれにおいて、管状形状または形態（すなわち、首または喉状の端部）を有する（比較的短い）遠位端部１１２ｄ（遠位端１１２ｄｅを含む）を有する。
【０１７３】
このような例示的な実施形態においては、孔封止アセンブリ１１２の遠位端部（首部または頂点部）１１２ｄの管状形状または形態によって、（内側に可撓性制御ワイヤ１２８を備えた）可撓性チューブ１３０の遠位端（のみ）への操作接続が容易にされる。このような操作接続により、可撓性制御ワイヤ１２８は、可撓性チューブ１３０を遠位方向に通過して、シース１１０を孔封止アセンブリ１１２から遠位方向に除去することができ、孔封止アセンブリ１１２が作動した自己拡張構成を有することになる。また、このような操作接続により、可撓性制御ワイヤ１２８は、シース１１０を近位方向に引き戻して、シース１１０を孔封止アセンブリ１１２上に戻すことができ、孔封止アセンブリ１１２が再び非作動の潰れた構成として包囲および保持される。
【０１７４】
作動した自己拡張構成の孔封止アセンブリ１１２は、可撓性かつ弾性の全体的な半球（傘上部、ドーム、またはベル）形状または形態を有する。このような例示的な実施形態において、作動した自己拡張構成の孔封止アセンブリ１１２は、半球形状または形態を有する（主要な）中間部１１２ｍと、鋭角のフレアまたはフレア状形状または形態を有する（すなわち、中間部１１２ｍの近位端から、近位方向に徐々に、近位端１１２ｐｅまで外方に非直線拡張または開放した）（比較的短い）近位端部１１２ｐとを含む。このような例示的な実施形態において、孔封止アセンブリの（主要な）中間部１１２ｍは、孔封止アセンブリの遠位端部（首部または頂点部）１１２ｄおよび孔封止アセンブリの近位端部１１２ｐそれぞれの（近位−遠位）長さよりも大きな（近位−遠位）長さを有する。
【０１７５】
例示的な実施形態において、孔封止アセンブリの中間部１１２ｍおよび近位部１１２ｐ（すなわち、孔封止アセンブリの遠位端部１１２ｄの近位端から孔封止アセンブリの近位端１１２ｐｅまで近位方向に延びた部分）は、ストラット２４０ｓを有し、可撓性の弾性外部または外側カバー２４２により完全に覆われた（すなわち、ストラット２４０ｓの周囲および間を連続的に覆われた）可撓性の弾性骨格（または、ネット、メッシュ）型フレーム２４０として構成されている。
【０１７６】
例示的な実施形態において、（ストラット２４０ｓを備えた）フレーム２４０は、多角形（たとえば、三角形、正方形、長方形、五角形、六角形、七角形、八角形、ダイヤモンド型形状、または類似形状）の幾何学的パターンを有するように構成されている。例示的な実施形態において、（ストラット２４０ｓを備えた）フレーム２４０は、このような多角形の幾何学的パターンを有する複数（少なくとも２列、たとえば３列）のストラット２４０ｓを具備する。たとえば、図８Ａに示すように、（ストラット２４０ｓを備えた）フレーム２４０は、ダイヤモンド型形状の幾何学的パターンを有する複数（３列）のストラット２４０ｓを具備する。
【０１７７】
（ストラット２４０ｓを備えた）フレーム２４０は、孔封止アセンブリの中間部１１２ｍおよび近位端部１１２ｐの半球およびフレア形状もしくは形態ならびに構造的支持を提供する。外部または外側カバー２４２は、孔封止アセンブリの中間部１１２ｍおよび近位端部１１２ｐに対して、非常に効果的な封止特性を与える。
【０１７８】
孔封止アセンブリの中間部１１２ｍおよび近位端部１１２ｐに関するこのような例示的な実施形態によれば、異なる血管の内側の異なる血管腔において考え得る異なる特定形状または形態およびサイズ寸法に従った孔封止アセンブリ１１２の物理的適合、対応、および作動（駆動）が容易にされる。たとえば、大動脈に関して、管腔の特定形状または形態およびサイズ寸法は通常、患者ごとに異なる。また、たとえば、孔封止アセンブリの中間部１１２ｍおよび近位端部１１２ｐの柔軟な形状または形態によれば、外科的血管吻合術中の様々な血管腔の実時間の（動的に変化する）構造的特徴に対する実時間の（動的な）自己適応（自己調整、自己変化）が容易にされる。
【０１７９】
作動した自己拡張構成の孔封止アセンブリ１１２の場合、孔封止アセンブリの中間部１１２ｍの可撓性の弾性半球形状または形態は、孔封止アセンブリの近位端部１１２ｐの可撓性の弾性フレアまたはフレア状形状または形態と併せて、たとえば端側式の外科的血管吻合術等の外科的血管吻合術での使用に特に関連するとともに都合が良い。たとえば、作動した自己拡張構成の孔封止アセンブリ１１２の場合、孔封止アセンブリの中間部１１２ｍの可撓性の半球形状または形態は、孔封止アセンブリの近位端部１１２ｐの可撓性の弾性フレアまたはフレア状形状または形態と併せて、外科的血管吻合術を実行する血管腔の無血流局所環境において、周辺封止血管内壁セグメント内に十分な作動（動作）空間（容積）を提供する。また、孔封止アセンブリの近位端部１１２ｐのフレアまたはフレア状形状または形態は、血管内壁セグメントの周りの周辺シールを確立および維持する血管内壁セグメント（および、その組織）の周囲（外周）に直接接触する孔封止アセンブリ１１２の部分（すなわち、近位端部１１２ｐの円周方向近位端１１２ｐｅ）に対して外傷なき（すなわち、鋭くも角張ってもない封止）構造を与える。
【０１８０】
図８Ｂは、孔封止アセンブリ１１３として参照されるとともに孔封止アセンブリ１１３と称する別の例示的な孔封止アセンブリの例示的な一実施形態の模式側面図である。孔封止アセンブリ１１３の例示的な実施形態は、孔封止アセンブリ１１２の例示的な実施形態に類似するものの、フレアまたはフレア状形状または形態のない近位端部１１３ｐを孔封止アセンブリ１１３が含む点のみが異なる。
【０１８１】
孔封止アセンブリ１１３は、非作動の潰れた構成および作動した自己拡張構成のそれぞれにおいて、管状形状または形態（すなわち、首または喉状の端部）を有する（比較的短い）遠位端部１１３ｄ（遠位端１１３ｄｅを含む）を有する。
【０１８２】
作動した自己拡張構成の孔封止アセンブリ１１３は、可撓性かつ弾性の全体的な半球（傘上部、ドーム、またはベル）形状または形態を有する（すなわち、中間部１１３ｍの遠位端から近位端部１１３ｐの近位端１１３ｐｅまで延びている）。このような例示的な実施形態において、作動した自己拡張構成の孔封止アセンブリ１１３は、（主要な）中間部１１３ｍおよび（近位端１１３ｐｅを含む）近位端部１１３ｐを含み、これらが一体的に半球形状または形態を有する。このような例示的な実施形態において、孔封止アセンブリの（主要な）中間部１１３ｍは、孔封止アセンブリの遠位端部（首部または頂点部）１１３ｄおよび孔封止アセンブリの近位端部１１３ｐそれぞれの（近位−遠位）長さよりも大きな（近位−遠位）長さを有する。
【０１８３】
例示的な実施形態において、孔封止アセンブリの中間部１１３ｍおよび近位部１１３ｐ（すなわち、孔封止アセンブリの遠位端部１１３ｄの近位端から孔封止アセンブリの近位端１１３ｐｅまで近位方向に延びた部分）は、ストラット２４５ｓを有し、可撓性の弾性外部または外側カバー２４７により完全に覆われた（すなわち、ストラット２４５ｓの周囲および間を連続的に覆われた）可撓性の弾性骨格（または、ネット、メッシュ）型フレーム２４５として構成されている。
【０１８４】
例示的な実施形態において、（ストラット２４５ｓを備えた）フレーム２４５は、多角形（たとえば、三角形、正方形、長方形、五角形、六角形、七角形、八角形、ダイヤモンド型形状、または類似形状）の幾何学的パターンを有するように構成されている。例示的な実施形態において、（ストラット２４５ｓを備えた）フレーム２４５は、このような多角形の幾何学的パターンを有する複数（少なくとも２列、たとえば３列）のストラット２４５ｓを具備する。たとえば、図８Ｂに示すように、（ストラット２４５ｓを備えた）フレーム２４５は、ダイヤモンド型形状の幾何学的パターンを有する複数（３列）のストラット２４５ｓを具備する。（ストラット２４５ｓを備えた）フレーム２４５は、孔封止アセンブリの中間部１１３ｍおよび近位端部１１３ｐの半球形状もしくは形態ならびに構造的支持を提供する。外部または外側カバー２４７は、孔封止アセンブリの中間部１１３ｍおよび近位端部１１３ｐに対して、非常に効果的な封止特性を与える。
【０１８５】
上記説明の通り、孔封止アセンブリ（１１２［図８Ａ］または１１３［図８Ｂ］）は、孔封止デバイス１０６の構成要素であり、これがＢＶＩＷ封止・孔形成デバイス１０２の一部であり、これが外科的血管吻合術に使用する装置１００（全体）の一部である。例示的な実施形態においては、孔封止アセンブリ（１１２または１１３）も個々の「独立型」装置と考えられる。したがって、孔封止アセンブリ（１１２または１１３）装置は、外科的血管吻合術に使用する装置１００（全体）の例示的な特定の「副組み合わせ」に対応し、これが本発明のいくつかの実施形態の別の態様に対応する。
【０１８６】
図９Ａおよび図９Ｂはそれぞれ、非作動（非駆動）構成の吻合孔生成デバイス１０８（ＢＶＩＷ封止・孔形成デバイス１０２の一部）の例示的な一実施形態の模式側面図および模式側面断面図である。図９Ｃおよび図９Ｄはそれぞれ、吻合孔生成デバイス１０８の例示的な一実施形態の模式斜視図および模式分解斜視図である。吻合孔生成デバイス１０８およびその構成要素の例示的な実施形態の多くの構造的および機能的（動作的）特性および特徴を例示として上述したが、これらは、図９Ａ〜図９Ｄに示す例示的な実施形態にも完全に適用可能である。
【０１８７】
図９Ａ〜図９Ｃにおいては、外側アセンブリ１５０および内側アセンブリ１５２が互いに隣接する（すなわち、互いに離れない）ことにより例示的な非作動（非駆動）構成となった吻合孔生成デバイス１０８を示している。すなわち、図９Ａおよび図９Ｂにおいて参照番号２５０の破線矢印により示すように、外側アセンブリ１５０の近位端は、内側アセンブリ１５２の近位端部の遠位端に直接隣接し、直接接触している。
【０１８８】
上記説明の通り、吻合孔生成デバイス１０８は、ＢＶＩＷ封止・孔形成デバイス１０２の構成要素であり、これが外科的血管吻合術に使用する装置１００（全体）の一部である。例示的な実施形態においては、吻合孔生成デバイス１０８も個々の「独立型」装置と考えられる。したがって、吻合孔生成デバイス１０８装置は、外科的血管吻合術に使用する装置１００（全体）の例示的な特定の「副組み合わせ」に対応し、これが本発明のいくつかの実施形態の別の態様に対応する。
【０１８９】
図１０Ａおよび図１０Ｂはそれぞれ、非作動（非駆動）構成の孔形成アクチュエータ１０４と接続（結合）された吻合孔生成デバイス１０８（ＢＶＩＷ封止・孔形成デバイス１０２の一部）の例示的な一実施形態の模式上面図および模式上面断面図である。図１０Ｃおよび図１０Ｄはそれぞれ、非作動（非駆動）構成の孔形成アクチュエータ１０４と接続（結合）された吻合孔生成デバイス１０８の例示的な一実施形態の模式上面図および模式上面断面図である。吻合孔生成デバイス１０８、孔形成アクチュエータ１０４、およびその構成要素の例示的な実施形態の多くの構造的および機能的（動作的）特性および特徴を例示として上述したが、これらは、図１０Ａ〜図１０Ｄに示す例示的な実施形態にも完全に適用可能である。
【０１９０】
図１０Ａおよび図１０Ｂにおいては、孔形成アクチュエータの外側アセンブリ１７４および内側アセンブリ１７６が互いに隣接する（すなわち、互いに離れて位置決めされない）ことにより例示的な非作動（非駆動）構成となった吻合孔生成デバイス１０８および孔形成アクチュエータ１０４を示している。すなわち、図１０Ａおよび図１０Ｂにおいて参照番号２５５の破線矢印により示すように、外側アセンブリ１７４および内側アセンブリ１７６はそれぞれ、互いに直接隣接し、直接接触している。このような例示的な非作動（非駆動）構成は、（孔形成アクチュエータの外側アセンブリ１７４および内側アセンブリ１７６それぞれの直線平行移動可能な相対運動を容易にする）一対の孔形成アクチュエータのガイド部材（つまみ）１８０および孔形成アクチュエータの内側アセンブリの近位端（たとえば、カバー１８６により示す）の相対位置によっても示される。すなわち、図１０Ａおよび図１０Ｂにおいて参照番号２５７の破線矢印により示すように、一対の孔形成アクチュエータのガイド部材１８０の近位端（すなわち、背部または脊椎部）は、孔形成アクチュエータの内側アセンブリの近位端（カバー１８６）から分離されている（すなわち、離れて位置決めされ、隣接していない）。このような例示的な非作動（非駆動）構成は、吻合孔生成デバイスの内側アセンブリ１５２および外側アセンブリ１５０それぞれの相対位置によっても示される。すなわち、吻合孔生成デバイスの内側アセンブリ１５２は、吻合孔生成デバイスの外側アセンブリ１５０の内側から遠位方向に現れる。これは、孔形成アクチュエータ１０４によって、吻合孔を血管内壁セグメントに生成するように作動（駆動）される前の吻合孔生成デバイス１０８の位置および構成に対応する。
【０１９１】
図１０Ｃおよび図１０Ｄにおいては、孔形成アクチュエータの外側アセンブリ１７４および内側アセンブリ１７６がそれぞれ互いに分離される（すなわち、離れて位置決めされる）ことにより例示的な作動（駆動）構成となった吻合孔生成デバイス１０８および孔形成アクチュエータ１０４を示している。すなわち、図１０Ｃおよび図１０Ｄにおいて参照番号２５８の破線矢印により示すように、外側アセンブリ１７４および内側アセンブリ１７６は、互いに分離されている（離れて位置決めされている）。このような例示的な作動（駆動）構成は、一対の孔形成アクチュエータのガイド部材（つまみ）１８０および孔形成アクチュエータの内側アセンブリの近位端（たとえば、カバー１８６により示す）の相対位置によっても示される。すなわち、図１０Ｃおよび図１０Ｄにおいて参照番号２５８の破線矢印により示すように、一対の孔形成アクチュエータのガイド部材１８０の近位端（すなわち、背部または脊椎部）は、孔形成アクチュエータの内側アセンブリの近位端（カバー１８６）に隣接している（すなわち、離れて位置決めされていない）。このような例示的な非作動（非駆動）構成は、吻合孔生成デバイスの内側アセンブリ１５２および外側アセンブリ１５０それぞれの相対位置によっても示される。すなわち、吻合孔生成デバイスの内側アセンブリ１５２は、ほぼ完全に吻合孔生成デバイスの外側アセンブリ１５０の内側にある（近位方向に引き込まれている）。これは、孔形成アクチュエータ１０４によって、吻合孔を血管内壁セグメントに生成するように作動（駆動）された後の吻合孔生成デバイス１０８の位置および構成に対応する。
【０１９２】
また、図１０Ａ〜図１０Ｄは、吻合孔生成デバイス１０８に対する孔形成アクチュエータのデュアルアセンブリ（または、バイアセンブリ）長手方向上部スロット［１９２および１９４］の拡大図である。デュアルアセンブリ（または、バイアセンブリ）長手方向上部スロット［１９２および１９４］は、内側アセンブリ長手方向上部スロット１９２および外側アセンブリ長手方向上部スロット１９４により形成され、これらを含む。孔形成アクチュエータの内側アセンブリ１７６に内側アセンブリ長手方向上部スロット１９２が構成され、孔形成アクチュエータの外側アセンブリ１７４に外側アセンブリ長手方向上部スロット１９４が構成されることにより、内側アセンブリ長手方向上部スロット１９２が外側アセンブリ長手方向上部スロット１９４と同軸である。
【０１９３】
また、デュアルアセンブリ（または、バイアセンブリ）長手方向スロット［１９２および１９４］は、孔形成アクチュエータ１０４の吻合孔生成デバイス１０８との可逆的な手動操作接続を容易にする。具体的に、吻合孔生成デバイスの外側アセンブリ１５０の近位部に対する孔形成アクチュエータの内側アセンブリ１７６の遠位端の可逆的な操作接続は、たとえば図１（非作動状態の装置１００）において破線の双頭（両方向）矢印１６０により示すとともに、図２（作動状態の装置１００）において示す通りである。たとえば、孔形成アクチュエータ１０４を孔封止デバイスの遠位部１０６ｄに近接させて、孔形成アクチュエータの内側アセンブリ１７６の遠位端１８４を吻合孔生成デバイスの外側アセンブリ１５０の（突出リム１５６を介した）近位部に接続する場合は、まず、デュアルアセンブリ（または、バイアセンブリ）長手方向スロット［１９２および１９４］の使用（手動操作）により、（たとえば、図１において破線の双頭（両方向）矢印１９６により示すように）（内部に可撓性制御ワイヤ１２８を備えた）可撓性チューブ１３０を受容して（緩く）包囲した後、（図２に示すように）接続を形成する。
【０１９４】
これと同様に（ただし逆に）、孔形成アクチュエータ１０４を吻合孔生成デバイス１０８から取り外す場合に容易さが有効となる。たとえば、（図２に示すように）接続された構成要素を取り外し場合は、まず、吻合孔生成デバイスの外側アセンブリ１５０の（突出リム１５６を介した）近位部を孔形成アクチュエータの内側アセンブリ１７６の遠位端１８４から取り外した後、デュアルアセンブリ（または、バイアセンブリ）長手方向スロット［１９２および１９４］の内側から可撓性チューブ１３０を移動および解放することによって、（再び図１に示すように）取り外しを容易にする。
【０１９５】
上記説明の通り、吻合孔生成デバイス１０８および孔形成アクチュエータ１０４は、外科的血管吻合術に使用する装置１００（全体）の構成要素である。例示的な実施形態においては、吻合孔生成デバイス１０８も孔形成アクチュエータ１０４と併せて個々の「独立型」装置と考えられる。したがって、孔形成アクチュエータ１０４を備えた吻合孔生成デバイス１０８装置は、外科的血管吻合術に使用する装置１００（全体）の例示的な特定の「副組み合わせ」に対応し、これが本発明のいくつかの実施形態の別の態様に対応する。
【０１９６】
図１１Ａは、組み立て（非作動／非駆動）構成の外側アセンブリ１７４および内側アセンブリ１７６をそれぞれ強調した、孔形成アクチュエータ１０４の例示的な一実施形態の模式上面図である。図１１Ｂは、組み立て構成（それぞれ非作動（非駆動）構成および作動（駆動）構成も示す）の外側アセンブリ１７４および内側アセンブリ１７６それぞれを強調した、孔形成アクチュエータ１０４の例示的な一実施形態の模式側面図である。図１１Ｃおよび図１１Ｄは、非作動（非駆動）構成の図１１Ｂの孔形成アクチュエータ１０４の例示的な実施形態の模式斜視図である。また、図１１Ｂ、図１１Ｃ、および図１１Ｄは、外側アセンブリ１７４および内側アセンブリ１７６それぞれの直線平行移動可能な相対運動も容易にする長手方向摺動スロット１９０の拡大図も含む。具体的に、外側アセンブリ１７４は、外側アセンブリ１７４の一対の手動制御可能なガイド部材１８０（たとえば、剛性つまみ）の操作により、内側アセンブリ１７６の長手方向摺動スロット１９０内でこれに沿って摺動可能である。
【０１９７】
図１２Ａおよび図１２Ｂは、非組み立て構成の個々の外側アセンブリ１７４および内側アセンブリ１７６（内側アセンブリが例示的な摺動式のカバー１８６を有する）を強調した、孔形成アクチュエータ１０４の例示的な一実施形態の模式上面図および模式側面図である。また、図１２Ａおよび図１２Ｂは、内側アセンブリ長手方向上部スロット１９２および外側アセンブリ長手方向上部スロット１９４により形成され、これらを含む孔形成アクチュエータのデュアルアセンブリ（または、バイアセンブリ）長手方向上部スロット［１９２および１９４］の拡大図も含む。
【０１９８】
図１３Ａおよび図１３Ｂは、非組み立て構成の個々の内側アセンブリ２５２および外側アセンブリ２５４をそれぞれ強調した、（孔形成アクチュエータ２５０として参照される）孔形成アクチュエータの別の例示的な実施形態の模式上面図および模式側面図である。内側アセンブリ２５２および外側アセンブリ２５４はそれぞれ、以下２つの（比較的些細な）構造的差異を除いて、内側アセンブリ１７６および外側アセンブリ１７４（図１２Ａおよび図１２Ｂ）それぞれと構造上および機能上本質的に同じである。第１に、内側アセンブリ２５２の近位端部は、付随する一対のネジ２５３と併せて、例示的なねじ込み式のカバー２５１が構成されている。これは、内側アセンブリ１７６の近位端部に構成された摺動式のカバー１８６と対照的である。第２に、外側アセンブリ２５４の遠位端部は、滑らかな近位端部（リッジなし）を含む一対の対向（正対）して位置決めされた手動制御可能なコネクタ部材２５６（たとえば、指圧作動弾性締結具またはラッチ）が構成されている。これは、滑らかでない「リッジ状」近位端部（リッジを有する）を含む一対のコネクタ部材１８２が構成された外側アセンブリ１７４の遠位端部と対照的である。コネクタ部材１８２の機能と同様に、コネクタ部材２５６は、孔形成アクチュエータ１０４の外側アセンブリの遠位端に対する吻合孔生成デバイス１０８の近位端（すなわち、内側アセンブリ１５２の外側突出リム１６４）の可逆的な手動操作接続を容易にする。
【０１９９】
孔形成アクチュエータ１０４およびその構成要素の例示的な実施形態の多くの構造的および機能的（動作的）特性および特徴を例示として上述したが、これらは、図１１Ａ〜図１３Ｂに示す例示的な実施形態にも完全に適用可能である。
【０２００】
上記説明の通り、孔形成アクチュエータ（１０４または２５０）は、外科的血管吻合術に使用する装置１００（全体）の構成要素である。例示的な実施形態においては、孔形成アクチュエータ（１０４または２５０）も個々の「独立型」装置と考えられる。したがって、孔形成アクチュエータ（１０４または２５０）装置は、外科的血管吻合術に使用する装置１００（全体）の例示的な特定の「副組み合わせ」に対応し、これが本発明のいくつかの実施形態の別の態様に対応する。
【０２０１】
図１４は、装置の固定・アンカリングアセンブリ１３２の使用を強調した、例示的な血管吻合術（たとえば、（クランプレス）冠動脈バイパス術（ＣＡＢＧ））を実行する装置１００（全体）の（簡素化された）「一般」型を使用する例示的な一実施形態を示した模式図である。
【０２０２】
図１４においては、外科的血管吻合術を実行する方法の一部として吻合部位ＡＳを封止する例示的な装置３００を展開しており、この固定（アンカリング）装置３００（および、そのＢＶＩＷ封止・孔形成デバイス１０２）によれば、固定・アンカリングアセンブリ１３２の使用によって、安定した静止物体（たとえば、固定物体１３３）への固定がなされる。図１４は、開胸ＣＡＢＧ術中の生体対象者（患者）の例示的な胸部ＣＨを示している。患者の胸部ＣＨは、たとえば胸部／胸骨開創器具ＲＴＲを用いて開胸状態に保たれる。患者は、横たわる手術台に対して安定に保たれるとともに固定された毛布ＢＬで一部を覆われている。
【０２０３】
この図示の例において、手動孔封止コントローラアセンブリ１１４は、（内側に可撓性制御ワイヤ１２８を備えた）可撓性チューブ１３０が選定張力下でピンと張った形態となるように、装置３００の近位端ＰＥにおいて、固定・アンカリングアセンブリ１３２により開創器具ＲＴＲに固定されている。例示的な実施形態において、固定・アンカリングアセンブリ１３２を安定した静止物体（本例においては、開創器具ＲＴＲの一部）に固定する正確な場所を選定することは、（可撓性制御ワイヤ１２８を備えた）可撓性チューブ１３０の張力または／および配向を決定することに関連する。そして、これにより、吻合孔生成デバイス１０８の孔生成部材１７０の移動、ガイド、および位置決めと、対象吻合部位ＡＳの表面の法線に対して可撓性チューブ１３０がなす配向角度（本明細書においては、配向角度αと称する）の形成（調整）および設定とが最適化される。吻合術を実行する心臓外科医は、周辺封止手順の態様または／および特性を調整（変更）するため、たとえば吻合部位ＡＳから突出した平常に近い角度配向（たとえば、０°≦配向角度α≦１５°）に対応する配向角度αを好む場合もあるし、可撓性チューブ１３０による吻合縫合プロセスとの考え得る物理的干渉を抑えたい場合は、より浅い角度配向（たとえば、４５°＜配向角度α＜９０°）を好む場合もある。例示的な実施形態において、外科医は、適当であると判断した場合、如何なる配向角度α（たとえば、中間の配向角度（０°＜配向角度α＜９０°））を使用するようにしてもよい。
【０２０４】
図１５、図１６Ａ、および図１６Ｂは、別の例示的な装置の固定・アンカリングアセンブリ３１５の使用を強調した、例示的な血管吻合術［（クランプレス）冠動脈バイパス術（ＣＡＢＧ）］を実行する装置１００（全体）の別の（簡素化された）「一般」型を使用する例示的な実施形態を示した模式図である。
【０２０５】
これらの図においては、外科的血管吻合術を実行する方法の一部として吻合部位ＡＳを封止する例示的な装置３１０を展開しており、この固定（アンカリング）装置３１０（および、そのＢＶＩＷ封止・孔形成デバイス１０２）によれば、別の例示的な固定・アンカリングアセンブリの使用によって、別の例示的な安定した静止物体への固定がなされる。
【０２０６】
張力または／および配向角度αの制御性を改善するため、装置３１０の近位端ＰＥにおける固定・アンカリングアセンブリ１３２の使用の代替または追加として、（内側に可撓性制御ワイヤ１２８を備えた）可撓性チューブ１３０に沿った少なくとも１つの他の部分または点がアンカリング、固定、またはさらに伸長されるようになっていてもよい。図１５、図１６Ａ、および図１６Ｂは、選定張力方向へと可撓性チューブ１３０に沿って選定点３１７を押しやることにより張力を生成または増大させるように構成されたテンショナ３１５を含む別の例示的な固定・アンカリングアセンブリを用いて展開された例示的な装置３１０を模式的に示している。
【０２０７】
テンショナ３１５は、安定した静止物体（固定物体１３３）に対して選定された長さまたは／および方向にて固定構成された張力ポール３２０を具備する。張力ポール３２０は、安定した物体に固定接続可能なポール基部３２５と、選定方向に選定力で可撓性チューブ１３０の一部を押圧することにより、可撓性チューブ１３０の部をアンカリングまたは／およびポール固定（枢着）する（たとえば、選定点３１７を支持する）ように構成されたポールヘッド３２７と、を有する。配向角度αは、テンショナ３１５を用いて、（ｉ）可撓性チューブ１３０に沿った点３１７の場所、（ｉｉ）吻合部位ＡＳに対する安定した物体の場所、（ｉｉｉ）ポール基部３２５に対して回転するポールヘッド３２７により設定可能な選定方向、または／および（ｉｖ）点３１７においてテンショナ３１５により可撓性チューブ１３０に印加される選定力（張力ポール３２０の高さの変更により設定可能）といったパラメータのうちの１つまたは複数を構成および設定することにより決定可能である。図１５は、開創器具ＲＴＲに対してテンショナ３１５が固定（固定接続）され、固定された毛布ＢＬに対して固定・アンカリングアセンブリ１３２が固定（固定接続）された例示的なシナリオを示している（本例においては、開創器具ＲＴＲおよび毛布ＢＬがともに、例示的な静止安定物体と考えられる）。張力ポール３２０は、ポールヘッド３２７で可撓性チューブ１３０の一部を（押圧により）選択的に、徐々に、または順次移動させることにより、たとえば図１６Ａおよび図１６Ｂに示すように、選定張力を印加するように構成されている。
【０２０８】
外科的血管吻合術に使用する医療デバイスキット
本発明のいくつかの実施形態の一態様は、外科的血管吻合術に使用する医療デバイスキットである。この医療デバイスキットの種々異なる別の実施形態およびその代替案が可能であり、それぞれ、医療従事者（外科医、外科医の助手、医療技術者）による外科的血管吻合術での容易な展開および使用に適している。
【０２０９】
医療デバイスキットの第１の例示的な実施形態
医療デバイスキットの第１の例示的な実施形態は、例示的に上述するとともに図１に示した装置１００（全体）の例示的な実施形態に対応する。このような医療デバイスキットの第１の例示的な実施形態は、血管内壁（ＢＶＩＷ）封止・孔形成デバイス１０２（これが孔封止デバイス１０６および吻合孔生成デバイス１０８を具備する）および孔形成アクチュエータ１０４を具備する。このような医療デバイスキット（すなわち、装置１００）の第１の例示的な実施形態によれば、図１に示すように、孔封止デバイス１０６に位置決め（すなわち、組み付け、搭載）済みの吻合孔生成デバイス１０８が提供される。このような医療デバイスキットの第１の例示的な実施形態によれば、（吻合孔生成デバイス１０８を介した）ＢＶＩＷ封止・孔形成デバイス１０２および孔形成アクチュエータ１０４の相互接続により、外科的血管吻合術における展開および使用が可能である。
【０２１０】
医療デバイスキットの第２の例示的な実施形態
医療デバイスキットの第２の例示的な実施形態およびその代替案を図１７に示すが、これを医療デバイスキット４００と称する。第１の代替案によれば、医療デバイスキット４００は、孔封止デバイス１０６および吻合孔生成デバイス１０８を具備するが、（任意選択としての）孔形成アクチュエータ１０４は備えていない。このような医療デバイスキット４００の第１の代替案によれば、孔封止デバイス１０６から分離された（すなわち、非組み付け、非搭載の）吻合孔生成デバイス１０８が提供される。吻合孔生成デバイス１０８は、たとえば図１７において破線の双頭（両方向）矢印４０５により示すように、孔封止デバイス１０６上に位置決め可能（すなわち、組み付け可能、搭載可能）である。
【０２１１】
第２の代替案によれば、医療デバイスキット４００は、任意選択として、（任意選択としての）孔形成アクチュエータ１０４をさらに具備する。このような第２の代替案によれば、吻合孔生成デバイス１０８および孔形成アクチュエータ１０４が互いに接続されずに提供されるとともに、相互接続によって、外科的血管吻合術における展開および使用が可能である。
【０２１２】
医療デバイスキットの第３の例示的な実施形態
医療デバイスキットの第３の例示的な実施形態を図１８に示すが、これを医療デバイスキット４１０と称する。医療デバイスキット４１０は、孔封止デバイス１０６、吻合孔生成デバイス１０８、および孔形成アクチュエータ１０４を具備しており、吻合孔生成デバイス１０８および孔形成アクチュエータ１０４が互いに（可逆的に）接続されて提供される。このような医療デバイスキットの第３の例示的な実施形態によれば、吻合孔生成デバイス１０８および孔形成アクチュエータ１０４が互いに取り外し可能であるため、外科的血管吻合術における展開および使用のための吻合孔生成デバイス１０８の孔封止デバイス１０６上への位置決め（すなわち、組み付け、搭載）が容易にされる。したがって、吻合孔生成デバイス１０８および孔形成アクチュエータ１０４は、外科的血管吻合術中に互いに接続可能である。
【０２１３】
例示的な実施態様および方法
上述の通り、本発明は、その例示的な実施形態において、外科的血管吻合術に使用する方法、吻合孔を血管内壁セグメントに形成する方法、外科的血管吻合を実行する方法といった態様を含む。前述の外科的血管吻合術に使用する装置または装置の構成要素（たとえば、デバイス、アセンブリ）の特性および技術的特徴の例示的な説明は、本発明のこのような他の態様のうちの１つまたは複数の特性および技術的特徴の例示的な説明にも関連しており、十分に適用可能である。また、外科的血管吻合術に使用する装置または装置の構成要素（たとえば、デバイス、アセンブリ）の実施形態は、外科的血管吻合術に使用する方法の実施形態の実現、吻合孔を血管内壁セグメントに形成する方法の実施形態の実現、または／および外科的血管吻合を実行する方法の実施形態の実現に適している。
【０２１４】
図１９Ａ〜図１９Ｋは、外科的血管吻合術に使用する本明細書に開示の装置（および、その構成要素）を実装する順次ステップ（手順）の例示的な実施形態の模式図である。図１９Ａ〜図１９Ｋを通して、参照番号のいくつかは、上記例示的な説明を通して使用したものと同じであり、同じ特性または特徴を表す。以下は、例示的な説明である。
【０２１５】
図１９Ａは、例示的な血管ＢＶ（たとえば、大動脈）が、外科的血管吻合術（たとえば、端側式の外科的血管吻合術）に使用する装置１００の展開用に選択されることを強調している。血管内壁セグメントＢＶＩＷＳに沿って位置する所望の吻合部位において、小さな孔［非切開］ＳＨが血管ＢＶ（たとえば、大動脈）に（たとえば、ニードルまたはシリンジＮＳを用いて手動で）作成されている。この小さな（ニードルまたはシリンジサイズの）孔の直径は、たとえば、およそ１ｍｍ以下である。
【０２１６】
図１９Ｂは、（内側に非作動の潰れた構成の孔封止アセンブリ１１２を備えた）吻合孔生成デバイス１０８のシース１１０が、血管ＢＶの小さな孔ＳＨに挿通され、血管腔ＢＶＬに挿入されることを強調している。
【０２１７】
図１９Ｃは、孔封止デバイス１０６（図５Ａ、図５Ｂ）の動作により孔封止アセンブリ１１２が、作動（駆動）して作動した自己拡張構成となり、血管内壁セグメントと併せて、血管内壁ＢＶＩＷに対して近位方向に引き込まれることにより、血管内壁セグメントＢＶＩＷＳの周りに周辺シールＰＳが確立されることを強調している。
【０２１８】
図１９Ｄは、たとえば上述するとともに図１４、図１５Ａ、図１５Ｂに示した通り、血管内壁セグメントＢＶＩＷＳに対する吻合孔生成部材１７０の作動、移動、ガイド、および位置決めによって装置１００が操作されることを強調している。吻合孔生成部材１７０は、血管内壁セグメントＢＶＩＷＳに沿って小さな孔ＳＨに挿通される。孔封止アセンブリ１１２は、（血管腔からの）血流のない状態で、血管内壁セグメントＢＶＩＷＳに沿って周辺シールＰＳを外傷なく確立および維持するように操作される。
【０２１９】
図１９Ｅは、特に吻合孔生成部材１７０がその円錐直径に応じて、直径がおよそ４〜５ｍｍの吻合孔ＡＨを外傷なく生成することを容易にするように装置１００が操作されることを強調している。吻合孔生成部材１７０は、血管内壁セグメントＢＶＩＷＳに沿って大動脈血管壁ＢＶＷから除去された組織の小片Ｐと併せて、孔生成デバイスの外側アセンブリ１５０中へと近位方向に引き戻される。
【０２２０】
図１９Ｆは、特に吻合孔生成デバイス１０８（および、その内部の吻合孔生成部材１７０）の「緩和」非作動構成への戻りを容易にするように装置１００が操作されることを強調している。血流のない状態で、血管内壁セグメントに沿って周辺シールＰＳを維持する。
【０２２１】
図１９Ｇおよび図１９Ｈは、血流のない状態で、血管内壁セグメントＢＶＩＷＳに沿って周辺シールＰＳが確立された後に維持しつつ、外科的血管吻合術を開始することを強調している。これには、吻合部位内の血管壁ＢＶＷへの血管移植片ＧＦＴの縫合を含む。
【０２２２】
図１９Ｉは、血管内壁セグメントＢＶＩＷＳに沿って、孔封止アセンブリ１１２が依然として血管腔ＢＶＬの内側に存在する間に、吻合部位内の血管壁への血管移植片ＧＦＴの移植縫合ＧＳのほぼすべてを完了させることを強調している。
【０２２３】
図１９Ｊは、移植片ＧＦＴの最終移植縫合ＬＧＳが完了となる直前に、血管ＢＶから（内側に非作動の潰れた構成の孔封止アセンブリ１１２を備えた）シース１１０を除去することを強調している。
【０２２４】
図１９Ｋは、血管ＢＶへの移植片ＧＦＴの最終移植縫合ＬＧＳの縫合および吻合術の完了を強調している。
【０２２５】
以下は、図面の参照と併せて、本発明の実施形態の実現に伴う付加的なステップ（手順）である。
【０２２６】
装置１００を訓練された医療従事者（たとえば、外科医および外科チーム）に提供する。
【０２２７】
たとえば、生理食塩水中での洗浄によって、装置１００の構成要素、特にＢＶＩＷ封止・孔形成デバイス１０２および孔形成アクチュエータ１０４を殺菌する。
【０２２８】
外科的血管吻合術に向けて対象者（患者）の準備を行う。これには、吻合孔生成デバイス１０８の対象者への挿入に先立ち、血管内壁セグメントＢＶＩＷＳに沿って位置する所望の吻合部位において、小さな孔［非切開］ＳＨを血管ＢＶ（たとえば、大動脈）に（たとえば、ニードルまたはシリンを用いて手動で）作成することを含む。
【０２２９】
準備が整った対象者には、血管内壁セグメントＢＶＩＷＳに沿って、選択場所およびその内部でＢＶＩＷ封止・孔形成デバイス１０２を展開（調整）する。これには、（内側に非作動の潰れた構成の孔封止アセンブリ１１２を備えた）吻合孔生成デバイス１０８のシース１１０を血管ＢＶの小さな孔ＳＨに挿通し、血管腔ＢＶＬに挿入することを含む。
【０２３０】
手動孔封止コントローラアセンブリ１１４を吻合孔生成デバイス１０８に接続して、孔封止アセンブリ１１２を作動させる基盤を提供する。
【０２３１】
手動孔封止コントローラアセンブリ１１４（および、可撓性制御ワイヤ１２８）を操作して、シース１１０を孔封止アセンブリ１１２から除去することにより、非作動の潰れた構成から作動した自己拡張構成への孔封止アセンブリ１１２の作動を容易にする。
【０２３２】
孔封止アセンブリ１１２が作動した自己拡張構成である間に、血管内壁セグメントＢＶＩＷＳに沿って、孔封止アセンブリ１１２を血管内壁ＢＶＩＷ側へ引っ張ることにより、血管内壁セグメントＢＶＩＷＳの周りの周辺シールを確立する。そして、吻合孔生成デバイス１０８を手動孔封止コントローラアセンブリ１１４から取り外す。
【０２３３】
吻合孔生成デバイス１０８を遠位方向に移動させて、孔形成アクチュエータ１０４の吻合孔生成デバイス１０８への接続のためのスペースを確保する。
【０２３４】
孔形成アクチュエータ１０４を（フランジ１５６および１６４を介して）吻合孔生成デバイス１０８に接続するとともに、可撓性チューブ１３０に接続して、最終的な吻合孔の生成をセットアップする。
【０２３５】
孔形成アクチュエータ１０４を用いて吻合孔生成デバイス１０８（および、吻合孔生成部材１７０）を作動させることにより、血管内壁セグメントＢＶＩＷＳに沿って、吻合孔を血管内壁に外傷なく生成する。このステップ（手順）には、孔形成アクチュエータのガイド部材（つまみ）１８０を遠位方向に押すことにより、外科医により作成された小さな（ニードルまたはシリンジサイズの）孔ＳＨを通じて、吻合孔生成デバイスの内側アセンブリ１５２（吻合孔生成部材１７０を含む）を外傷なく遠位方向に移動させることを含む。また、このステップ（手順）には、孔形成アクチュエータのガイド部材（つまみ）１８０を近位方向に引っ張ることにより、血管内壁セグメントＢＶＩＷＳに沿って、血管内壁を通過する吻合孔ＡＨを生成することを含む。
【０２３６】
孔形成アクチュエータ１０４を吻合孔生成デバイス１０８および可撓性チューブ１３０から取り外し、（もはや必要なくなった）孔形成アクチュエータ１０４を横に置く。
【０２３７】
吻合部位における血管移植片ＧＦＴの血管壁への縫合の準備として、手動孔封止コントローラアセンブリ１１４を吻合孔生成デバイス１０８に再接続する。
【０２３８】
移植片ＧＦＴの１つまたは２つの最終移植縫合ＬＧＳを開けたまま、吻合術を実行することにより、（非作動の潰れた構成の孔封止アセンブリ１１２を備えた）シース１１０の吻合孔からの除去を容易にする。
【０２３９】
シース１１０を血管ＢＶから除去するのに先立ち、手動孔封止コントローラアセンブリ１１４を操作して、シース１１０を孔封止アセンブリ１１２上へと近位方向に引き戻すことにより、孔封止アセンブリを非作動の潰れた構成に戻す。そして、ＢＶＩＷ封止・孔形成デバイス１０２を対象者から除去した後、移植片ＧＦＴの血管ＢＶへの最終移植縫合ＬＧＳを完了するとともに、吻合術を完了する。
【０２４０】
外科的血管吻合術に使用する装置の構成要素の例示的な構成材料およびサイズ寸法
シース１１０
Ｐｅｂａｘ（登録商標）ポリマー樹脂、ＰＴＦＥ（ポリテトラフルオロエチレン）、ステンレス鋼編組線
外径：およそ２ｍｍ、内径：およそ１．７ｍｍ、全高：およそ２５ｍｍ
孔封止アセンブリ１１２
フレーム：ニチノール、コバルト、クロム
フレーム（ストラット）カバー：熱可塑性ポリウレタン、熱可塑性シリコーン
フレーム（ストラット）厚さ：およそ０．２３ｍｍ、フレーム（ストラット）幅：およそ０．１４ｍｍ、フレーム（首部）外径：およそ１．５ｍｍ、フレーム（首部）内径：およそ１．０ｍｍ、フレーム（フレア）：およそ１５．０ｍｍ、フレームカバー厚さ：およそ２０ミクロン、フレーム（フレア）カバー外径：およそ１６ｍｍ
手動孔封止コントローラアセンブリ１１４
手動制御つまみ：ポリカーボネートＭａｋｒｏｌｏｎ（登録商標）２４５８、ＰＯＭ（ポリオキシメチレン）、ナイロン６６、サイズ：およそ１０ｍｍ×７ｍｍ×３ｍｍ
手持ちハウジングアセンブリ：ポリカーボネートＭａｋｒｏｌｏｎ（登録商標）２４５８、ポリオキシメチレン、ナイロン６６、ハンドル長：およそ１３ｍｍ、ハンドル直径：およそ９ｍｍ
可撓性制御ワイヤ：ニチノール、コバルト、クロム、直径：およそ０．３ｍｍ、長さ：およそ３５０〜４００ｍｍ
可撓性チューブ：ＰＥＥＫ（ポリエーテルエーテルケトン）、ＰＯＭ（ポリオキシメチレン）、Ｐｅｂａｘ（登録商標）ポリマー樹脂、外径：およそ０．８ｍｍ、内径：およそ２７５ｍｍ
固定・アンカリングアセンブリ：シリコーン、厚さ：およそ１．８ｍｍ、長さ：および６５ｍｍ
吻合孔生成デバイス１０８
外側アセンブリ：ステンレス鋼３０４、外径：およそ９ｍｍ、内径：およそ４ｍｍ、長さ：およそ２２ｍｍ
内側アセンブリ：ステンレス鋼３０４、長さ：およそ３７ｍｍ、主部直径：およそ４ｍｍ、円錐吻合孔生成部材直径：およそ１ｍｍ、肩部直径：およそ１０ｍｍ
孔形成アクチュエータ１０４
外側アセンブリ：ポリカーボネートＭａｋｒｏｌｏｎ（登録商標）２４５８、ＰＯＭ（ポリオキシメチレン）、ナイロン６６
ハンドル長さ：およそ１１５ｍｍ、ハンドル幅：およそ５５ｍｍ、ハンドル直径：およそ２０ｍｍ
内側アセンブリ：ポリカーボネートＭａｋｒｏｌｏｎ（登録商標）２４５８、ＰＯＭ（ポリオキシメチレン）、ナイロン６６
ハンドル長さ：およそ９５ｍｍ、ハンドル直径：およそ１４ｍｍ
【０２４１】
本明細書において、文法上の単数形「ａ」、「ａｎ」、および「ｔｈｅ」で記載する以下の用語は、「少なくとも１つ（ａｔ  ｌｅａｓｔ  ｏｎｅ）」または「１つまたは複数（ｏｎｅ  ｏｒ  ｍｏｒｅ）」を意味する。本明細書において、表現「１つまたは複数（ｏｎｅ  ｏｒ  ｍｏｒｅ）」の使用は、この「ａ」、「ａｎ」、または「ｔｈｅ」の意図する意味を変更するものではない。したがって、本明細書において使用する用語「ａ」、「ａｎ」、および「ｔｈｅ」は、別段の具体的な定義もしくは記載または文脈上の別段の明確な指示のない限り、複数の対象エンティティまたは対象物を表すとともに包含し得る。たとえば、本明細書において使用する表現「ａ  ｕｎｉｔ」、「ａ  ｄｅｖｉｃｅ」、「ａｎ  ａｓｓｅｍｂｌｙ」、「ａ  ｍｅｃｈａｎｉｓｍ」、「ａ  ｃｏｍｐｏｎｅｎｔ」、「ａｎ  ｅｌｅｍｅｎｔ」、および「ａ  ｓｔｅｐ  ｏｒ  ｐｒｏｃｅｄｕｒｅ」はそれぞれ、複数のユニット、複数のデバイス、複数のアセンブリ、複数の機構、複数の構成要素、複数の要素、および複数のステップまたは手順を表すとともに包含し得る。
【０２４２】
本明細書において使用する用語「含む（ｉｎｃｌｕｄｅｓ、ｉｎｃｌｕｄｉｎｇ）」、「有する（ｈａｓ、ｈａｖｉｎｇ）」、および「備える（ｃｏｍｐｒｉｓｅｓ、ｃｏｍｐｒｉｓｉｎｇ）」、ならびにこれらの言語学上／文法上の変形語、派生語、もしくは／および同根語はそれぞれ、「ｉｎｃｌｕｄｉｎｇ，  ｂｕｔ  ｎｏｔ  ｌｉｍｉｔｅｄ  ｔｏ（〜を含むが、これに限定されない）」を意味し、対象の構成要素、特徴、特性、パラメータ、整数、またはステップを指定するものと見なされ、１つまたは複数の付加的な構成要素、特徴、特性、パラメータ、整数、ステップ、またはこれらの群の追加を除外しない。これらの用語はそれぞれ、表現「〜から本質的になる（ｃｏｎｓｉｓｔｉｎｇ  ｅｓｓｅｎｔｉａｌｌｙ  ｏｆ）」と意味が同等であると考えられる。
【０２４３】
本明細書において使用する用語「方法（ｍｅｔｈｏｄ）」は、所与のタスクまたは行為を達成または実現する単一のステップ、手順、様態、手段、もしくは／および技術または一連、一組、もしくは一群の２つ以上のステップ、手順、様態、手段、もしくは／および技術を表す。本明細書において非限定的に開示するこのような如何なる方法も、本明細書に開示の発明の関連分野および技術において従事者が過去に教示している１つまたは複数のステップ、手順、様態、手段、または／および技術から把握または容易に発展される１つまたは複数のステップ、手順、様態、手段、または／および技術を含み得る。本明細書において非限定的に開示するこのような任意の方法において、１つまたは複数のステップ、手順、様態、手段、または／および技術の記載または提示の順序は、別段の具体的な定義もしくは記載または文脈上の別段の明確な指示のない限り、所与のタスクまたは行為の達成または実現に対して、具体的に記載または提示の順序に限定されない。以上から、本明細書において非限定的に開示するこのような任意の方法においては、同じ所与のタスクまたは行為の達成または実現に対して、本明細書に開示の発明の同一または同様の意味および範囲を維持しつつ、同じステップ、手順、様態、手段、または／および技術の１つまたは複数の別の順序が存在していてもよい。
【０２４４】
本開示の全体を通して、パラメータ、特徴、特性、目標、または寸法の数値は、数値範囲フォーマットに関して記載または記述する場合がある。本明細書において使用するこのような数値範囲フォーマットは、本発明のいくつかの例示的な実施形態の実装を示しており、本発明の例示的な実施形態の範囲を強固に限定するものではない。したがって、記載または記述の数値範囲は、記載または記述の数値範囲内のすべての考え得る部分的範囲および個々の数値を表すとともに包含する。たとえば、記載または記述の数値範囲「１〜６」は、記載または記述の数値範囲「１〜６」内の「１〜３」、「１〜４」、「１〜５」、「２〜４」、「２〜６」、「３〜６」等のすべての考え得る部分的範囲および「１」、「１．３」、「２」、「２．８」、「３」、「３．５」、「４」、「４．６」、「５」、「５．２」および「６」等の個々の数値を表すとともに包含する。このことは、記載または記述の数値範囲の数値の広がり、範囲、またはサイズに関わらず当てはまる。
【０２４５】
さらに、数値範囲を記載または記述する場合、表現「およそ第１の数値〜およそ第２の数値の範囲（ｉｎ  ａ  ｒａｎｇｅ  ｏｆ  ｂｅｔｗｅｅｎ  ａｂｏｕｔ  ａ  ｆｉｒｓｔ  ｎｕｍｅｒｉｃａｌ  ｖａｌｕｅ  ａｎｄ  ａｂｏｕｔ  ａ  ｓｅｃｏｎｄ  ｎｕｍｅｒｉｃａｌ  ｖａｌｕｅ）」は、表現「およそ第１の数値からおよそ第２の数値までの範囲（ｉｎ  ａ  ｒａｎｇｅ  ｏｆ  ｆｒｏｍ  ａｂｏｕｔ  ａ  ｆｉｒｓｔ  ｎｕｍｅｒｉｃａｌ  ｖａｌｕｅ  ｔｏ  ａｂｏｕｔ  ａ  ｓｅｃｏｎｄ  ｎｕｍｅｒｉｃａｌ  ｖａｌｕｅ）」と同等かつ同じ意味であると考えられるため、これら２つの同意表現を区別なく使用する場合がある。たとえば、室温の数値範囲を記載または記述する場合、表現「室温がおよそ２０℃〜およそ２５℃の範囲の温度を表す（ｒｏｏｍ  ｔｅｍｐｅｒａｔｕｒｅ  ｒｅｆｅｒｓ  ｔｏ  ａ  ｔｅｍｐｅｒａｔｕｒｅ  ｉｎ  ａ  ｒａｎｇｅ  ｏｆ  ｂｅｔｗｅｅｎ  ａｂｏｕｔ  ２０  °Ｃ  ａｎｄ  ａｂｏｕｔ  ２５  °Ｃ）」は、表現「室温がおよそ２０℃からおよそ２５℃までの範囲の温度を表す（ｒｏｏｍ  ｔｅｍｐｅｒａｔｕｒｅ  ｒｅｆｅｒｓ  ｔｏ  ａ  ｔｅｍｐｅｒａｔｕｒｅ  ｉｎ  ａ  ｒａｎｇｅ  ｏｆ  ｆｒｏｍ  ａｂｏｕｔ  ２０  °Ｃ  ｔｏ  ａｂｏｕｔ  ２５  °Ｃ」と同等かつ同じ意味であると考えられる。
【０２４６】
本明細書において使用する用語「およそ（ａｂｏｕｔ）」は、対象の数値の±１０％を表す。
【０２４７】
本明細書において使用する表現「動作可能に接続（ｏｐｅｒａｔｉｖｅｌｙ  ｃｏｎｎｅｃｔｅｄ）は、対応する同義表現「動作可能に結合（ｏｐｅｒａｔｉｖｅｌｙ  ｊｏｉｎｅｄ）」および「動作可能に取り付け（ｏｐｅｒａｔｉｖｅｌｙ  ａｔｔａｃｈｅｄ）」を同等に表す。本明細書において使用するこれらの表現は、記述または／および図示のエンティティが「動作可能（ｏｐｅｒａｔｉｖｅ）」（動作／使用準備状態）に互いに「接続」されるように構成されたことを意味する。このようなエンティティ間の動作可能な接続、動作可能な結合、または動作可能な取り付けは、１つまたは複数の対応する種類の機械的（物理的、構造的）、電気的、電子的、または／および電気機械的機器および構成要素を伴って、１つまたは複数の種類の機械的（物理的、構造的）、電気的、または／および電子的、電気機械的接続に従う。任意選択として、このようなエンティティ間の動作可能な接続、動作可能な結合、または動作可能な取り付けは、１つまたは複数の種類のコンピュータ制御のハードウェアまたは／およびソフトウェア機器および構成要素を含んでいてもよいし、伴っていてもよい。
【０２４８】
本明細書において使用する表現「動作可能に接続可能（ｏｐｅｒａｔｉｖｅｌｙ  ｃｏｎｎｅｃｔａｂｌｅ）は、対応する同義表現「動作可能に結合可能（ｏｐｅｒａｔｉｖｅｌｙ  ｊｏｉｎａｂｌｅ）」および「動作可能に取り付け可能（ｏｐｅｒａｔｉｖｅｌｙ  ａｔｔａｃｈａｂｌｅ  ｔｏ）」を同等に表す。本明細書において使用するこれらの表現は、記述または／および図示のエンティティが互いに「接続可能（ｃｏｎｎｅｃｔａｂｌｅ）」（すなわち、相互接続が可能、相互接続の能力を有する、または相互接続の潜在力を有する）となって、後でエンティティ間に「動作可能な接続」、「動作可能な結合」、または「動作可能な取り付け」を形成するように構成されたことを意味する。このようなエンティティ間の動作可能な接続可能性、動作可能な結合可能性、または動作可能な取り付け可能性は、１つまたは複数の対応する種類の機械的（物理的、構造的）、電気的、電子的、または／および電気機械的機器および構成要素を伴って、１つまたは複数の種類の機械的（物理的、構造的）、電気的、または／および電子的、電気機械的接続に従う。任意選択として、このようなエンティティ間の動作可能な接続可能性、動作可能な結合可能性、または動作可能な取り付け可能性は、１つまたは複数の種類のコンピュータ制御のハードウェアまたは／およびソフトウェア機器および構成要素を含んでいてもよいし、伴っていてもよい。
【０２４９】
本発明の特定の態様、特性、および特徴は、明瞭化のため複数の別個の実施形態の文脈またはフォーマットにて例示的に説明および提示したが、単一の実施形態の文脈またはフォーマットにおける任意適当な組み合わせまたは副組み合わせにて例示的に説明および提示することも可能であることが十分に了解される。逆に、単一の実施形態の文脈またはフォーマットにおける組み合わせまたは副組み合わせにて例示的に説明および提示した本発明の種々態様、特性、および特徴は、複数の別個の実施形態の文脈またはフォーマットにて例示的に説明および提示することも可能である。
【０２５０】
本発明は、その具体的かつ例示的な実施形態および例によって例示的に説明および提示したが、当業者にとっては、本発明の多くの代替、改良、または／および変形が明らかとなるのは確かである。したがって、このようなすべての代替、改良、または／および変形は、添付の特許請求の範囲の広い範囲に包含されることが意図される。
【０２５１】
本開示に引用または参照のすべての刊行物、特許、または／および特許出願は、各個別の刊行物、特許、または／および特許出願の具体的かつ個別の援用指示と同じ程度まで、そのすべての内容が参照により本明細書に組み込まれている。また、本明細書における如何なる参考文献の引用または識別も、このような参考文献が本発明の先行技術を表すことまたは本発明の先行技術に対応することを認めるものとして解釈されないものとする。項目見出しは、その使用の限りにおいて、必ずしも限定的に解釈されるべきではない。
【図１】
2020518357.tif 000003
【図２】
2020518357.tif 000004
【図３】
2020518357.tif 000005
【図４Ａ】
2020518357.tif 000006
【図４Ｂ】
2020518357.tif 000007
【図５Ａ】
2020518357.tif 000008
【図５Ｂ】
2020518357.tif 000009
【図６】
2020518357.tif 000010
【図７】
2020518357.tif 000011
【図８Ａ】
2020518357.tif 000012
【図８Ｂ】
2020518357.tif 000013
【図９Ａ】
2020518357.tif 000014
【図９Ｂ】
2020518357.tif 000015
【図９Ｃ】
2020518357.tif 000016
【図９Ｄ】
2020518357.tif 000017
【図１０Ａ】
2020518357.tif 000018
【図１０Ｂ】
2020518357.tif 000019
【図１０Ｃ】
2020518357.tif 000020
【図１０Ｄ】
2020518357.tif 000021
【図１１Ａ】
2020518357.tif 000022
【図１１Ｂ】
2020518357.tif 000023
【図１１Ｃ】
2020518357.tif 000024
【図１１Ｄ】
2020518357.tif 000025
【図１２Ａ】
2020518357.tif 000026
【図１２Ｂ】
2020518357.tif 000027
【図１３Ａ】
2020518357.tif 000028
【図１３Ｂ】
2020518357.tif 000029
【図１４】
2020518357.tif 000030
【図１５】
2020518357.tif 000031
【図１６Ａ】
2020518357.tif 000032
【図１６Ｂ】
2020518357.tif 000033
【図１７】
2020518357.tif 000034
【図１８】
2020518357.tif 000035
【図１９Ａ】
2020518357.tif 000036
【図１９Ｂ】
2020518357.tif 000037
【図１９Ｃ】
2020518357.tif 000038
【図１９Ｄ】
2020518357.tif 000039
【図１９Ｅ】
2020518357.tif 000040
【図１９Ｆ】
2020518357.tif 000041
【図１９Ｇ】
2020518357.tif 000042
【図１９Ｈ】
2020518357.tif 000043
【図１９Ｉ】
2020518357.tif 000044
【図１９Ｊ】
2020518357.tif 000045
【図１９Ｋ】
2020518357.tif 000046
【国際調査報告】
2020518357.tif 000047